(57)【要約】      （修正有）【課題】カバレージ拡張（ＣＥ）技法を使用したＭＴＣデバイスのためのランダムアクセス手順を提供する。【解決手段】ユーザ機器（ＵＥ）１１５ｂが、カバレージ制限に基づいてＣＥレベルを選択する。ＵＥは、次いで、ＣＥレベルおよび対応する物理ランダムアクセスチャネル（ＰＲＡＣＨ）構成のインデックスを示すシステム情報を基地局から受信し、選択されたＣＥレベルのＰＲＡＣＨ構成を使用してランダムアクセスプリアンブルを送信する。たとえば、ＵＥは、選択されたＣＥレベルに対応する周波数オフセットに基づいてプリアンブルを送信し、ランダムアクセス応答メッセージのための所望のＤＬ  ＣＥレベルに対応するプリアンブルをグループから選択する。基地局１０５ｂは、プリアンブルがそれから選択されたグループに基づいてＤＬ  ＣＥレベルを決定し、相応に応答する。【選択図】図５
2020184775.tif 000002
【特許請求の範囲】
【請求項１】
物理ランダムアクセスチャネル（ＰＲＡＣＨ）構成のセットを示すシグナリングを受信することと、ここにおいて、前記セットの各ＰＲＡＣＨ構成が、基地局によってサポートされるカバレージ拡張（ＣＥ）レベルに対応する、
カバレージ制限に少なくとも部分的に基づいて前記ＣＥレベルのうちの１つを選択することと、
前記選択されたＣＥレベルに対応するＰＲＡＣＨ構成に従ってランダムアクセスメッセージを送信することとを備える、ワイヤレス通信の方法。
【請求項２】
前記基地局から１つまたは複数のカバレージ制限しきい値を示すシグナリングを受信することと、
前記受信されたカバレージ制限しきい値に少なくとも部分的に基づいて前記カバレージ制限を決定することとをさらに備える、請求項１に記載の方法。
【請求項３】
前記カバレージ制限が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、請求項２に記載の方法。
【請求項４】
前記カバレージ制限に少なくとも部分的に基づいて前記ランダムアクセスメッセージのプリアンブルフォーマットを選択することをさらに備える、請求項１に記載の方法。
【請求項５】
前記基地局からの明示的シグナリング、ダウンリンク信号測定値とＤＬ信号しきい値との間の比較、または前記選択されたカバレージ拡張レベル、あるいはそれらの任意の組合せに少なくとも部分的に基づいてダウンリンク（ＤＬ）ＣＥレベルを推定すること、ここにおいて、前記選択されたプリアンブルフォーマットが、前記推定されたＤＬ  ＣＥレベルを示す、をさらに備える、請求項４に記載の方法。
【請求項６】
前記ＤＬ信号しきい値が、基準ＤＬ送信フォーマットに少なくとも部分的に基づいて決定される、請求項５に記載の方法。
【請求項７】
推定されたダウンリンク（ＤＬ）ＣＥレベルに少なくとも部分的に基づいてランダムアクセス応答を受信するための１つまたは複数のリソースを決定することと、
前記ランダムアクセス応答について前記１つまたは複数のリソースを監視することとをさらに備える、請求項１に記載の方法。
【請求項８】
不成功のランダムアクセス送信に少なくとも部分的に基づいて後続のＣＥレベルを選択することと、
前記後続のＣＥレベルを選択することに少なくとも部分的に基づいて、推定されたダウンリンク（ＤＬ）ＣＥレベルを再推定することとをさらに備える、請求項１に記載の方法。
【請求項９】
ランダムアクセス応答を受信することと、
推定されたダウンリンク（ＤＬ）ＣＥレベルに少なくとも部分的に基づいて前記ランダムアクセス応答を復号することとをさらに備える、請求項１に記載の方法。
【請求項１０】
前記ランダムアクセス応答を復号することが、
前記推定されたＤＬ  ＣＥレベルに少なくとも部分的に基づいて前記ランダムアクセス応答の制御部分を復号することと、
前記ランダムアクセス応答の前記制御部分に少なくとも部分的に基づいて、示されたＣＥレベルを識別することと、
前記示されたＣＥレベルに少なくとも部分的に基づいて前記ランダムアクセス応答のデータ部分を復号することとを備える、請求項９に記載の方法。
【請求項１１】
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答を受信するための１つまたは複数のあらかじめ定義された時間間隔を監視することとをさらに備える、請求項１に記載の方法。
【請求項１２】
監視するための前記１つまたは複数のあらかじめ定義された時間間隔が、前記ランダムアクセスメッセージの前記選択されたプリアンブルフォーマットに少なくとも部分的に基づく、請求項１１に記載の方法。
【請求項１３】
１つまたは複数のさらなる応答メッセージについて監視し続けるためのランダムアクセス応答中の指示を受信することをさらに備える、請求項１１に記載の方法。
【請求項１４】
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答制御メッセージを受信するための１つまたは複数のあらかじめ定義された時間間隔を監視することと、
前記ランダムアクセス応答制御メッセージに少なくとも部分的に基づいてランダムアクセス応答を受信することとをさらに備える、請求項１に記載の方法。
【請求項１５】
監視するための前記１つまたは複数のあらかじめ定義された時間間隔が、前記ランダムアクセスメッセージの前記選択されたプリアンブルフォーマットに少なくとも部分的に基づく、請求項１４に記載の方法。
【請求項１６】
監視するための前記１つまたは複数のあらかじめ定義された時間間隔が、前記ランダムアクセスメッセージの前記選択されたプリアンブルフォーマットのＣＥレベルに少なくとも部分的に基づく、請求項１４に記載の方法。
【請求項１７】
前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定することをさらに備える、請求項１に記載の方法。
【請求項１８】
前記ＣＥレベルのうちの１つを前記選択することが、前のＰＲＡＣＨ送信のカウンタに少なくとも部分的に基づく、請求項１に記載の方法。
【請求項１９】
前記基地局によってサポートされる前記１つまたは複数のＣＥレベルのうちの候補ＣＥレベルを選択することと、
前記ランダムアクセスメッセージの候補送信電力を決定することと、
前記候補送信電力が送信電力しきい値を超えると決定することとをさらに備え、
ここにおいて、前記ＣＥレベルのうちの１つの前記選択は、前記候補送信電力が前記送信電力しきい値を超えると決定することに少なくとも部分的に基づき、ここにおいて、前記選択されたＣＥレベルが前記候補ＣＥレベルよりも高い、請求項１に記載の方法。
【請求項２０】
前記基地局からＣＥレベルを示すシグナリングを受信すること、ここにおいて、前記選択されたＣＥレベルが、前記基地局によって示された前記ＣＥレベルに対応する、をさらに備える、請求項１に記載の方法。
【請求項２１】
前記基地局からの前記シグナリングが、ＰＲＡＣＨマスクインデックスまたは周波数オフセット、あるいは両方を備える、請求項２０に記載の方法。
【請求項２２】
ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、請求項１に記載の方法。
【請求項２３】
ＰＲＡＣＨ構成の前記セットが、各サポートされるＣＥレベルの決定性値のセットを備える、請求項１に記載の方法。
【請求項２４】
ＰＲＡＣＨ構成の前記セットが、各サポートされるＣＥレベルに対応するＰＲＡＣＨ周波数オフセットを備える、請求項１に記載の方法。
【請求項２５】
ユーザ機器（ＵＥ）タイプに少なくとも部分的に基づいてデフォルトＰＲＡＣＨ構成を識別すること、ここにおいて、前記ランダムアクセスメッセージが前記デフォルトＰＲＡＣＨ構成に従って送信される、をさらに備える、請求項１に記載の方法。
【請求項２６】
前記ＵＥタイプが、ＵＥカテゴリーまたは前に構成されたＵＥのうちの少なくとも１つ、あるいは両方を備える、請求項２５に記載の方法。
【請求項２７】
ＰＲＡＣＨ構成の前記セットが、複数のリソースブロックにわたって、周波数分割多重化（ＦＤＭ）または時分割多重化（ＴＤＭ）、あるいは両方である指定されたリソースを備える、請求項１に記載の方法。
【請求項２８】
前記受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、請求項２７に記載の方法。
【請求項２９】
前記ランダムアクセスメッセージを送信するときにランダムアクセス送信カウンタを開始することと、
不成功のランダムアクセス送信に少なくとも部分的に基づいて後続のＣＥレベルを選択することと、
前記後続のＣＥレベルを選択することに少なくとも部分的に基づいて前記ランダムアクセス送信カウンタをリセットすることとをさらに備える、請求項１に記載の方法。
【請求項３０】
不成功のランダムアクセス送信のしきい値数に少なくとも部分的に基づいて無線リンク障害を宣言すること、ここにおいて、ＰＲＡＣＨ構成の前記セットが前記しきい値を備える、をさらに備える、請求項１に記載の方法。
【請求項３１】
前記ランダムアクセスメッセージ中に示された構成に少なくとも部分的に基づいて接続要求メッセージを送信することをさらに備える、請求項１に記載の方法。
【請求項３２】
受信されたランダムアクセス応答中に示された構成に少なくとも部分的に基づいて接続メッセージを送信すること、ここにおいて、前記接続メッセージが、接続要求メッセージと、接続再確立メッセージと、ハンドオーバ完了メッセージとのうちの少なくとも１つを備える、をさらに備える、請求項１に記載の方法。
【請求項３３】
競合解消メッセージを受信すること、再送信試行のしきい値数を超えること、または競合解消タイマーの満了、あるいはそれらの任意の組合せ
のうちの少なくとも１つまで、前記接続メッセージを再送信することをさらに備える、請求項３２に記載の方法。
【請求項３４】
受信されたランダムアクセス応答中に示された構成に少なくとも部分的に基づいて前記接続メッセージの再送信指示について制御チャネルを監視することをさらに備える、請求項３２に記載の方法。
【請求項３５】
前記競合解消タイマーが、前記選択されたＣＥレベルに少なくとも部分的に基づいて構成された、請求項３３に記載の方法。
【請求項３６】
推定されたダウンリンク（ＤＬ）カバレージ拡張（ＣＥ）レベルとランダムアクセスグループとの間のマッピングを示すシグナリングを受信することと、
前記マッピングに少なくとも部分的に基づいて前記ランダムアクセスグループを選択することと、
前記選択されたランダムアクセスグループに少なくとも部分的に基づいてランダムアクセスメッセージを送信することとを備える、ワイヤレス通信の方法。
【請求項３７】
前記選択されたランダムアクセスグループに少なくとも部分的に基づいてランダムアクセス応答のための周波数リソースを決定することをさらに備える、請求項３６に記載の方法。
【請求項３８】
前記ランダムアクセスグループが、前記ランダムアクセス応答に関連する制御情報を示し、前記決定された周波数リソースが制御メッセージを備える、請求項３７に記載の方法。
【請求項３９】
前記ランダムアクセスグループが、前記ランダムアクセス応答に関連する制御情報およびデータ情報を示し、前記決定された周波数リソースが、制御メッセージまたはデータメッセージ、あるいは両方を備える、請求項３７に記載の方法。
【請求項４０】
物理ランダムアクセスチャネル（ＰＲＡＣＨ）構成のセットを示すシグナリングを送信することと、ここにおいて、前記セットの各ＰＲＡＣＨ構成が、サポートされるカバレージ拡張（ＣＥ）レベルに対応する、
ＰＲＡＣＨ構成の前記セットのＰＲＡＣＨ構成に従ってランダムアクセスメッセージを受信することとを備える、ワイヤレス通信の方法。
【請求項４１】
１つまたは複数のカバレージ制限しきい値を示すシグナリングを送信すること、ここにおいて、前記ランダムアクセスメッセージが、前記シグナリングに少なくとも部分的に基づいて受信される、をさらに備える、請求項４０に記載の方法。
【請求項４２】
前記ランダムアクセスメッセージに少なくとも部分的に基づいてランダムアクセス応答を送信することをさらに備える、請求項４０に記載の方法。
【請求項４３】
１つまたは複数のさらなる応答メッセージについて監視し続けるためのランダムアクセス応答中の指示を送信することをさらに備える、請求項４０に記載の方法。
【請求項４４】
前記ＰＲＡＣＨ構成に少なくとも部分的に基づいてランダムアクセス応答を送信するためのリソースを選択することと、
前記選択されたリソースを使用して前記ランダムアクセス応答を送信することとをさらに備える、請求項４０に記載の方法。
【請求項４５】
ＣＥレベルを示すシグナリングを送信すること、ここにおいて、前記ランダムアクセスメッセージが、前記ＣＥレベルに少なくとも部分的に基づいて受信される、をさらに備える、請求項４０に記載の方法。
【請求項４６】
ダウンリンク（ＤＬ）カバレージ拡張（ＣＥ）レベルとランダムアクセスグループとの間のマッピングを示すシグナリングを送信することと、
前記ランダムアクセスグループに少なくとも部分的に基づいてランダムアクセスメッセージを受信することと、
前記受信されたランダムアクセスメッセージの前記ランダムアクセスグループに少なくとも部分的に基づいてＤＬ  ＣＥレベルを決定することとを備える、ワイヤレス通信の方法。
【請求項４７】
物理ランダムアクセスチャネル（ＰＲＡＣＨ）構成のセットを示すシグナリングを受信するための手段と、ここにおいて、前記セットの各ＰＲＡＣＨ構成が、基地局によってサポートされるカバレージ拡張レベルに対応する、
カバレージ制限に少なくとも部分的に基づいて前記カバレージ拡張（ＣＥ）レベルのうちの１つを選択するための手段と、
前記選択されたＣＥレベルに対応するＰＲＡＣＨ構成に従ってランダムアクセスメッセージを送信するための手段とを備える、ワイヤレス通信のための装置。
【請求項４８】
前記基地局から１つまたは複数のカバレージ制限しきい値を示すシグナリングを受信するための手段と、
受信されたカバレージ制限しきい値に少なくとも部分的に基づいて前記カバレージ制限を決定するための手段とをさらに備える、請求項４７に記載の装置。
【請求項４９】
前記カバレージ制限が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、請求項４８に記載の装置。
【請求項５０】
前記カバレージ制限に少なくとも部分的に基づいて前記ランダムアクセスメッセージのプリアンブルフォーマットを選択するための手段をさらに備える、請求項４７に記載の装置。
【請求項５１】
前記ＣＥレベルのうちの１つを選択するための前記手段が、選択されたプリアンブルフォーマットに少なくとも部分的に基づいて動作可能である、請求項５０に記載の装置。
【請求項５２】
前記基地局からの明示的シグナリング、ダウンリンク信号測定値とＤＬ信号しきい値との間の比較、前記選択されたカバレージ拡張レベル、またはそれらの任意の組合せに少なくとも部分的に基づいてダウンリンク（ＤＬ）ＣＥレベルを推定するための手段、ここにおいて、選択されたプリアンブルフォーマットが、推定されたＤＬ  ＣＥレベルを示す、をさらに備える、請求項５０に記載の装置。
【請求項５３】
推定されたＤＬ  ＣＥレベルに少なくとも部分的に基づいてランダムアクセス応答を受信するための１つまたは複数のリソースを決定するための手段と、
ランダムアクセス応答について前記１つまたは複数のリソースを監視するための手段とをさらに備える、請求項５２に記載の装置。
【請求項５４】
不成功のランダムアクセス送信に少なくとも部分的に基づいて後続のＣＥレベルを選択するための手段と、
前記後続のＣＥレベルを選択することに少なくとも部分的に基づいて前記ＤＬ  ＣＥレベルを再推定するための手段とをさらに備える、請求項５２に記載の装置。
【請求項５５】
ランダムアクセス応答を受信するための手段と、
推定されたダウンリンク（ＤＬ）ＣＥレベルに少なくとも部分的に基づいて前記ランダムアクセス応答を復号するための手段とをさらに備える、請求項５２に記載の装置。
【請求項５６】
前記ＰＲＡＣＨ構成に少なくとも部分的に基づいて前記ランダムアクセスメッセージを送信するためのリソースを選択するための手段と、
選択されたリソースに少なくとも部分的に基づいてランダムアクセス応答を受信するための１つまたは複数のあらかじめ定義された時間間隔を監視するための手段とをさらに備える、請求項４７に記載の装置。
【請求項５７】
前記ＰＲＡＣＨ構成に少なくとも部分的に基づいて前記ランダムアクセスメッセージを送信するためのリソースを選択するための手段と、
選択されたリソースに少なくとも部分的に基づいてランダムアクセス応答制御メッセージを受信するための１つまたは複数のあらかじめ定義された時間間隔を監視するための手段と、
ランダムアクセス応答制御メッセージに少なくとも部分的に基づいてランダムアクセス応答を受信するための手段とをさらに備える、請求項４７に記載の装置。
【請求項５８】
前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定するための手段をさらに備える、請求項４７に記載の装置。
【請求項５９】
前記ＣＥレベルのうちの１つを選択するための前記手段が、前のＰＲＡＣＨ送信のカウンタに少なくとも部分的に基づいて動作可能である、請求項４７に記載の装置。
【請求項６０】
前記基地局によってサポートされる前記１つまたは複数のＣＥレベルのうちの候補ＣＥレベルを選択するための手段と、
前記ランダムアクセスメッセージの候補送信電力を決定するための手段と、
前記候補送信電力が送信電力しきい値を超えると決定するための手段とをさらに備え、
ここにおいて、前記ＣＥレベルのうちの１つを選択するための前記手段は、前記候補送信電力が前記送信電力しきい値を超えると決定することに少なくとも部分的に基づいて動作可能であり、ここにおいて、前記選択されたＣＥレベルが前記候補ＣＥレベルよりも高い、請求項４７に記載の装置。
【請求項６１】
前記基地局からＣＥレベルを示すシグナリングを受信するための手段、ここにおいて、選択されたＣＥレベルが、前記基地局によって示された前記ＣＥレベルに対応する、をさらに備える、請求項４７に記載の装置。
【請求項６２】
前記基地局によって示された前記ＣＥレベルが、ＰＲＡＣＨマスクインデックスまたは周波数オフセット、あるいは両方を備える、請求項６１に記載の装置。
【請求項６３】
ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、請求項４７に記載の装置。
【請求項６４】
ＰＲＡＣＨ構成の前記セットが、各サポートされるＣＥレベルの決定性値のセットを備える、請求項４７に記載の装置。
【請求項６５】
ＰＲＡＣＨ構成の前記セットが、各サポートされるＣＥレベルに対応するＰＲＡＣＨ周波数オフセットを備える、請求項４７に記載の装置。
【請求項６６】
ユーザ機器（ＵＥ）タイプに少なくとも部分的に基づいてデフォルトＰＲＡＣＨ構成を識別するための手段、ここにおいて、前記ランダムアクセスメッセージが前記デフォルトＰＲＡＣＨ構成に従って送信される、をさらに備える、請求項４７に記載の装置。
【請求項６７】
前記ＵＥタイプが、ＵＥカテゴリーまたは前に構成されたＵＥのうちの少なくとも１つ、あるいは両方を備える、請求項６６に記載の装置。
【請求項６８】
ＰＲＡＣＨ構成の前記セットが、複数のリソースブロックにわたって、周波数分割多重化（ＦＤＭ）または時分割多重化（ＴＤＭ）、あるいは両方である指定されたリソースを備える、請求項４７に記載の装置。
【請求項６９】
受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、請求項６８に記載の装置。
【請求項７０】
前記ランダムアクセスメッセージを送信するときにランダムアクセス送信カウンタを開始するための手段と、
不成功のランダムアクセス送信に少なくとも部分的に基づいて後続のＣＥレベルを選択するための手段と、
前記後続のＣＥレベルを選択することに少なくとも部分的に基づいて前記ランダムアクセス送信カウンタをリセットするための手段とをさらに備える、請求項４７に記載の装置。
【請求項７１】
不成功のランダムアクセス送信のしきい値数に少なくとも部分的に基づいて無線リンク障害を宣言するための手段、ここにおいて、ＰＲＡＣＨ構成の前記セットが前記しきい値を備える、をさらに備える、請求項４７に記載の装置。
【請求項７２】
前記ランダムアクセスメッセージ中に示された構成に少なくとも部分的に基づいて接続要求メッセージを送信するための手段をさらに備える、請求項４７に記載の装置。
【請求項７３】
受信されたランダムアクセス応答中に示された構成に少なくとも部分的に基づいて接続メッセージを送信するための手段、ここにおいて、前記接続メッセージが、接続要求メッセージと、接続再確立メッセージと、ハンドオーバ完了メッセージとのうちの少なくとも１つを備える、をさらに備える、請求項４７に記載の装置。
【請求項７４】
競合解消メッセージが受信される、再送信試行のしきい値数が超えられる、または競合解消タイマーが満了する、あるいはそれらの任意の組合せ
のうちの少なくとも１つまで動作可能である前記接続メッセージを再送信するための手段をさらに備える、請求項７３に記載の装置。
【請求項７５】
前記競合解消タイマーが、前記選択されたＣＥレベルに少なくとも部分的に基づいて構成された、請求項７４に記載の装置。
【請求項７６】
推定されたダウンリンク（ＤＬ）カバレージ拡張（ＣＥ）レベルとランダムアクセスグループとの間のマッピングを示すシグナリングを受信するための手段と、
前記マッピングに少なくとも部分的に基づいて前記ランダムアクセスグループを選択するための手段と、
前記選択されたランダムアクセスグループに少なくとも部分的に基づいてランダムアクセスメッセージを送信するための手段とを備える、ワイヤレス通信のための装置。
【請求項７７】
前記選択されたランダムアクセスグループに少なくとも部分的に基づいてランダムアクセス応答のための周波数リソースを決定するための手段をさらに備える、請求項７６に記載の装置。
【請求項７８】
前記ランダムアクセスグループが、前記ランダムアクセス応答に関連する制御情報を示し、決定された周波数リソースが制御メッセージを備える、請求項７７に記載の装置。
【請求項７９】
前記ランダムアクセスグループが、前記ランダムアクセス応答に関連する制御情報およびデータ情報を示し、決定された周波数リソースが、制御メッセージまたはデータメッセージ、あるいは両方を備える、請求項７７に記載の装置。
【請求項８０】
前記選択されたランダムアクセスグループに少なくとも部分的に基づいてランダムアクセス無線ネットワーク一時識別子（ＲＡ−ＲＮＴＩ）を決定するための手段をさらに備える、請求項７６に記載の装置。
【請求項８１】
物理ランダムアクセスチャネル（ＰＲＡＣＨ）構成のセットを示すシグナリングを送信するための手段と、ここにおいて、前記セットの各ＰＲＡＣＨ構成が、サポートされるカバレージ拡張レベルに対応する、
ＰＲＡＣＨ構成の前記セットのＰＲＡＣＨ構成に従ってランダムアクセスメッセージを受信するための手段とを備える、ワイヤレス通信のための装置。
【請求項８２】
１つまたは複数のカバレージ制限しきい値を示すシグナリングを送信するための手段、ここにおいて、前記ランダムアクセスメッセージが、前記シグナリングに少なくとも部分的に基づいて受信される、をさらに備える、請求項８１に記載の装置。
【請求項８３】
前記ランダムアクセスメッセージに少なくとも部分的に基づいてランダムアクセス応答を送信するための手段をさらに備える、請求項８１に記載の装置。
【請求項８４】
１つまたは複数のさらなる応答メッセージについて監視し続けるためのランダムアクセス応答中の指示を送信するための手段をさらに備える、請求項８１に記載の装置。
【請求項８５】
ＣＥレベルを示すシグナリングを送信するための手段、ここにおいて、前記ランダムアクセスメッセージを受信するための前記手段が、前記ＣＥレベルに少なくとも部分的に基づいて動作可能である、をさらに備える、請求項８１に記載の装置。
【請求項８６】
ダウンリンク（ＤＬ）カバレージ拡張（ＣＥ）レベルとランダムアクセスグループとの間のマッピングを示すシグナリングを送信するための手段と、
前記ランダムアクセスグループに少なくとも部分的に基づいてランダムアクセスメッセージを受信するための手段と、
受信されたランダムアクセスメッセージの前記ランダムアクセスグループに少なくとも部分的に基づいてＤＬ  ＣＥレベルを決定するための手段とを備える、ワイヤレス通信のための装置。
【発明の詳細な説明】
【技術分野】
【０００１】
相互参照
[0001]本特許出願は、その各々が本出願の譲受人に譲渡された、２０１６年４月２日に出願された、「Ｒａｎｄｏｍ  Ａｃｃｅｓｓ  Ｐｒｏｃｅｄｕｒｅｓ  Ｕｎｄｅｒ  Ｃｏｖｅｒａｇｅ  Ｌｉｍｉｔａｔｉｏｎｓ」と題する、Ｖａｊａｐｅｙａｍらによる米国特許出願第１５／０８９，５２８号、および２０１５年４月３日に出願された、「Ｒａｎｄｏｍ  Ａｃｃｅｓｓ  Ｐｒｏｃｅｄｕｒｅｓ  Ｕｎｄｅｒ  Ｃｏｖｅｒａｇｅ  Ｌｉｍｉｔａｔｉｏｎｓ」と題する、Ｖａｊａｐｅｙａｍらによる米国仮特許出願第６２／１４３，００１号の優先権を主張する。
【背景技術】
【０００２】
[0002]以下は、一般にワイヤレス通信に関し、より詳細にはカバレージ制限下でのランダムアクセス手順に関する。
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム）がある。ワイヤレス多元接続通信システムは、場合によってはユーザ機器（ＵＥ）として知られ得る、複数の通信デバイスのための通信を各々が同時にサポートする、いくつかの基地局を含み得る。
【０００４】
[0004]場合によっては、ＵＥ、たとえば、マシンタイプ通信（ＭＴＣ）デバイスまたは低複雑度ワイヤレスデバイスは、情報の増加された反復などのカバレージ拡張（ＣＥ：coverage enhancement）技法を使用してワイヤレスネットワークと通信し得る。これは、ＵＥが通信リンクの信頼性を改善することを可能にし得る。しかしながら、ＣＥ技法を使用するＵＥは、アクセス手順を実施するより前にどのＣＥレベルまたは構成が使用されるかに関してネットワークと協調されない（coordinated）ことがある。これは、アクセス手順中の通信をあまり信頼できないものにし、それにより、通信リンクを確立する際に中断（disruptions）または遅延が引き起され得る。
【発明の概要】
【０００５】
[0005]ユーザ機器（ＵＥ）が、チャネル状態またはＵＥカテゴリーなどのカバレージ制限に基づいてカバレージ拡張（ＣＥ）レベルを選択し得る。ＵＥは、次いで、ＣＥレベルおよび対応する物理ランダムアクセスチャネル（ＰＲＡＣＨ）構成のインデックスを示すシステム情報を基地局から受信し得、選択されたＣＥレベルのＰＲＡＣＨ構成に従ってランダムアクセスプリアンブルを送信し得る。たとえば、ＵＥは、選択されたＣＥレベルに対応する周波数オフセットに基づいてプリアンブルを送信し得る。場合によっては、ＵＥおよび基地局はまた、プリアンブルのグループをダウンリンク（ＤＬ）ＣＥレベルに関連付け得る。ＵＥは、ランダムアクセス応答（ＲＡＲ）メッセージのための所望のＤＬ  ＣＥレベルに対応するプリアンブルをグループから選択し得る。基地局は、プリアンブルがそれから選択されたグループに基づいてＤＬ  ＣＥレベルを決定し、相応に応答し得る。
【０００６】
[0006]ワイヤレス通信の方法について説明する。本方法は、ＰＲＡＣＨ構成のセットを示すシグナリングを受信することと、ここにおいて、セットの各ＰＲＡＣＨ構成が、基地局によってサポートされるカバレージ拡張レベルに対応する、カバレージ制限に少なくとも部分的に基づいてＣＥレベルのうちの１つを選択することと、選択されたＣＥレベルに対応するＰＲＡＣＨ構成に従ってランダムアクセスメッセージを送信することとを含み得る。
【０００７】
[0007]ワイヤレス通信のための装置について説明する。本装置は、ＰＲＡＣＨ構成のセットを示すシグナリングを受信するための手段と、ここにおいて、セットの各ＰＲＡＣＨ構成が、基地局によってサポートされるカバレージ拡張レベルに対応する、カバレージ制限に少なくとも部分的に基づいてＣＥレベルのうちの１つを選択するための手段と、選択されたＣＥレベルに対応するＰＲＡＣＨ構成に従ってランダムアクセスメッセージを送信するための手段とを含み得る。
【０００８】
[0008]ワイヤレス通信のためのさらなる装置について説明する。本装置は、プロセッサと、プロセッサと電子通信しているメモリと、メモリに記憶された命令とを含み得、命令は、プロセッサによって実行されたとき、ＰＲＡＣＨ構成のセットを示すシグナリングを受信することと、ここにおいて、セットの各ＰＲＡＣＨ構成が、基地局によってサポートされるカバレージ拡張レベルに対応する、カバレージ制限に少なくとも部分的に基づいてＣＥレベルのうちの１つを選択することと、選択されたＣＥレベルに対応するＰＲＡＣＨ構成に従ってランダムアクセスメッセージを送信することとを本装置に行わせるように動作可能である。
【０００９】
[0009]ワイヤレス通信のためのコードを記憶した非一時的コンピュータ可読媒体について説明する。コードは、ＰＲＡＣＨ構成のセットを示すシグナリングを受信することと、ここにおいて、セットの各ＰＲＡＣＨ構成が、基地局によってサポートされるカバレージ拡張レベルに対応する、カバレージ制限に少なくとも部分的に基づいてＣＥレベルのうちの１つを選択することと、選択されたＣＥレベルに対応するＰＲＡＣＨ構成に従ってランダムアクセスメッセージを送信することとを行うように実行可能な命令を含み得る。
【００１０】
[0010]本明細書で説明する方法、装置、または非一時的コンピュータ可読媒体のいくつかの例は、基地局から１つまたは複数のカバレージ制限しきい値を示すシグナリングを受信することと、受信されたカバレージ制限しきい値に少なくとも部分的に基づいてカバレージ制限を決定することとを行うためのプロセス、特徴、手段、または命令をさらに含み得る。追加または代替として、いくつかの例では、カバレージ制限しきい値は、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える。
【００１１】
[0011]本明細書で説明する方法、装置、または非一時的コンピュータ可読媒体のいくつかの例は、カバレージ制限に少なくとも部分的に基づいてランダムアクセスメッセージのプリアンブルフォーマットを選択するためのプロセス、特徴、手段、または命令をさらに含み得る。追加または代替として、いくつかの例では、ＣＥレベルを選択することは、選択されたプリアンブルフォーマットに少なくとも部分的に基づく。
【００１２】
[0012]本明細書で説明する方法、装置、または非一時的コンピュータ可読媒体のいくつかの例は、基地局からの明示的シグナリング、ダウンリンク信号測定値とＤＬ信号しきい値との間の比較、選択されたカバレージ拡張レベル、あるいはそれらの任意の組合せに少なくとも部分的に基づいてＤＬ  ＣＥレベルを推定すること、ここにおいて、選択されたプリアンブルフォーマットが、推定されたＤＬ  ＣＥレベルを示す、を行うためのプロセス、特徴、手段、または命令をさらに含み得る。ＤＬ信号しきい値は基準ＤＬ送信フォーマットに基づいて決定され得る。追加または代替として、いくつかの例は、推定されたＤＬ  ＣＥレベルに少なくとも部分的に基づいてＲＡＲを受信するための１つまたは複数のリソースを決定することと、ＲＡＲについて１つまたは複数のリソースを監視することとを行うためのプロセス、特徴、手段、または命令を含み得る。
【００１３】
[0013]本明細書で説明する方法、装置、または非一時的コンピュータ可読媒体のいくつかの例は、不成功のランダムアクセス送信に少なくとも部分的に基づいて後続のＣＥレベルを選択することと、後続のＣＥレベルを選択することに少なくとも部分的に基づいて、推定されたＤＬ  ＣＥレベルを再推定することとを行うためのプロセス、特徴、手段、または命令をさらに含み得る。追加または代替として、いくつかの例は、ＲＡＲを受信することと、推定されたＤＬ  ＣＥレベルに少なくとも部分的に基づいてＲＡＲを復号することとを行うためのプロセス、特徴、手段、または命令を含み得る。いくつかの例は、推定されたＤＬ  ＣＥレベルに少なくとも部分的に基づいてＲＡＲの制御部分を復号することと、ＲＡＲの制御部分に少なくとも部分的に基づいて、示されたＣＥレベルを識別することと、示されたＣＥレベルに少なくとも部分的に基づいてＲＡＲのデータ部分を復号することとを含み得る。
【００１４】
[0014]本明細書で説明する方法、装置、または非一時的コンピュータ可読媒体のいくつかの例は、ＰＲＡＣＨ構成に少なくとも部分的に基づいてランダムアクセスメッセージを送信するためのリソースを選択することと、選択されたリソースに少なくとも部分的に基づいてＲＡＲを受信するための１つまたは複数のあらかじめ定義された時間間隔を監視することとを行うためのプロセス、特徴、手段、または命令をさらに含み得る。追加または代替として、いくつかの例は、ＰＲＡＣＨ構成に少なくとも部分的に基づいてランダムアクセスメッセージを送信するためのリソースを選択することと、選択されたリソースに少なくとも部分的に基づいてＲＡＲ制御メッセージを受信するための１つまたは複数のあらかじめ定義された時間間隔を監視することと、ＲＡＲ制御メッセージに少なくとも部分的に基づいてＲＡＲを受信することとを行うためのプロセス、特徴、手段、または命令を含み得る。
【００１５】
[0015]場合によっては、ＤＬ信号しきい値は基準ＤＬ送信フォーマットに基づいて決定される。場合によっては、監視するための１つまたは複数のあらかじめ定義された時間間隔は、ブロードキャストシグナリングに基づいて決定される。場合によっては、監視するための１つまたは複数のあらかじめ定義された時間間隔は、ランダムアクセスメッセージの選択されたプリアンブルフォーマットに基づく。場合によっては、監視するための１つまたは複数のあらかじめ定義された時間間隔は、ランダムアクセスメッセージの選択されたプリアンブルフォーマットのＣＥレベルに少なくとも部分的に基づく。場合によっては、説明する方法は、１つまたは複数のさらなる応答メッセージについて監視し続けるためのＲＡＲ中の指示を受信することをさらに含み得る。
【００１６】
[0016]本明細書で説明する方法、装置、または非一時的コンピュータ可読媒体のいくつかの例は、ＰＲＡＣＨ構成、選択されたプリアンブルフォーマット、前の（prior）送信カウント、またはそれらの任意の組合せに少なくとも部分的に基づいてランダムアクセスメッセージのターゲット送信電力を決定するためのプロセス、特徴、手段、または命令をさらに含み得る。追加または代替として、いくつかの例では、ＣＥレベルを選択することは、前のＰＲＡＣＨ送信のカウンタに少なくとも部分的に基づく。
【００１７】
[0017]本明細書で説明する方法、装置、または非一時的コンピュータ可読媒体のいくつかの例は、基地局によってサポートされる１つまたは複数のＣＥレベルのうちの候補ＣＥレベルを選択することと、ランダムアクセスメッセージの候補送信電力を決定することと、候補送信電力が送信電力しきい値を超えると決定することとを行うためのプロセス、特徴、手段、または命令をさらに含み得、ＣＥレベルの選択は、候補送信電力が送信電力しきい値を超えると決定することに少なくとも部分的に基づき、ここにおいて、ＣＥレベルは候補ＣＥレベルよりも高い。追加または代替として、いくつかの例は、基地局からＣＥレベルを示すシグナリングを受信すること、ここにおいて、選択されたＣＥレベルが、基地局によって示されたＣＥレベルに対応する、を行うためのプロセス、特徴、手段、または命令を含み得る。
【００１８】
[0018]本明細書で説明する方法、装置、または非一時的コンピュータ可読媒体のいくつかの例では、基地局からのシグナリングは、ＰＲＡＣＨマスクインデックスまたは周波数オフセット、あるいは両方を備える。追加または代替として、いくつかの例では、ＰＲＡＣＨ構成のセットは、周波数分割複信（ＦＤＤ）動作のためのＰＲＡＣＨ構成のセットまたは時分割複信（ＴＤＤ）動作のためのＰＲＡＣＨ構成のセット、あるいは両方を備える。
【００１９】
[0019]本明細書で説明する方法、装置、または非一時的コンピュータ可読媒体のいくつかの例では、ＰＲＡＣＨ構成のセットは、各サポートされるＣＥレベルの決定性値（deterministic values）のセットを備える。追加または代替として、いくつかの例では、ＰＲＡＣＨ構成のセットは、各サポートされるＣＥレベルに対応するＰＲＡＣＨ周波数オフセットを備える。
【００２０】
[0020]本明細書で説明する方法、装置、または非一時的コンピュータ可読媒体のいくつかの例は、ＵＥタイプに少なくとも部分的に基づいてデフォルトＰＲＡＣＨ構成を識別すること、ここにおいて、ランダムアクセスメッセージがデフォルトＰＲＡＣＨ構成に従って送信される、を行うためのプロセス、特徴、手段、または命令をさらに含み得る。追加または代替として、いくつかの例では、ＵＥタイプは、ＵＥカテゴリーまたは前に構成されたＵＥのうちの少なくとも１つ、あるいは両方を備える。
【００２１】
[0021]本明細書で説明する方法、装置、または非一時的コンピュータ可読媒体のいくつかの例では、ＰＲＡＣＨ構成のセットは、複数のリソースブロックにわたって、周波数分割多重化（ＦＤＭ）または時分割多重化（ＴＤＭ）、あるいは両方である指定されたリソースを備える。追加または代替として、いくつかの例では、受信されたシグナリングは、開始サブフレームインデックス、ＰＲＡＣＨ周期性、ＰＲＡＣＨオフセット、持続時間（time duration）、または周波数オフセットのうちの少なくとも１つ、あるいはそれらの任意の組合せを備える。
【００２２】
[0022]本明細書で説明する方法、装置、または非一時的コンピュータ可読媒体のいくつかの例は、ランダムアクセスメッセージを送信するときにランダムアクセス送信カウンタを開始することと、不成功のランダムアクセス送信に少なくとも部分的に基づいて後続のＣＥレベルを選択することと、後続のＣＥレベルを選択することに少なくとも部分的に基づいてランダムアクセス送信カウンタをリセットすることとを行うためのプロセス、特徴、手段、または命令をさらに含み得る。追加または代替として、いくつかの例は、不成功のランダムアクセス送信のしきい値数に少なくとも部分的に基づいて無線リンク障害を宣言すること、ここにおいて、ＰＲＡＣＨ構成のセットがしきい値を備える、を行うためのプロセス、特徴、手段、または命令を含み得る。
【００２３】
[0023]本明細書で説明する方法、装置、または非一時的コンピュータ可読媒体のいくつかの例は、受信されたランダムアクセス応答中に示された構成に少なくとも部分的に基づいて接続メッセージを送信すること、ここにおいて、接続メッセージが、接続要求メッセージと、接続再確立メッセージと、ハンドオーバ完了メッセージとのうちの少なくとも１つを備える、を行うためのプロセス、特徴、手段、または命令をさらに含み得る。追加または代替として、いくつかの例は、受信されたランダムアクセス応答中に示された構成に少なくとも部分的に基づいて接続メッセージの再送信指示について制御チャネルを監視するためのプロセス、特徴、手段、または命令を含み得る追加または代替として、いくつかの例は、受信されたＲＡＲ中に示された構成に少なくとも部分的に基づいて接続要求メッセージを送信するためのプロセス、特徴、手段、または命令を含み得る。
【００２４】
[0024]本明細書で説明する方法、装置、または非一時的コンピュータ可読媒体のいくつかの例は、競合解消メッセージを受信すること、再送信試行のしきい値数を超えること、または競合解消タイマーの満了（expiry）、あるいはそれらの任意の組合せのうちの少なくとも１つまで、接続メッセージを再送信するためのプロセス、特徴、手段、または命令をさらに含み得る。追加または代替として、いくつかの例では、競合解消タイマーは、選択されたＣＥレベルに少なくとも部分的に基づいて構成される。
【００２５】
[0025]ワイヤレス通信のさらなる方法について説明する。本方法は、推定されたダウンリンク（ＤＬ）カバレージ拡張（ＣＥ）レベルとランダムアクセスグループとの間のマッピングを示すシグナリングを受信することと、マッピングに少なくとも部分的に基づいてランダムアクセスグループを選択することと、選択されたランダムアクセスグループに少なくとも部分的に基づいてランダムアクセスメッセージを送信することとを含み得る。
【００２６】
[0026]ワイヤレス通信のための装置について説明する。本装置は、推定されたダウンリンク（ＤＬ）カバレージ拡張（ＣＥ）レベルとランダムアクセスグループとの間のマッピングを示すシグナリングを受信するための手段と、マッピングに少なくとも部分的に基づいてランダムアクセスグループを選択するための手段と、選択されたランダムアクセスグループに少なくとも部分的に基づいてランダムアクセスメッセージを送信するための手段とを含み得る。
【００２７】
[0027]ワイヤレス通信のためのさらなる装置について説明する。本装置は、プロセッサと、プロセッサと電子通信しているメモリと、メモリに記憶された命令とを含み得、命令は、プロセッサによって実行されたとき、推定されたダウンリンク（ＤＬ）カバレージ拡張（ＣＥ）レベルとランダムアクセスグループとの間のマッピングを示すシグナリングを受信することと、マッピングに少なくとも部分的に基づいてランダムアクセスグループを選択することと、選択されたランダムアクセスグループに少なくとも部分的に基づいてランダムアクセスメッセージを送信することとを本装置に行わせるように動作可能である。
【００２８】
[0028]ワイヤレス通信のためのコードを記憶した非一時的コンピュータ可読媒体について説明する。コードは、推定されたダウンリンク（ＤＬ）カバレージ拡張（ＣＥ）レベルとランダムアクセスグループとの間のマッピングを示すシグナリングを受信することと、マッピングに少なくとも部分的に基づいてランダムアクセスグループを選択することと、選択されたランダムアクセスグループに少なくとも部分的に基づいてランダムアクセスメッセージを送信することとを行うように実行可能な命令を含み得る。
【００２９】
[0029]本明細書で説明する方法、装置、または非一時的コンピュータ可読媒体のいくつかの例は、選択されたランダムアクセスグループに少なくとも部分的に基づいてＲＡＲのための周波数リソースを決定するためのプロセス、特徴、手段、または命令をさらに含み得る。追加または代替として、いくつかの例では、ランダムアクセスグループは、ＲＡＲに関連する制御情報を示し、およびここにおいて、決定された周波数リソースは制御メッセージを備える。
【００３０】
[0030]本明細書で説明する方法、装置、または非一時的コンピュータ可読媒体のいくつかの例では、ランダムアクセスグループは、ＲＡＲに関連する制御情報およびデータ情報を示し、およびここにおいて、決定された周波数リソースは、制御メッセージまたはデータメッセージ、あるいは両方を備える。追加または代替として、いくつかの例は、選択されたランダムアクセスグループに少なくとも部分的に基づいてランダムアクセス無線ネットワーク一時識別子（ＲＡ−ＲＮＴＩ）を決定するためのプロセス、特徴、手段、または命令を含み得る。
【００３１】
[0031]ワイヤレス通信の方法について説明する。本方法は、物理ランダムアクセスチャネル（ＰＲＡＣＨ）構成のセットを示すシグナリングを送信することと、ここにおいて、セットの各ＰＲＡＣＨ構成が、サポートされるカバレージ拡張レベルに対応する、ＰＲＡＣＨ構成のセットのＰＲＡＣＨ構成に従ってランダムアクセスメッセージを受信することとを含み得る。
【００３２】
[0032]ワイヤレス通信のための装置について説明する。本装置は、物理ランダムアクセスチャネル（ＰＲＡＣＨ）構成のセットを示すシグナリングを送信するための手段と、ここにおいて、セットの各ＰＲＡＣＨ構成が、サポートされるカバレージ拡張レベルに対応する、ＰＲＡＣＨ構成のセットのＰＲＡＣＨ構成に従ってランダムアクセスメッセージを受信するための手段とを含み得る。
【００３３】
[0033]ワイヤレス通信のためのさらなる装置について説明する。本装置は、プロセッサと、プロセッサと電子通信しているメモリと、メモリに記憶された命令とを含み得、命令は、プロセッサによって実行されたとき、物理ランダムアクセスチャネル（ＰＲＡＣＨ）構成のセットを示すシグナリングを送信することと、ここにおいて、セットの各ＰＲＡＣＨ構成が、サポートされるカバレージ拡張レベルに対応する、ＰＲＡＣＨ構成のセットのＰＲＡＣＨ構成に従ってランダムアクセスメッセージを受信することとを本装置に行わせるように動作可能である。
【００３４】
[0034]ワイヤレス通信のためのコードを記憶した非一時的コンピュータ可読媒体について説明する。コードは、物理ランダムアクセスチャネル（ＰＲＡＣＨ）構成のセットを示すシグナリングを送信することと、ここにおいて、セットの各ＰＲＡＣＨ構成が、サポートされるカバレージ拡張レベルに対応する、ＰＲＡＣＨ構成のセットのＰＲＡＣＨ構成に従ってランダムアクセスメッセージを受信することとを行うように実行可能な命令を含み得る。
【００３５】
[0035]本明細書で説明する方法、装置、または非一時的コンピュータ可読媒体のいくつかの例は、１つまたは複数のカバレージ制限しきい値を示すシグナリングを送信すること、ここにおいて、ランダムアクセスメッセージが、シグナリングに少なくとも部分的に基づいて受信される、を行うためのプロセス、特徴、手段、または命令をさらに含み得る。いくつかの例は、ランダムアクセスメッセージに少なくとも部分的に基づいてランダムアクセス応答を送信することを含み得る。いくつかの例は、１つまたは複数のさらなる応答メッセージについて監視し続けるためのランダムアクセス応答中の指示を送信することを含み得る。
【００３６】
[0036]本明細書で説明する方法、装置、または非一時的コンピュータ可読媒体のいくつかの例は、ＰＲＡＣＨ構成に少なくとも部分的に基づいてランダムアクセス応答を送信するためのリソースを選択することと、選択されたリソースを使用してランダムアクセス応答を送信することとを行うためのプロセス、特徴、手段、または命令をさらに含み得る。いくつかの例は、ＣＥレベルを示すシグナリングを送信すること、ここにおいて、ランダムアクセスメッセージが、ＣＥレベルに少なくとも部分的に基づいて受信される、を含み得る。
【００３７】
[0037]ワイヤレス通信の方法について説明する。本方法は、ダウンリンク（ＤＬ）カバレージ拡張（ＣＥ）レベルとランダムアクセスグループとの間のマッピングを示すシグナリングを送信することと、ランダムアクセスグループに少なくとも部分的に基づいてランダムアクセスメッセージを受信することと、受信されたランダムアクセスメッセージのランダムアクセスグループに少なくとも部分的に基づいてＤＬ  ＣＥレベルを決定することとを含み得る。
【００３８】
[0038]ワイヤレス通信のための装置について説明する。本装置は、ダウンリンク（ＤＬ）カバレージ拡張（ＣＥ）レベルとランダムアクセスグループとの間のマッピングを示すシグナリングを送信するための手段と、ランダムアクセスグループに少なくとも部分的に基づいてランダムアクセスメッセージを受信するための手段と、受信されたランダムアクセスメッセージのランダムアクセスグループに少なくとも部分的に基づいてＤＬ  ＣＥレベルを決定するための手段とを含み得る。
【００３９】
[0039]ワイヤレス通信のためのさらなる装置について説明する。本装置は、プロセッサと、プロセッサと電子通信しているメモリと、メモリに記憶された命令とを含み得、命令は、プロセッサによって実行されたとき、ダウンリンク（ＤＬ）カバレージ拡張（ＣＥ）レベルとランダムアクセスグループとの間のマッピングを示すシグナリングを送信することと、ランダムアクセスグループに少なくとも部分的に基づいてランダムアクセスメッセージを受信することと、受信されたランダムアクセスメッセージのランダムアクセスグループに少なくとも部分的に基づいてＤＬ  ＣＥレベルを決定することとを本装置に行わせるように動作可能である。
【００４０】
[0040]ワイヤレス通信のためのコードを記憶した非一時的コンピュータ可読媒体について説明する。コードは、ダウンリンク（ＤＬ）カバレージ拡張（ＣＥ）レベルとランダムアクセスグループとの間のマッピングを示すシグナリングを送信することと、ランダムアクセスグループに少なくとも部分的に基づいてランダムアクセスメッセージを受信することと、受信されたランダムアクセスメッセージのランダムアクセスグループに少なくとも部分的に基づいてＤＬ  ＣＥレベルを決定することとを行うように実行可能な命令を含み得る。
【００４１】
[0041]以下の図面を参照しながら本開示の態様について説明する。
【図面の簡単な説明】
【００４２】
【図１】[0042]本開示の様々な態様による、カバレージ制限下でのランダムアクセス手順をサポートするワイヤレス通信システムの一例を示す図。
【図２】[0043]本開示の様々な態様による、カバレージ制限下でのランダムアクセス手順をサポートするワイヤレス通信システムの一例を示す図。
【図３】[0044]本開示の様々な態様による、カバレージ制限下でのランダムアクセス手順をサポートするプリアンブルリソースオフセット構成の一例を示す図。
【図４Ａ】[0045]本開示の様々な態様による、カバレージ制限下でのランダムアクセス手順をサポートするランダムアクセス応答（ＲＡＲ）スケジューリング構成の例を示す図。
【図４Ｂ】本開示の様々な態様による、カバレージ制限下でのランダムアクセス手順をサポートするランダムアクセス応答（ＲＡＲ）スケジューリング構成の例を示す図。
【図４Ｃ】本開示の様々な態様による、カバレージ制限下でのランダムアクセス手順をサポートするランダムアクセス応答（ＲＡＲ）スケジューリング構成の例を示す図。
【図５】[0046]本開示の様々な態様による、カバレージ制限下でのランダムアクセス手順をサポートするシステムにおけるプロセスフローの一例を示す図。
【図６】[0047]本開示の様々な態様による、カバレージ制限下でのランダムアクセス手順をサポートする１つまたは複数のワイヤレスデバイスのブロック図。
【図７】本開示の様々な態様による、カバレージ制限下でのランダムアクセス手順をサポートする１つまたは複数のワイヤレスデバイスのブロック図。
【図８】本開示の様々な態様による、カバレージ制限下でのランダムアクセス手順をサポートする１つまたは複数のワイヤレスデバイスのブロック図。
【図９】[0048]本開示の様々な態様による、カバレージ制限下でのランダムアクセス手順をサポートするユーザ機器（ＵＥ）を含むシステムのブロック図。
【図１０】[0049]本開示の様々な態様による、カバレージ制限下でのランダムアクセス手順をサポートする１つまたは複数のワイヤレスデバイスのブロック図。
【図１１】本開示の様々な態様による、カバレージ制限下でのランダムアクセス手順をサポートする１つまたは複数のワイヤレスデバイスのブロック図。
【図１２】本開示の様々な態様による、カバレージ制限下でのランダムアクセス手順をサポートする１つまたは複数のワイヤレスデバイスのブロック図。
【図１３】[0050]本開示の様々な態様による、カバレージ制限下でのランダムアクセス手順をサポートする基地局を含むシステムのブロック図。
【図１４】[0051]本開示の様々な態様による、カバレージ制限下でのランダムアクセス手順のための方法を示す図。
【図１５】本開示の様々な態様による、カバレージ制限下でのランダムアクセス手順のための方法を示す図。
【図１６】本開示の様々な態様による、カバレージ制限下でのランダムアクセス手順のための方法を示す図。
【図１７】本開示の様々な態様による、カバレージ制限下でのランダムアクセス手順のための方法を示す図。
【図１８】本開示の様々な態様による、カバレージ制限下でのランダムアクセス手順のための方法を示す図。
【図１９】本開示の様々な態様による、カバレージ制限下でのランダムアクセス手順のための方法を示す図。
【図２０】本開示の様々な態様による、カバレージ制限下でのランダムアクセス手順のための方法を示す図。
【図２１】本開示の様々な態様による、カバレージ制限下でのランダムアクセス手順のための方法を示す図。
【図２２】本開示の様々な態様による、カバレージ制限下でのランダムアクセス手順のための方法を示す図。
【発明を実施するための形態】
【００４３】
[0052]マシンタイプ通信（ＭＴＣ）デバイスまたは低複雑度ワイヤレスデバイスなど、ユーザ機器（ＵＥ）は、カバレージ拡張（ＣＥ）技法を使用してワイヤレスネットワークと通信し得る。採用されるＣＥ技法またはＣＥレベルに応じて、ランダムアクセスチャネル（ＲＡＣＨ）手順が別様に実施され得る。ＲＡＣＨ手順中に交換される様々なメッセージは、特定のＣＥ技法、ＣＥレベル、またはリソースを使用し得る。たとえば、ＵＥは、ＵＥが使用しているＣＥレベルに応じて異なる時間または周波数リソース上でプリアンブル（ＲＡＣＨメッセージ１）を送信し得る。同様に、基地局は、基地局によって採用されるダウンリンク（ＤＬ）ＣＥレベルに応じて、ＵＥへのランダムアクセス応答（ＲＡＲ）のために異なる時間または周波数リソースを利用し得る。さらに、ＵＥに宛てられたＲＡＲは、バンドリングまたは反復の様々なレベルに従って送信され得る。ＰＲＡＣＨ手順は、電力およびＣＥレベルランプアップ技法を採用する送信をさらに含み得る。ＲＡＣＨメッセージ２（すなわち、ＲＡＲメッセージ）は、スケジューリング手順、ＣＥレベル決定、ＲＡ−ＲＮＴＩ決定、および応答ウィンドウを含み得る。ＲＡＣＨメッセージ３、（すなわち、ＲＲＣ接続セットアップ）は、非同期ＨＡＲＱサポートおよび競合解消を含み得る。そのようなＲＡＣＨメッセージの成功した通信の信頼性および尤度は、これらのメッセージのために採用される技法およびリソースに関してＵＥと基地局とが協調されるときに増加され得る。
【００４４】
[0053]ＰＲＡＣＨリソースは、ＭＴＣデバイスのためのＰＲＡＣＨ構成インデックスリストを使用してシグナリングされ得る。場合によっては、ＰＲＡＣＨ構成インデックスリストはＭＴＣシステム情報ブロック（ＳＩＢ）中でブロードキャストされ得る。ＵＥは、ＰＲＡＣＨ  ＣＥレベルを決定し、ＣＥレベルに基づいてＰＲＡＣＨ構成インデックスを選択し、ＰＲＡＣＨ構成インデックスリストを形成し得る。ＵＥはまた、一緒にＰＲＡＣＨ  ＣＥおよび送信電力レベルを決定し得る。
【００４５】
[0054]場合によっては、ダウンリンク（ＤＬ）ＣＥレベルおよびアップリンク（ＵＬ）ＣＥレベルは、チャネル状態に応じて異なり得る。ＵＥは、このようにして、基地局がＲＡＲのために使用することになるＤＬ  ＣＥレベルおよびリソースを選択または決定することを試み得る。ＵＥは、たとえば、適切なＤＬ  ＣＥレベルを推定し、それのランダムアクセスプリアンブルによってそのレベルを示し得る。
【００４６】
[0055]ＲＡＲスケジューリングは、いくつかの方法のうちの１つで達成され得る。応答は動的にスケジュールされ得、それＲＡＲは所定のリソース上でのみ行われ得るか、または制御が固定リソース上で送られ得るが、制御はＲＡＲのためのデータリソースを動的にスケジュールし得る。
【００４７】
[0056]本開示の態様について、初めにワイヤレス通信システムのコンテキストにおいて説明する。次いで、プリアンブルリソースオフセット構成およびいくつかのＲＡＲスケジューリング構成のための特定の例について説明する。本開示のこれらおよび他の態様について、カバレージ制限下でのランダムアクセス手順に関係する装置図、システム図、およびフローチャートによってさらに示し、それらを参照しながら説明する。
【００４８】
[0057]図１は、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。ワイヤレス通信システム１００は、ＵＥ１１５と基地局１０５との間の通信のためにＣＥ技法を利用し得、ＣＥを利用するＵＥ１１５のためのアクセス手順は、ＣＥなしのＵＥ１１５のためのアクセス手順とは異なり得る。いくつかの例では、ワイヤレス通信システム１００は、ロングタームエボリューション（ＬＴＥ）／ＬＴＥアドバンスト（ＬＴＥ−ａ）ネットワークであり得る。
【００４９】
[0058]基地局１０５は、１つまたは複数の基地局アンテナを介してＵＥ１１５とワイヤレス通信し得る。基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、または当業者によってそれらで呼ばれることがある。基地局１０５は、コアネットワーク１３０とおよび互いに通信し得る。たとえば、基地局１０５は、バックホールリンク１３２（たとえば、Ｓ１など）を通してコアネットワーク１３０とインターフェースし得る。基地局１０５は、バックホールリンク１３４（たとえば、Ｘ２など）を介して直接あるいは間接的に（たとえば、コアネットワーク１３０を通して）互いに通信し得る。基地局１０５は、ＵＥ１１５との通信のための無線構成およびスケジューリングを実施し得るか、または基地局コントローラ（図示せず）の制御下で動作し得る。いくつかの例では、基地局１０５は、マクロセル、スモールセル、ホットスポットなどであり得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。
【００５０】
[0059]ＵＥ１１５は、ワイヤレス通信システム１００全体にわたって分散され得、各ＵＥ１１５は固定またはモバイルであり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることがある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。
【００５１】
[0060]ＭＴＣデバイスであるＵＥ１１５は、自動化通信を提供し得、マシンツーマシン（Ｍ２Ｍ）通信またはＭＴＣを実装するデバイスを含み得る。Ｍ２ＭまたはＭＴＣは、デバイスが人間の介入なしに互いにまたは基地局１０５と通信することを可能にするデータ通信技術を指すことがある。たとえば、Ｍ２ＭまたはＭＴＣは、センサーまたはメーターを組み込んで情報を測定またはキャプチャし、その情報を利用することができる中央サーバまたはアプリケーションプログラムにその情報を中継するか、あるいはプログラムもしくはアプリケーションと対話する人間に情報を提示するデバイスからの通信を指すことがある。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金がある。ＭＴＣデバイスは、低減されたピークレートで半二重（一方向）通信を使用して動作し得る。ＭＴＣデバイスはまた、アクティブ通信に関与していないとき、電力節約「ディープスリープ」モードに入るように構成され得る。ＭＴＣおよび他の低コストまたは低複雑度ワイヤレスデバイスは、ＣＥ技法を使用して利用する（たとえば、送信または受信するか、あるいはその両方を行う）ように構成され得る。
【００５２】
[0061]ワイヤレス通信システム１００は、たとえば、低電力トランシーバで動作しているか、または高い干渉もしくは経路損失を経験している、セルエッジに位置するＵＥ１１５の通信リンク１２５の品質または信頼性を改善するために、ＣＥ技法を利用し得る。ＣＥ技法は、反復送信、送信時間間隔（ＴＴＩ）バンドリング、ハイブリッド自動再送要求（ＨＡＲＱ）再送信、ＰＵＳＣＨホッピング、ビームフォーミング、電力ブースティング、または他の技法を含み得る。使用されるＣＥ技法は、異なる状況におけるＵＥ１１５の固有の必要性に依存し得る。たとえば、ＴＴＩバンドリングは、冗長性バージョンを再送信する前に否定応答（ＮＡＣＫ）を待つのではなく、連続するＴＴＩのグループ中に、同じ情報の複数のコピーを送ることを伴い得る。これは、ボイスオーバーロングタームエボリューション（ＶｏＬＴＥ）またはＶＯＩＰ通信に関与しているユーザに効果的であり得る。他の場合には、ＨＡＲＱ再送信の数も増加され得る。アップリンクデータ送信は、周波数ダイバーシティを達成するために、周波数ホッピングを使用して送信され得る。特定の方向において信号の強度を増加させるためにビームフォーミングが使用され得、または単に送信電力が増加され得る。場合によっては、１つまたは複数のＣＥオプションが組み合わされ得、技法が信号を改善することが予想されるデシベル数に基づいてＣＥレベルが定義され得る（たとえば、ＣＥなし、５ｄＢ  ＣＥ、１０ｄＢ  ＣＥ、１５ｄＢ  ＣＥなど）。たとえば、第１のＣＥレベルは信号の５ｄＢ増加に対応し得、第２のＣＥレベルは１０ｄＢ増加に対応し得、以下同様である。各ＣＥレベルにおける増加された信号は、たとえば、増加された反復数、増加された送信電力、他のＣＥ技法、または上記の何らかの組合せによって達成され得る。
【００５３】
[0062]ワイヤレスネットワークにアクセスすることを試みるＵＥ１１５は、基地局１０５からの１次同期信号（ＰＳＳ）を検出することによって初期セル探索を実施し得る。ＰＳＳは、スロットタイミングの同期を可能にし得、物理レイヤ識別情報値を示し得る。ＵＥ１１５は、次いで、２次同期信号（ＳＳＳ）を受信し得る。ＳＳＳは、無線フレーム同期を可能にし得、セルを識別するための物理レイヤ識別情報値と組み合わされ得る、セル識別情報値を提供し得る。ＳＳＳはまた、複信モードおよびサイクリックプレフィックス長の検出を可能にし得る。時分割複信（ＴＤＤ）システムなど、いくつかのシステムは、ＳＳＳを送信するが、ＰＳＳを送信しないことがある。ＰＳＳとＳＳＳの両方は、それぞれ、キャリアの中心の６２個と７２個のサブキャリア中にあり得る。ＰＳＳとＳＳＳとを受信した後、ＵＥ１１５は、物理ブロードキャストチャネル（ＰＢＣＨ）中で送信され得る、マスタ情報ブロック（ＭＩＢ）を受信し得る。ＭＩＢは、システム帯域幅情報と、システムフレーム番号（ＳＦＮ）と、物理ＨＡＲＱインジケータチャネル（ＰＨＩＣＨ）構成とを含んでいることがある。ＭＩＢを復号した後、ＵＥ１１５は、１つまたは複数のシステム情報ブロック（ＳＩＢ）を受信し得る。たとえば、ＳＩＢ１は、セルアクセスパラメータと、他のＳＩＢのためのスケジューリング情報とを含んでいることがある。ＳＩＢ１を復号することは、ＵＥ１１５がＳＩＢ２を受信することを可能にし得る。ＳＩＢ２は、ランダムアクセスチャネル（ＲＡＣＨ）手順と、ページングと、物理アップリンク制御チャネル（ＰＵＣＣＨ）と、物理アップリンク共有チャネル（ＰＵＳＣＨ）と、電力制御と、ＳＲＳと、セル禁止とに関係する無線リソース制御（ＲＲＣ）構成情報を含んでいることがある。
【００５４】
[0063]初期セル同期を完了した後、ＵＥ１１５は、ネットワークにアクセスするより前にＭＩＢと、ＳＩＢ１と、ＳＩＢ２とを復号し得る。ＭＩＢは、ＰＢＣＨ上で送信され得、各無線フレームの第１のサブフレームの第２のスロットの最初の４つの直交周波数分割多元接続（ＯＦＤＭＡ）シンボルを利用し得る。それは、周波数領域中の中間の６つのリソースブロック（ＲＢ）（７２個のサブキャリア）を使用し得る。ＭＩＢは、ＲＢの期間中のダウンリンク（ＤＬ）チャネル帯域幅、ＰＨＩＣＨ構成（持続時間およびリソース割当て）、ならびにＳＦＮを含む、ＵＥ初期アクセスのための数個の重要な情報を搬送する。新しいＭＩＢは、４つの無線フレームごと（ＳＦＮ  ｍｏｄ  ４＝０）にブロードキャストされ、フレーム（１０ｍｓ）ごとに再ブロードキャストされる。各反復は、異なるスクランブリングコードでスクランブルされる。ＭＩＢ（新しいバージョンまたはコピーのいずれか）を読み取った後、ＵＥ１１５は、それが成功したサイクリック冗長検査（ＣＲＣ）検査を入手するまで、スクランブリングコードの異なる位相を試み得ることができる。スクランブリングコードの位相（０、１、２または３）は、ＵＥ１１５が、４つの反復のうちのどれが受信されたかを識別することを可能にし得る。
【００５５】
[0064]このようにして、ＵＥ１１５は、復号された送信中のＳＦＮを読み取り、スクランブリングコード位相を加算することによって、現在のＳＦＮを決定し得る。ＭＩＢを受信した後、ＵＥは１つまたは複数のＳＩＢを受信し得る。搬送されるシステム情報のタイプに従って異なるＳＩＢが定義され得る。新しいＳＩＢ１は、８つのフレームごと（ＳＦＮ  ｍｏｄ  ８＝０）の第５のサブフレーム中で送信され、１つおきのフレーム（２０ｍｓ）ごとに再ブロードキャストされ得る。ＳＩＢ１は、セル識別情報を含む、アクセス情報を含み、それは、ＵＥが基地局１０５のセルにキャンプオンすることを可能にされるかどうかを指示し得る。ＳＩＢ１はまた、セル選択情報（または、セル選択パラメータ）を含む。さらに、ＳＩＢ１は、他のＳＩＢのためのスケジューリング情報を含む。ＳＩＢ２は、ＳＩＢ１中の情報に従って動的にスケジュールされ得、共通および共有チャネルに関係するアクセス情報およびパラメータを含む。ＳＩＢ２の周期性は、８個、１６個、３２個、６４個、１２８個、２５６個または５１２個の無線フレームに設定され得る。場合によっては、追加のＳＩＢがＭＴＣデバイスのほうへ向けられ得、ＣＥレベル依存のＲＡＣＨ構成を含み得る。
【００５６】
[0065]ＵＥ１１５がＳＩＢ２（および、場合によっては、ＭＴＣ  ＳＩＢ）を復号した後、それは基地局１０５にＲＡＣＨプリアンブルを送信し得る。これはＲＡＣＨメッセージ１として知られていることがある。たとえば、ＲＡＣＨプリアンブルは、６４個の所定のシーケンスのセットからランダムに選択され得る。これは、基地局１０５が、システムに同時にアクセスすることを試みる複数のＵＥ１１５の間で区別することを可能にし得る。基地局１０５は、アップリンク（ＵＬ）リソース許可と、タイミングアドバンスと、一時的セル無線ネットワーク一時的識別情報（Ｃ−ＲＮＴＩ）とを与えるＲＡＲ、またはＲＡＣＨメッセージ２で応答し得る。ＵＥ１１５は、次いで、（ＵＥ１１５が、同じワイヤレスネットワークに前に接続されていた場合）一時的モバイル加入者識別情報（ＴＭＳＩ）またはランダム識別子とともに、ＲＲＣ接続要求、またはＲＡＣＨメッセージ３を送信し得る。ＲＲＣ接続要求はまた、ＵＥ１１５が、ネットワークに接続している理由（たとえば、緊急事態、シグナリング、データ交換など）を示し得る。基地局１０５は、新しいＣ−ＲＮＴＩを与え得る、ＵＥ１１５に宛てられた競合解消メッセージ、またはＲＡＣＨメッセージ４で接続要求に応答し得る。ＵＥ１１５が、正しい識別情報をもつ競合解消メッセージを受信した場合、ＵＥ１１５はＲＲＣセットアップを進め得る。ＵＥ１１５が競合解消メッセージを受信しない場合（たとえば、別のＵＥ１１５との競合がある場合）、ＵＥ１１５は、新しいＲＡＣＨプリアンブルを送信することによってＲＡＣＨプロセスを反復し得る。
【００５７】
[0066]場合によっては、ＵＥ１１５は、無線リンクが機能していないと決定し、無線リンク障害（ＲＬＦ）手順を開始し得る。たとえば、ＲＬＦ手順は、再送信の最大数に達したという無線リンク制御（ＲＬＣ）指示時に、最大数の同期外れ指示を受信するときに、またはＲＡＣＨ手順中の無線障害時にトリガされ得る。場合によっては（たとえば、同期外れ指示の限度に達した後）、ＵＥ１１５は、タイマーを開始し得、しきい値数の同期中指示が受信されるかどうかを決定するために待機し得る。タイマーの満了の前に同期中指示の数がしきい値を上回る場合、ＵＥ１１５はＲＬＦ手順を中止し得る。そうでない場合、ＵＥ１１５は、ネットワークへのアクセスを回復するためにＲＡＣＨ手順を実施し得る。ＲＡＣＨ手順は、Ｃ−ＲＮＴＩと、セル識別（ＩＤ）と、セキュリティ検証情報と、再確立の原因とを含む、ＲＲＣ接続再確立要求を送信することを含み得る。要求を受信した基地局１０５は、ＲＲＣ接続再確立メッセージまたはＲＲＣ接続再確立拒否のいずれかで応答し得る。ＲＲＣ接続再確立メッセージは、ＵＥ１１５用のシグナリング無線ベアラ（ＳＲＢ）を確立するためのパラメータ、ならびにセキュリティ鍵を生成するための情報を含んでいることがある。ＵＥ１１５は、ＲＲＣ接続確立メッセージを受信すると、新しいＳＲＢ構成を実装し得、ＲＲＣ接続再確立完了メッセージを基地局１０５に送信し得る。
【００５８】
[0067]上述のように、ワイヤレス通信システム１００は、ＬＴＥシステムであり得、ＤＬ上ではＯＦＤＭＡを利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ）個の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。ＭＴＣデバイズ（devise）は、電力を節約するために通信用のワイヤレスキャリアのサブセットを利用し得る。たとえば、いくつかのＵＥ１１５は、単一の６つの物理リソースブロック（すなわち、１．０８ＭＨｚ）サブバンドを使用して狭帯域送信および受信をサポートし得る。
【００５９】
[0068]ＵＥ１１５は、干渉を緩和し、ＵＬデータレートを改善し、バッテリー寿命を延長するために、送信電力をサービング基地局１０５と協調させ得る。アップリンク電力制御は、開ループ機構と閉ループ機構との組合せを含み得る。開ループ電力制御では、ＵＥ送信電力は、ダウンリンク経路損失の推定値とチャネル構成とに依存する。ネットワークが明示的電力制御コマンドを使用してＵＥ送信電力を直接制御することができる、閉ループ電力制御では。初期アクセスのためには開ループ電力制御が使用され得るが、ＵＬ制御およびデータ送信のためには開ループ制御と閉ループ制御の両方が使用され得る。ＵＥ１１５は、最大送信電力限界と、ターゲット基地局受信電力と、経路損失と、変調およびコーディング方式（ＭＣＳ）と、送信のために使用されるリソースの数と、送信されるデータのフォーマット（たとえば、物理ＵＬ制御チャネル（ＰＵＣＣＨ）フォーマット）とを考慮に入れるアルゴリズムを使用して電力を決定し得る。電力調整は、適宜にＵＥ１１５の送信電力を増分的に調整し得る、送信電力コマンド（ＴＰＣ）メッセージを使用して基地局１０５によって行われ得る。場合によっては、ＵＥ１１５は、基地局のターゲット受信電力に基づいてＣＥレベルを決定し得る。
【００６０】
[0069]ワイヤレス通信システム１００は、１つまたは複数の拡張コンポーネントキャリア（ｅＣＣ）を利用し得る。拡張コンポーネントキャリア（ｅＣＣ）は、フレキシブル帯域幅と、様々なＴＴＩと、修正制御チャネル構成とを含む特徴によって特徴付けられ得る。場合によっては、ｅＣＣは、キャリアアグリゲーション（ＣＡ）構成またはデュアル接続性構成（たとえば、複数のサービングセルが準最適なバックホールリンクを有するとき）に関連し得る。ｅＣＣはまた、（たとえば、２つ以上の事業者がスペクトルを使用することを認可された場合）無認可スペクトルまたは共有スペクトルにおいて使用するために構成され得る。フレキシブル帯域幅によって特徴付けられるｅＣＣは、全帯域幅を監視することが可能でないか、または（たとえば、電力を節約するために）限られた帯域幅を使用することを選好するＵＥ１１５によって利用され得るセグメントを含み得る。
【００６１】
[0070]場合によっては、ｅＣＣは、他のコンポーネントキャリア（ＣＣ）のＴＴＩと比較して低減されるかまたは可変のシンボル持続時間の使用を含み得る、他のＣＣとは異なるＴＴＩ長を利用し得る。シンボル持続時間は、場合によっては同じままであり得るが、各シンボルは別個のＴＴＩを表し得る。いくつかの例では、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。場合によっては、より短いシンボル持続時間は、増加されたサブキャリア間隔にも関連し得る。低減されたＴＴＩ長と併せて、ｅＣＣは、動的な時分割複信（ＴＤＤ）動作を利用し得る（すなわち、それは、動的条件に従って短いバーストのためにＤＬ動作からＵＬ動作に切り替わり得る）。
【００６２】
[0071]フレキシブル帯域幅および可変ＴＴＩは変更制御チャネル構成に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブル帯域幅使用に適応するために周波数分割多重化（ＦＤＭ）スケジューリングを利用し得る。他の制御チャネル修正は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、修正されたまたは追加のＨＡＲＱ関連制御情報をも含み得る。
【００６３】
[0072]したがって、ＵＥ１１５は、チャネル状態またはＵＥカテゴリーなど、カバレージ制限に基づいてＣＥレベルを選択し得る。ＵＥ１１５は、次いで、ＣＥレベルおよび対応する物理ランダムアクセスチャネルＰＲＡＣＨ構成のインデックスを示すシステム情報を基地局１０５から受信し得、ＵＥ１１５は、選択されたＣＥレベルのＰＲＡＣＨ構成を使用してランダムアクセスプリアンブルを送信し得る。たとえば、ＵＥ１１５は、選択されたＣＥレベルに対応する周波数オフセットに基づいてプリアンブルを送信し得る。場合によっては、ＵＥ１１５および基地局はまた、プリアンブルのグループをＤＬ  ＣＥレベルに関連付け得る。ＵＥ１１５は、ＲＡＲメッセージのための所望のＤＬ  ＣＥレベルに対応するプリアンブルをグループから選択し得る。基地局１０５は、プリアンブルがそれから選択されたグループに基づいてＤＬ  ＣＥレベルを決定し、相応に応答し得る。
【００６４】
[0073]図２は、本開示の様々な態様による、カバレージ制限下でのランダムアクセス手順をサポートするワイヤレス通信システム２００の一例を示す。ワイヤレス通信システム２００は、図１を参照しながら説明したＵＥ１１５と基地局１０５との例であり得る、ＵＥ１１５−ａと基地局１０５−ａとを含み得る。ＵＥ１１５−ａは、低コスト（たとえば、低複雑度）デバイスまたはＭＴＣデバイスであり得、基地局１０５−ａとの通信のためにＣＥ技法を利用し得る。特に、ＵＥ１１５−ａは、ＵＬ  ＣＥレベルに基づいてＲＡＣＨ手順を使用し得る。たとえば、ＵＥ１１５−ａは、ＣＥレベルに基づく構成を使用してＵＬキャリア２０５上でＲＡＣＨプリアンブルを送信し得、ＵＬ  ＣＥレベルとは異なり得る選択されたＤＬ  ＣＥレベルに基づいてＤＬキャリア２１０上でＲＡＲを受信し得る。
【００６５】
[0074]ＲＡＣＨ手順は、異なるＣＥレベル（たとえば、ＣＥ０、ＣＥ１、ＣＥ２、またはＣＥ３によって示される４つのレベル）に従って別様に実施され得る。たとえば、アクセス手順（たとえば、ＲＡＣＨ手順）中に、ＵＥ１１５−ａは、ＣＥレベルに応じて異なる時間および周波数リソースを使用し得る。別の例として、異なるプリアンブルグループが、各領域内の異なるＣＥレベルに割り当てられ得る。さらに、ＵＥ１１５−ａに宛てられたＲＡＲが送信され得、バンドリングまたは反復の複数のレベルをサポートし得る。ＲＡＣＨ手順に後続する送信は、バンドリングまたは反復の他の異なるレベルを使用し得る。
【００６６】
[0075]ＰＲＡＣＨ手順は、電力およびＣＥレベルランプアップをさらに含み得る。メッセージ２（すなわち、ＲＡＲ手順）は、スケジューリング手順、ＣＥレベル決定、ＲＡ−ＲＮＴＩ決定、および応答ウィンドウを含み得る。メッセージ３、（すなわち、ＲＲＣ接続セットアップ）手順は、非同期ＨＡＲＱサポートおよび競合解消を含み得る。
【００６７】
[0076]ＰＲＡＣＨリソースは、ＭＴＣデバイスのためのＰＲＡＣＨ構成インデックスリストを使用してシグナリングされ得る。場合によっては、ＰＲＡＣＨ構成インデックスリストはＭＴＣ  ＳＩＢ中でブロードキャストされ得る。場合によっては、ＭＴＣ  ＳＩＢはユニキャストされ得る。構成インデックスリストは、各サポートされるＣＥレベルのための構成インデックスを含んでいることがある。そのリストはまた、特定のレベルを選ぶ（picking）ための電力限定または基準信号受信電力（ＲＳＲＰ）しきい値と、ＣＥレベルごとの初期ＰＲＡＣＨターゲット電力とを示し得る。各インデックスは、対応するＰＲＡＣＨ構成テーブルにマッピングし得る。ＦＤＤおよびＴＤＤのための別個のテーブルと、各ＣＥレベルのための別個のテーブルと、各ＣＥレベルのための別個のＰＲＡＣＨ周波数オフセットとがあり得る。追加または代替として、ＵＥ１１５のいくつかのタイプのために、特定のデフォルトＰＲＡＣＨ構成インデックス（またはＣＥレベル）がブロードキャストされ得る。たとえば、低複雑度デバイスであり得る、ウェアラブルデバイスは、増加されたレートにおいてアクセスおよびモビリティ手順を実施するためにあらかじめ定義されたＣＥレベルを使用し得る。
【００６８】
[0077]ＰＲＡＣＨ  ＣＥのためのリソース多重化は複数の無線フレームにわたり得る。これは、ＴＤＭＡとＦＤＭの両方のフレキシビリティを増加させ得る。ＰＲＡＣＨリソースは、ＣＥレベルおよび構成インデックスに基づいて割り振られ得る。たとえば、構成インデックスは、ＰＲＡＣＨの狭帯域領域を示す、開始サブフレームと、周期性およびオフセット（たとえば、反復またはＴＴＩオフセットとの間の時間）と、持続時間（たとえば、ＴＴＩの数）と、周波数オフセットとを含み得る。たとえば、あるＣＥレベルのための周波数オフセットは、ＣＥレベルのために割り振られた複数の狭帯域領域に対応し得る。このようにして、いくつかのＣＥレベルに割り当てられたリソースは、他のＣＥレベルに割り当てられたリソースとは別々または別個であり得る。
【００６９】
[0078]ＵＥ１１５−ａは、競合ベース手順に基づいてＰＲＡＣＨリソースを選択し得る。たとえば、ＵＥ１１５−ａは、ＰＲＡＣＨ  ＣＥレベルを決定し、ＣＥレベルに基づいてＰＲＡＣＨ構成インデックスを選択し、ＰＲＡＣＨ構成インデックスリストを形成し得る。ＵＥ１１５−ａは、選択されたＰＲＡＣＨ構成インデックスに基づいてＰＲＡＣＨのために利用可能な第１のサブフレームを識別し得る。選択されたＰＲＡＣＨ構成インデックスは、ＵＥ１１５−ａにとって利用可能な時間および周波数リソースを通信し得る。ＵＥ１１５−ａは、さらに、ＵＥ１１５−ａにとって利用可能な時間および周波数リソースのサブセットである時間および周波数リソースを通信し得るＰＲＡＣＨマスクインデックスを受信し得る。ＵＥ１１５−ａは、さらに、レイヤ１（Ｌ１、物理レイヤ）タイミング要件（たとえば、測定ギャップ発生）に基づいて利用可能な第１のサブフレームを決定し得る。上記の決定に従って複数のＰＲＡＣＨ構成がＵＥ１１５−ａにとって利用可能である場合、ＵＥ１１５−ａはランダムにＰＲＡＣＨを選び得る。代替的に、ＵＥは、基地局によって、ＣＥ、ＰＲＡＣＨ構成インデックス、ＰＲＡＣＨマスクインデックス、および周波数オフセットを明示的に与えられ得る。
【００７０】
[0079]ＵＥ１１５−ａはまた、送信電力レベルとともにＵＬ、またはＰＲＡＣＨ、ＣＥレベルを決定し得る。場合によっては、ＵＥは、初期ＰＲＡＣＨ  ＣＥレベル（たとえば、ＣＥ０）を仮に（tentatively）選択し得る。代替的に、ＵＥは、基地局からの明示的ＣＥレベルシグナリングに基づいて、基地局からブロードキャストされた経路損失（ＰＬ）またはＲＳＲＰしきい値に基づいて、最後の成功したＲＡＣＨのＣＥレベルに基づいて、あるいはプリアンブルフォーマットに基づいて（たとえば、対応するデルタプリアンブルパラメータに応じて）ＣＥレベルを選び得る。ＵＥ１１５−ａは、ＣＥレベルに対応する構成インデックスを選択し、暫定的な（tentative）ＰＲＡＣＨ送信に関連する時間および周波数ロケーションを決定し得る。ＵＥ１１５−ａは、次いで、プリアンブルを選定し、プリアンブル受信ターゲット電力を計算し得る。ターゲット電力は、ＰＲＡＣＨ  ＣＥレベルの初期ターゲット電力と、プリアンブルフォーマットと、これまでのプリアンブル送信の数と、電力ランピングステップとに基づき得る。ＵＥ１１５−ａは、ＰＬ推定値に基づいてターゲットＰＲＡＣＨ送信電力を計算し得る。ターゲットＰＲＡＣＨ送信電力レベルが最大しきい値を超える場合、ＵＥ１１５−ａは、次のより高いＰＲＡＣＨ  ＣＥレベルを選択し、上記のプロセスを反復し得る。
【００７１】
[0080]ＤＬ  ＣＥレベルおよびＵＬ  ＣＥレベルは、チャネル状態に基づいて異なり得る。場合によっては、プリアンブルは正常に受信され得るが、ＲＡＲは正常に受信されないことがある。ＵＥ１１５−ａは、プリアンブル中に基地局に対してＤＬ  ＣＥレベルを識別し得る。基地局１０５−ａは、ＤＬ  ＣＥレベルごとにプリアンブルグループを構成し得、ＵＥ１１５−ａは、ＤＬ  ＣＥレベルのそれの推定値に基づいてプリアンブルグループを選択し得る。このようにして、基地局１０５−ａは、あるＵＥのためにどのＤＬ  ＣＥレベルが使用され得るかを識別し得る。場合によっては、ＰＲＡＣＨ  ＣＥレベルが増加された場合、ＤＬ  ＣＥレベルは増加され得る。ＵＥ１１５−ａは、無競合アクセス（contention free access）のために基地局１０５−ａが使用すべきプリアンブルを明示的にシグナリングされ得る。代替的に、競合ベースアクセスでは、ＵＥ１１５−ａは、そのＤＬ  ＣＥレベル推定値のうちの１つまたは複数に基づいてプリアンブルグループを決定し得る。
【００７２】
[0081]ＤＬ  ＣＥレベル推定値は、明示的基地局シグナリング、ＤＬ信号測定値およびしきい値との比較、またはＰＲＡＣＨ  ＣＥレベル推定値に基づいて決定され得る。しきい値は基地局１０５−ａによってシグナリングされ得、比較は、シグナリングされた基準ＤＬ送信フォーマットに基づき得る。プリアンブルグループを決定した後、ＵＥ１１５−ａはプリアンブルをランダムに選択し得る。進行中のＲＡＣＨ手順について、ＵＥ１１５−ａが前のＰＲＡＣＨ障害によりＰＲＡＣＨ  ＣＥレベルを増加させた場合、それはＤＬ
ＣＥレベル推定値をも増加させ得る。したがって、ＵＥ１１５−ａは、ＤＬ  ＣＥレベル推定値に対応する進行中のＲＡＣＨ手順のために新しいプリアンブルを選択し得る。
【００７３】
[0082]ＵＥ１１５−ａは、いくつかの例では、狭帯域リソースを使用するが、ＣＥを必要としない低コストまたは低複雑度ＵＥであり得る。そのような場合、ＵＥ１１５−ａは、ＣＥ０に対応するＰＲＡＣＨリソースと、ＤＬ  ＣＥ０に対応するプリアンブルとを選択し得る。代替的に、基地局１０５−ａは、ＰＲＡＣＨ構成インデックスリストによって識別される、ＰＲＡＣＨのために使用される周波数および時間リソースに基づいて、ＵＥ１１５−ａのためのＤＬ  ＣＥレベルを決定し得る。
【００７４】
[0083]場合によっては、メディアアクセス制御（ＭＡＣ）プリアンブル送信カウンタが、ＰＲＡＣＨ電力ランピングおよび障害検出（failure detection）を可能にするように働き（serve）得る。プリアンブルカウンタが、ＲＲＣによって構成されたしきい値を超えるとき、ランダムアクセス障害が（たとえば、ＰＣｅｌｌまたはＰＵＣＣＨ対応ＳＣｅｌｌ上の）上位レイヤに示され得る。場合によっては、各ＰＲＡＣＨ  ＣＥ送信は、プリアンブルカウンタの目的で単一の送信としてカウントする。
【００７５】
[0084]ＲＡＣＨ手順は、いくつかの例では、複数のＣＥにわたり得る。そのような場合、プリアンブルカウンタのための単一のしきい値構成が使用され得るか、あるいはＣＥレベルごとに異なるしきい値が使用され得るかのいずれかである。単一のしきい値が使用される場合、より高いＰＲＡＣＨ  ＣＥレベルを進行中のＲＡＣＨのために選択するとき、ＵＥ１１５−ａはプリアンブルカウンタをリセットし得る。これにより、たとえば、ＵＥ１１５−ａが極めて低いＰＲＡＣＨ  ＣＥレベルで開始した場合、ＵＥ１１５−ａがあまりに早くＲＡＣＨ問題を宣言するのを防止され得る。代替的に、より大きい最大しきい値（たとえば、すべてのＰＲＡＣＨ  ＣＥレベルにわたる総しきい値）が構成され得る。複数のしきい値が使用される場合、ＵＥ１１５−ａは、特定のＰＲＡＣＨ  ＣＥレベルのための最大プリアンブルしきい値に達することに基づいて、あるいはすべてのＰＲＡＣＨ  ＣＥレベルにわたる総しきい値に達することによってＲＬＦを宣言し得る。
【００７６】
[0085]場合によっては、ＵＥ１１５−ａは、基地局１０５−ｂがＲＡＲのために使用することになるＤＬ  ＣＥレベルを決定することを試み得る。ＵＥ１１５−ａは、適切なまたは好ましいＤＬ  ＣＥレベルを推定し、それのランダムアクセスプリアンブルによってそのレベルを示し得る。すなわち、基地局１０５−ａは、ＤＬ  ＣＥレベル推定値とプリアンブルのグループとの間のマッピングをシグナリングし得る。基地局１０５−ａはまた、ターゲットエラーレート、変調およびコーディング方式（ＭＣＳ）、ターゲットビットレート、リソースブロックの数など、ＤＬ  ＣＥレベルを推定するのに有用であり得るパラメータをシグナリングし得る。ＵＥ１１５−ａは、次いで、プリアンブルのそれの選定によって示されるＤＬ  ＣＥレベルに基づいてＲＡＲを復号することを試み得る。代替的に、ＵＥ１１５−ａは、複数のＣＥレベルを使用して応答を復号することを試み得る。場合によっては、基地局１０５−ａはまた、複数のＣＥレベルにおいて応答を送信し得る。場合によっては、監視するための１つまたは複数のあらかじめ定義された時間間隔は、ランダムアクセスメッセージの選択されたプリアンブルフォーマットに基づき得る。いくつかの例では、監視するための１つまたは複数のあらかじめ定義された時間間隔は、ランダムアクセスメッセージの選択されたプリアンブルフォーマットのＣＥレベルに少なくとも部分的に基づく。
【００７７】
[0086]ＲＡＲの周波数ロケーションはプリアンブルグループに依存し得る。基地局１０５−ａは、周波数ロケーションへのグループのマッピングをブロードキャストし得る。場合によっては、グループは、応答のための制御およびデータリソースを決定し得る。他の場合には、グループは制御ロケーションを決定し得、制御はデータロケーションを示し得る。
【００７８】
[0087]このようにして、ＲＡＲスケジューリングは、いくつかの方法のうちの１つで達成され得る。まず、応答は動的にスケジュールされ得る。たとえば、応答を受信するための複数のウィンドウが構成され得る。ウィンドウのサイズはＣＥレベルに依存し得る（たとえば、ＣＥレベルが大きいほど、ウィンドウは長い）。ＵＥ１１５−ａは、それがＲＡＲを復号するかまたはウィンドウが満了するまで、対応するＣＥレベルウィンドウ中にＲＡＲ  ＤＬ制御についてブラインドで監視し得る。ウィンドウが満了した場合、ＵＥ１１５−ａはアクセスを再び試み得る。場合によっては、ＵＥ１１５−ａは、選定されたプリアンブルに基づいてウィンドウを決定し得、基地局１０５−ａも、プリアンブルが検出されるとウィンドウを決定し得る。場合によっては、１つまたは複数のウィンドウ（たとえば、監視するためのあらかじめ定義された時間間隔）は、ブロードキャストシグナリングに基づいて決定される。ＤＬ制御が見つけられると、ＵＥ１１５−ａは、ＤＬ制御中のデータスケジューリング情報を介してＲＡＲを取得し得る。
【００７９】
[0088]代替的に、ＲＡＲは、ＵＥ１１５−ａによって知られている所定のリソース上で行われ得る。あらかじめ定義されたＲＡＲリソースが基地局１０５−ａによって構成されるか、または何らかの他の様式で指定され得る。これは、ＲＡＲメッセージのための固定フォーマット（すなわち、固定の変調およびコーディング方式（ＭＣＳ）、トランスポートブロックサイズ（ＴＢＳ）、または物理リソースブロック（ＰＲＢ）の数）を伴い得る。別の代替形態として、ＲＡＲ制御は固定リソース上で送られ得、制御は、ＲＡＲのためのデータリソースを動的にスケジュールし得る。
【００８０】
[0089]動的スケジューリングが使用される場合、いくつかの例では、対応するコントロールは、無線フレーム内のＰＲＡＣＨリソースの時間または周波数オケージョンに基づき得る、特定のＲＡ−ＲＮＴＩにアドレス指定され得る。これは、同じＰＲＡＣＨ上で異なるプリアンブルを選択するＵＥ１１５が、同じランダムアクセスＲＮＴＩ（ＲＡ−ＲＮＴＩ）を有し、同じＲＡＲを復号し得ることを意味する。とはいえ、いくつかの例では、ＣＥレベルに基づくＲＡＲでは、異なるプリアンブルグループを選択するＵＥ１１５は、同じＰＲＡＣＨ構成を選択する場合でも、異なるＲＡ−ＲＮＴＩを与えられ得る。その結果、ＵＥ１１５−ａは、それが異なるプリアンブルグループを選択した場合、進行中のＲＡＣＨ手順中にＲＡ−ＲＮＴＩを変更することもある。したがって、ＰＲＡＣＨの時間および周波数ロケーションに加えて、基地局１０５−ａおよびＵＥ１１５−ａは、ＲＡ−ＲＮＴＩを導出するためにプリアンブルグループを使用し得る。
【００８１】
[0090]ＲＡＲを受信した後、ＵＥ１１５−ａは、ＲＲＣ接続要求（ＲＡＣＨメッセージ３）を送信し得る。場合によっては、接続要求は非同期ＨＡＲＱのみ（すなわち、ＰＨＩＣＨなし）をサポートし得る。接続要求の再送信は、ＤＬ制御を介して十分にスケジュールされ得る。制御スケジューリング情報（ＤＬ  ＣＥ、周波数ロケーション）を決定するためにいくつかの方法が使用され得る。プリアンブルを送信するために使用されたのと同じ構成が使用され得るか、方法はＲＡＲと同じで得るか、あるいは制御メッセージの代わりに（すなわち、前に受信されたＲＡＲ許可情報を使用する）周期的送信が使用され得るかのいずれかである。再送信は、競合解消メッセージ（contention resolution message）を受信するまで、最大数の再送信が試みられるまで、またはタイマーが満了するまで行われ得る。場合によっては、異なるＣＥレベルのために異なる競合解消タイマーが使用され得る。場合によっては、１つまたは複数のさらなる応答メッセージについて監視し続けるための指示がＲＡＲ中で受信され得る。
【００８２】
[0091]図３は、本開示の様々な態様による、カバレージ制限下でのランダムアクセス手順をサポートするプリアンブルリソースオフセット構成３００の一例を示す。プリアンブルリソースオフセット構成３００は、図１〜図２を参照しながら上記で説明したように、ＵＥ１１５と基地局１０５との間の送信の態様を示し得る。プリアンブルリソースオフセット構成３００は、ＵＬ  ＣＥ１リソース３１０、ＣＥ２リソース３１５、およびＣＥ３リソース３２０など、リソースを異なるＣＥレベルに割り振り得る。プリアンブルリソースオフセット構成３００は、各サブフレーム３２５中にリソース要素３０５を割り振り得る。割り振られたリソースは、ＵＥ１１５から基地局１０５へのアップリンク送信のために使用され得る。
【００８３】
[0092]いくつかの例では、基地局１０５はＰＲＡＣＨ構成インデックスリストを生成し得る。基地局１０５は、このリストを専用ＳＩＢ中でＵＥ１１５にブロードキャストし得る。このリストは、各サポートされるＣＥレベルのための少なくとも１つの構成インデックスを含んでいることがある。このリストは、ＣＥレベルを選ぶためのしきい値と、ＣＥレベルごとの初期ＰＲＡＣＨターゲット電力とをさらに示し得る。各インデックスは、ＦＤＤのためのテーブルと、ＴＤＤのためのテーブルと、各ＣＥレベルのためのテーブルと、各ＣＥレベルのためのＰＲＡＣＨ周波数オフセットとを含み得る、対応するＰＲＡＣＨ構成テーブルにマッピングし得る。基地局１０５は、さらに、ＵＥ１１５のいくつかのタイプ（たとえば、ウェアラブルデバイス）のためにデフォルトＰＲＡＣＨ構成インデックスをブロードキャストし得る。ＰＲＡＣＨ構成インデックスに基づいてＰＲＡＣＨリソースがＵＥ１１５に割り振られ得る。ＰＲＡＣＨリソースは複数の無線フレームにわたり得る。ＰＲＡＣＨリソースは、ＰＲＡＣＨインデックスとＣＥレベルとに基づいて割り振られ得、ＰＲＡＣＨの狭帯域領域を示す、周波数オフセットと、持続時間（たとえば、ＴＴＩの数）と、周期性（たとえば、いくつの反復か）およびオフセット（たとえば、サブフレーム中の開始ＴＴＩ）と、開始サブフレームインジケータとを使用して示され得る。場合によっては、ＣＥレベルのために複数の狭帯域領域が示されることがある。
【００８４】
[0093]したがって、リソースは、ＣＥレベルに基づいて周波数領域と時間領域との中に割り振られ得る。たとえば、ＵＬ  ＣＥ１リソース３１０とＵＬ  ＣＥ２リソース３１５とは周波数領域中で多重化され得、一方、ＣＥ３リソース３２０は時間領域中で多重化され得る。ＣＥリソースの各セットは、ＣＥレベルと、ある送信方式とに対応し得る。たとえば、ＵＬ  ＣＥ１リソース３１０は、ＵＬ  ＣＥ２リソース３１５およびＣＥ３リソース３２０よりも少数のリソースを使用し得る。別の例では、ＵＬ  ＣＥ１リソース３１０は、ＵＬ  ＣＥ２リソース３１５およびＣＥ３リソース３２０よりも高い反復レベルにおける送信であり得る。
【００８５】
[0094]ＵＥ１１５は、ＣＥレベルを決定し、ＰＲＡＣＨリソース割振りに従ってＰＲＡＣＨ手順を実施し得る。たとえば、ＵＥ１１５の第１のセットはＣＥ１に関連し得る。これらのＵＥ１１５はＵＬ  ＣＥ１リソース３１０を使用し得、ここで、各ＵＥ１１５は、示された（indicated）周波数オフセットに基づいてＣＥ１リソース３１０を選定し得る。ＵＥは、次いで、ＲＡＣＨ手順のためのプリアンブルを送信するためにリソースを使用し得る。同様に、ＣＥ２に関連する、ＵＥ１１５の第２のセットは、ＵＬ  ＣＥ２リソース３１５を使用し得る。各ＵＥ１１５は、示された周波数オフセットに基づいてＣＥ２リソース３１５を選定し得る。ＵＥ１１５の第３のセットは、ＣＥ３に関連し得、したがってＣＥ３リソース３２０を選定し得る。各リソースのセットの冗長バージョンが、複数のサブフレームにわたって送信され得る。
【００８６】
[0095]図４Ａは、本開示の様々な態様による、カバレージ制限下でのランダムアクセス手順をサポートするＲＡＲスケジューリング構成４００−ａの一例を示す。ＲＡＲスケジューリング構成４００−ａは、図２を参照しながら説明した動的ＲＡＲスケジューリング構成を示し得る。動的（Dynamic）スケジューリングは、ＲＡＲのロケーションを識別するために制御候補のブラインド復号を伴い得る。ＲＡＲスケジューリング構成４００−ａの態様は、本明細書で説明するようにＵＥ１１５および基地局１０５によって利用され得る。
【００８７】
[0096]ＲＡＲスケジューリング構成４００−ａは、２つの異なるＵＬ  ＣＥレベルと、２つの異なるＤＬ（すなわち、ＲＡＲ）ＣＥレベルとのためのスケジューリングを示している。ＵＬ  ＣＥ１リソース３１０−ａおよびＵＬ  ＣＥ２リソース３１５−ａは、ＵＬ
ＲＡＣＨ領域４０１中のリソースを使用してＵＬプリアンブル送信のためにスケジュールされ、図３において説明したＵＬ  ＣＥ１リソース３１０およびＵＬ  ＣＥ２リソース３１５の例であり得る。基地局１０５は、ＲＡＲメッセージでＵＥ１１５から送られたプリアンブルに応答し得る。ＤＬ  ＣＥ１制御リソース４１０、ＤＬ  ＣＥ２制御リソース４１５、およびＣＥ１共有リソース４２５、およびＣＥ２共有リソース４３０は、融合した（fused）ＤＬリソースまたはＲＡＲメッセージの受信であり得る。
【００８８】
[0097]ＵＥ１１５は、上記で説明したようにＵＬ  ＣＥレベルを決定し得る。しかしながら、ＲＡＲメッセージの成功した受信のために使用されるＤＬ  ＣＥレベルは、ＵＬ  ＣＥレベルとは異なり得る。たとえば、ＵＥ１１５は、基地局１０５に対して指示し、１つのＣＥレベル構成を使用して（たとえば、ＵＬ  ＣＥ１リソース３１０−ａまたはＵＬ
ＣＥ２リソース３１５−ａのいずれかを使用して）プリアンブルを送信し得、その特定のＤＬ  ＣＥレベルに関連するグループからプリアンブルを選択することによって所望のＤＬ  ＣＥレベルを示し得る。ある場合には、ＵＥ１１５は、ＵＬ  ＣＥレベルに基づいて所望のＤＬ  ＣＥレベルを推定する。ＵＥ１１５は、次いで、選定されたプリアンブルを送信し、それにより、選択されたＤＬ  ＣＥレベル（たとえば、ＤＬ  ＣＥレベル１またはＤＬ  ＣＥレベル２）を基地局１０５に示し得る。基地局１０５は、次いで、ＤＬ  ＣＥ１制御リソース４１０またはＤＬ  ＣＥ２制御リソース４１５を使用して、制御領域４０５を使用するＵＥ１１５のセットに制御メッセージを送信し得る。
【００８９】
[0098]ＵＥ１１５は、選択されたＤＬ  ＣＥレベルに基づいてＲＡＲ制御リソースについての探索空間（search space）を決定し得る。たとえば、ＤＬ  ＣＥ１を選択したＵＥ１１５は、第１のウィンドウ４０６中にＣＥ１制御リソース４１０（たとえば、制御メッセージ）を探している候補をブラインド復号し得る。ＤＬ  ＣＥ２制御リソース４１５を正常に（successfully）復号した後、ＵＥ１１５は、制御情報に基づいてデータ領域４２０を使用して、対応するＣＥ２共有リソース４３０を復号し得る。ＣＥレベル２に関連するＵＥ１１５は、データ領域４２０中のどこでＲＡＲメッセージを見つけるべきかを決定するために、第２のウィンドウ４０７中にＣＥ２制御リソース４１５上の制御メッセージを同様に探索し得る。ＵＥ１１５は、したがって、推定されたＤＬ  ＣＥレベルに基づいてＲＡＲの制御部分を復号し得、ＵＥ１１５は、ランダムアクセス応答の制御部分に基づいて、示されたＣＥレベルを識別し得る。ＵＥ１１５は、示されたＣＥレベルに基づいてＲＡＲのデータ部分を復号し得る。
【００９０】
[0099]図４Ｂは、本開示の様々な態様による、カバレージ制限下でのランダムアクセス手順をサポートするＲＡＲスケジューリング構成４００−ｂの一例を示す。ＲＡＲスケジューリング構成４００−ｂは、図２を参照しながら説明した固定ＲＡＲスケジューリング構成を示し得る。固定スケジューリングは、プリアンブル構成に基づいてＲＡＲの送信のために割り振られた所定のリソースを伴い得、制御メッセージの使用に依拠しないことがある。ＲＡＲスケジューリング構成４００−ｂの態様は、本明細書で説明するようにＵＥ１１５および基地局１０５によって利用され得る。
【００９１】
[0100]ＲＡＲスケジューリング構成４００−ｂは、２つの異なるＵＬ  ＣＥレベルと、単一のＤＬ  ＣＥレベルとのためのスケジューリングを示している。ＵＬ  ＣＥ１リソース３１０−ｂおよびＵＬ  ＣＥ２リソース３１５−ｂは、ＵＬ  ＲＡＣＨ領域４０１−ａ中のリソースを使用してＵＬプリアンブル送信のためにスケジュールされ得、図３において説明したＵＬ  ＣＥ１リソース３１０およびＵＬ  ＣＥ２リソース３１５の例であり得る。基地局１０５は、データ領域４２０−ａ内の固定リソース４３５を使用して、ＲＡＲメッセージでＵＥ１１５から送られたプリアンブルに応答し得る。ＲＡＲメッセージのために使用されるＤＬ  ＣＥレベルは固定であり得るが、ＵＬ  ＣＥレベルとは異なり得る。場合によっては、異なる固定リソース４３５が異なるＵＬまたはＤＬ  ＣＥレベル（図示せず）のために使用され得る。いくつかの例では、ＲＡＲは、メッセージが正常に復号される前（たとえば固定リソース４３５−ａおよび４３５−ｂを使用して）所与の周期性で複数回送信され得る。
【００９２】
[0101]図４Ｃは、本開示の様々な態様による、カバレージ制限下でのランダムアクセス手順をサポートするＲＡＲスケジューリング構成４００−ｃの一例を示す。ＲＡＲスケジューリング構成４００−ｃは、図２を参照しながら説明した固定制御ＲＡＲスケジューリング構成を示し得る。ＲＡＲスケジューリング構成４００−ｃの態様は、本明細書で説明するようにＵＥ１１５および基地局１０５によって利用され得る。
【００９３】
[0102]ＲＡＲスケジューリング構成４００−ｃは、２つの異なるＵＬ  ＣＥレベルと、単一のＤＬ  ＣＥレベルとのためのスケジューリングを示している。ＵＬ  ＣＥ１リソース３１０−ｃおよびＵＬ  ＣＥ２リソース３１５−ｃは、ＵＬ  ＲＡＣＨ領域４０１−ｂ中のリソースを使用してＵＬプリアンブル送信のためにスケジュールされ得、図３において説明したＵＬ  ＣＥ１リソース３１０およびＵＬ  ＣＥ２リソース３１５の例であり得る。基地局１０５は、制御領域４０５−ａ内の固定制御リソース４１０を使用して、ＲＡＲ制御メッセージでＵＥ１１５から送られたプリアンブルに応答し得る。ＲＡＲ制御メッセージのために使用されるＤＬ  ＣＥレベルは固定であり得るが、ＵＬ  ＣＥレベルとは異なり得る。場合によっては、異なる固定制御リソース４１０が異なるＵＬまたはＤＬ  ＣＥレベル（図示せず）のために使用され得る。場合によっては、ＲＡＲは、制御メッセージが正常に復号される前（たとえば固定制御リソース４１０−ａおよび４１０−ｂを使用して）所与の周期性で複数回送信され得る。
【００９４】
[0103]（たとえば、固定制御リソース４１０−ｂ上の送信の後）ＲＡＲ制御メッセージを正常に復号した後、ＵＥ１１５は、ＲＡＲ自体の送信のために使用される共有リソース４２５−ａを識別し得る。共有リソース４２５−ａはデータ領域４２０−ｂ内でスケジュールされ得る。場合によっては、ＲＡＲ制御メッセージのために使用されるのと同じＤＬ
ＣＥレベルがＲＡＲメッセージのために使用され得る。
【００９５】
[0104]図５は、本開示の様々な態様による、カバレージ制限下でのランダムアクセス手順のためのプロセスフロー５００の一例を示す。プロセスフロー５００は、図１〜図２を参照しながら説明したＵＥ１１５と基地局１０５との例であり得る、ＵＥ１１５−ｂと基地局１０５−ｂとを含み得る。
【００９６】
[0105]５０５において、基地局１０５は、様々なＣＥレベルのためのＰＲＡＣＨ構成のリストを含むシステム情報を送信し得、ＵＥ１１５−ｂは、それを基地局１０５−ｂから受信し得る。場合によっては、システム情報は、低コスト（たとえば、低複雑度）またはＭＴＣデバイスのほうへ導かれ得る。このようにして、ＵＥ１１５−ｂは、ＰＲＡＣＨ構成のセットを示すシグナリングを受信し得、セットの各ＰＲＡＣＨ構成は、基地局１０５−ｂによってサポートされるカバレージ拡張レベルに対応し得る。
【００９７】
[0106]場合によっては、ＵＥ１１５−ｂはまた、基地局１０５−ｂからカバレージ制限しきい値を示すシグナリングを受信し得る。ＵＥ１１５−ｂは、受信されたカバレージ制限しきい値に基づいてカバレージ制限を決定し得る。いくつかの例では、カバレージ制限は、リンクバジェット、経路損失しきい値、基準信号受信電力（ＲＳＲＰ）しきい値、初期ＰＲＡＣＨターゲット電力などを含むか、またはそれらに関係する。
【００９８】
[0107]ＵＥ１１５−ｂは、基地局１０５−ｂからＣＥレベルを示すシグナリングを受信し得、選択されたＣＥレベルは、基地局１０５−ｂによって示されたＣＥレベルに対応し得る。いくつかの例では、基地局１０５−ｂによって示されたＣＥレベルは、ＰＲＡＣＨマスクインデックスまたは周波数オフセット、あるいは両方を含む。いくつかの例では、ＰＲＡＣＨ構成のセットは、周波数分割複信（ＦＤＤ）動作のためのＰＲＡＣＨ構成のセットまたは時分割複信（ＴＤＤ）動作のためのＰＲＡＣＨ構成のセット、あるいは両方を含む。ＰＲＡＣＨ構成のセットは、各サポートされるＣＥレベルのための決定性値のセットを含み得る。いくつかの例では、ＰＲＡＣＨ構成のセットは、各サポートされるＣＥレベルに対応するＰＲＡＣＨ周波数オフセットを含む。
【００９９】
[0108]ＵＥ１１５−ｂは、ＵＥタイプ（たとえば、ＵＥ１１５−ｂのタイプ）に基づいてデフォルトＰＲＡＣＨ構成を識別し得る。デフォルトＰＲＡＣＨ構成に従ってランダムアクセスメッセージが送信され得る。ＵＥタイプは、ＵＥ１１５−ｂのＵＥカテゴリー、またはＵＥ１１５−ｂが（基地局１０５−ｂによって以前に構成されたかどうか、あるいは両方を含み得る。いくつかの例では、ＰＲＡＣＨ構成のセットは、いくつかのリソースブロックにわたって、ＦＤＭまたはＴＤＭ、あるいは両方である指定されたリソースを含む。受信されたシグナリングは、開始サブフレームインデックス、ＰＲＡＣＨ周期性、ＰＲＡＣＨオフセット、持続時間、または周波数オフセットなどを含み得る。
【０１００】
[0109]場合によっては、ＵＥ１１５−ｂは、推定されたＤＬ  ＣＥレベルとランダムアクセスグループとの間のマッピングを示すシグナリングを基地局１０５−ｂから受信し得る。
【０１０１】
[0110]５１０において、ＵＥ１１５−ｂは、ＲＡＣＨプリアンブルの送信のためのＵＬ
ＣＥレベルを選択し得る。ＵＥ１１５−ｂは、カバレージ制限に基づいてＰＲＡＣＨ構成リストからＣＥレベルのうちの１つを選択し得る。
【０１０２】
[0111]５１５において、ＵＥ１１５−ｂは、受信されたシステム情報に基づいて（プリアンブルフォーマットを含む）ＰＲＡＣＨ構成を決定し得る。ＵＥ１１５−ｂはまた、カバレージ制限に基づいてランダムアクセスメッセージのプリアンブルフォーマットを選択し得る。いくつかの例では、ＣＥレベルを選択することは、選択されたプリアンブルフォーマットに基づく。
【０１０３】
[0112]場合によっては、５２０において、ＵＥ１１５−ｂは、ＲＡＲを受信するための所望のＤＬ  ＣＥレベルを識別し得る。ＵＥ１１５−ｂは、このようにして、受信されたマッピングに基づいてランダムアクセスグループを選択し得る。そのような場合、５２５において、ＵＥ１１５−ｂは、所望のＤＬ  ＣＥレベルに基づいてプリアンブルグループを選択し得る。これは、ＵＥ１１５−ｂがＤＬ  ＣＥレベルを予測し、それに応じてＲＡＲを復号することを可能にし得る。たとえば、ＵＥ１１５−ｂは、推定されたＤＬ  ＣＥレベルに基づいて、ＲＡＲを受信するための１つまたは複数のリソースを決定し得る。
【０１０４】
[0113]ＵＥ１１５−ｂは、選択されたランダムアクセスグループに基づいてＲＡＲのための周波数リソースを決定し得る。いくつかの例では、ランダムアクセスグループは、ＲＡＲに関連する制御情報を示し、決定された周波数リソースは制御メッセージを含み得る。いくつかの例では、ランダムアクセスグループは、ＲＡＲに関連する制御情報およびデータ情報を示し、決定された周波数リソースは、制御メッセージまたはデータメッセージ、あるいは両方を含み得る。ある場合には、ＵＥ１１５−ｂは、選択されたランダムアクセスグループに基づいてランダムアクセス無線ネットワーク一時識別子（ＲＡ−ＲＮＴＩ）を決定し得る。
【０１０５】
[0114]追加または代替として、ＵＥ１１５−ｂは、基地局からの明示的シグナリング、ダウンリンク信号測定値とＤＬ信号しきい値との間の比較、または選択されたカバレージ拡張レベルなどに基づいてＤＬ  ＣＥレベルを推定し得、選択されたプリアンブルフォーマットおよびグループは、推定されたＤＬ  ＣＥレベルを示し得る。場合によっては、ＤＬ信号しきい値は基準ＤＬ送信フォーマットに基づいて決定される。
【０１０６】
[0115]５３０において、ＵＥ１１５−ｂは、ＵＬ  ＣＥレベルと、ＰＲＡＣＨ構成と、プリアンブルグループから選択されたプリアンブルとを使用して、ランダムアクセスメッセージ（たとえば、ＲＡＣＨプリアンブルを含むＲＡＣＨメッセージ１）を送信し得る（および基地局１０５−ｂは私の（my）受信する）。ＵＥ１１５−ｂはまた、ＰＲＡＣＨ構成に基づいてランダムアクセスメッセージを送信するためのリソースを選択し得る。
【０１０７】
[0116]ＵＥ１１５−ｂは、いくつかの例では、ＰＲＡＣＨ構成、選択されたプリアンブルフォーマット、前の送信カウントなどに基づいてランダムアクセスメッセージのためのターゲット送信電力を決定し得る。ＣＥレベルを選択することは、たとえば、前のＰＲＡＣＨ送信のカウンタに基づき得る。ＵＥ１１５−ｂは、次いで、基地局によってサポートされる１つまたは複数のＣＥレベルの候補ＣＥレベルを選択し、候補ＣＥレベルに基づいてランダムアクセスメッセージの候補送信電力を決定し得る。場合によっては、ＵＥ１１５−ｂは、候補送信電力が送信電力しきい値を超えると決定し得る。ＵＥ１１５−ｂは、次いで、新しい候補ＣＥレベルを選択することによってこのプロセスを反復し得る。したがって、いくつかの例では、ＣＥレベルの選択は、候補送信電力がしきい値を超えると決定することと、新しい候補ＣＥレベルを選択することとに基づく。
【０１０８】
[0117]５３５において、基地局１０５−ｂは、ＲＡＣＨメッセージのプリアンブルグループを識別し得る。５４０において、基地局１０５−ｂは、プリアンブルグループに基づいてＤＬ  ＣＥレベルを選択し得る。
【０１０９】
[0118]５４５において、基地局１０５−ｂはＲＡＲを送信し得、ＵＥ１１５−ｂはそれを受信し得る。ＵＥ１１５−ｂは、ＲＡＲについて１つまたは複数のリソースを監視し、推定されたＤＬ  ＣＥレベルに基づいてＲＡＲを復号し得る。いくつかの例では、ＵＥ１１５−ｂは、選択されたリソースに基づいてＲＡＲ制御メッセージを受信するための１つまたは複数のあらかじめ定義された時間間隔を監視し、ＲＡＲ制御メッセージに基づいてＲＡＲを受信し得る。
【０１１０】
[0119]５５０において、基地局１０５−ｂはＲＲＣ接続要求（すなわち、ＲＡＣＨメッセージ３）を送信し得、基地局１０５−ｂはそれを受信し得る。このようにして、ＵＥ１１５−ｂは、ランダムアクセスメッセージ中に示された構成に基づいて接続要求メッセージを送信し得る。ＵＥ１１５−ｂは、受信されたＲＡＲ中に示された構成に基づいて接続要求メッセージを送信し得る。ＵＥ１１５−ｂは、競合解消メッセージを受信すること、再送信試行のしきい値数を超えること、または競合解消タイマーの満了、あるいはそれらの任意の組合せのうちの１つまで、接続要求メッセージを再送信し得る。いくつかの例では、競合解消タイマーは、選択されたＣＥレベルに基づいて構成される。
【０１１１】
[0120]５５５において、基地局１０５−ｂは接続確立メッセージ（すなわち、ＲＡＣＨメッセージ４）を送信し得、ＵＥ１１５−ｂはそれを受信し得る。
【０１１２】
[0121]場合によっては、ＲＡＣＨ手順は不成功であり得る。このタイプの不成功のまたは失敗した手順は、基地局１０５−ｂが第１のランダムアクセスメッセージを受信しないときに起こり得、したがって、ＵＥ１１５−ｂは、不成功のランダムアクセス送信に基づいて後続の（subsequent）ＣＥレベルを選択し得る。場合によっては、ＵＥ１１５−ｂはＲＡＲを受信しないことがある。ＵＥ１１５−ｂは、不成功のランダムアクセス送信に基づいて後続のＣＥレベルを選択し得る。ＵＥ１１５−ｂは、次いで、後続のＣＥレベルを選択することに基づいてＤＬ  ＣＥレベルを再推定し得る。
【０１１３】
[0122]いくつかの例では、ＵＥ１１５−ｂは、ランダムアクセスメッセージを送信するときにランダムアクセス送信カウンタを開始し得、ＵＥ１１５−ｂは、後続のＣＥレベルを選択することに基づいてランダムアクセス送信カウンタをリセットし得る。場合によっては、ＵＥ１１５−ｂは、不成功のランダムアクセス送信のしきい値数に基づいて無線リンク障害を宣言し得る。ＰＲＡＣＨ構成のセットはしきい値を含み得る。
【０１１４】
[0123]図６は、本開示の様々な態様による、カバレージ制限下でのランダムアクセス手順をサポートするワイヤレスデバイス６００のブロック図を示す。ワイヤレスデバイス６００は、図１〜図５を参照しながら説明したＵＥ１１５の態様の一例であり得る。ワイヤレスデバイス６００は、受信機６０５、ＣＥ  ＲＡＣＨモジュール６１０、または送信機６１５を含み得る。ワイヤレスデバイス６００はまた、プロセッサを含み得る。これらの構成要素の各々は互いに通信していることがある。
【０１１５】
[0124]受信機６０５は、パケット、ユーザデータ、または様々な情報チャネルに関連する制御情報（たとえば、制御チャネル、データチャネル、およびカバレージ制限下でのランダムアクセス手順に関係する情報など）などの情報を受信し得る。情報は、ＣＥ  ＲＡＣＨモジュール６１０に、およびワイヤレスデバイス６００の他の構成要素に渡され得る。いくつかの例では、受信機６０５はＲＡＲを受信し得る。いくつかの例では、受信機６０５は、ＲＡＲ制御メッセージに基づいてＲＡＲを受信し得る。
【０１１６】
[0125]ＣＥ  ＲＡＣＨモジュール６１０は、ＰＲＡＣＨ構成のセットを示すシグナリングを受信し得、およびセットの各ＰＲＡＣＨ構成が、基地局によってサポートされるカバレージ拡張レベルに対応し得、カバレージ制限に基づいてＣＥレベルのうちの１つを選択し得、選択されたＣＥレベルに対応するＰＲＡＣＨ構成に従ってランダムアクセスメッセージを送信し得る。
【０１１７】
[0126]送信機６１５は、ワイヤレスデバイス６００の他の構成要素から受信された信号を送信し得る。いくつかの例では、送信機６１５は、トランシーバモジュールにおいて受信機６０５とコロケートされ得る。送信機６１５は、単一のアンテナを含み得るか、またはそれは複数のアンテナを含み得る。いくつかの例では、送信機６１５は、ランダムアクセスメッセージ中に示された構成に基づいて接続要求メッセージを送信し得る。いくつかの例では、送信機６１５は、受信されたＲＡＲ中に示された構成に基づいて接続要求メッセージを送信し得る。
【０１１８】
[0127]図７は、本開示の様々な態様による、カバレージ制限下でのランダムアクセス手順をサポートするワイヤレスデバイス７００のブロック図を示す。ワイヤレスデバイス７００は、図１〜図６を参照しながら説明したワイヤレスデバイス６００またはＵＥ１１５の態様の一例であり得る。ワイヤレスデバイス７００は、受信機６０５−ａ、ＣＥ  ＲＡＣＨモジュール６１０−ａ、または送信機６１５−ａを含み得る。ワイヤレスデバイス７００はまた、プロセッサを含み得る。これらの構成要素の各々は互いに通信していることがある。ＣＥ  ＲＡＣＨモジュール６１０−ａはまた、ＰＲＡＣＨ構成モジュール７０５と、ＣＥレベル選択モジュール７１０と、ＲＡＣＨプリアンブルモジュール７１５とを含み得る。
【０１１９】
[0128]受信機６０５−ａは、ＣＥ  ＲＡＣＨモジュール６１０−ａに、およびワイヤレスデバイス７００の他の構成要素に渡され得る情報を受信し得る。ＣＥ  ＲＡＣＨモジュール６１０−ａは、図６を参照しながら説明した動作を実施し得る。送信機６１５−ａは、ワイヤレスデバイス７００の他の構成要素から受信された信号を送信し得る。
【０１２０】
[0129]ＰＲＡＣＨ構成モジュール７０５は、図２〜図５を参照しながら説明したように、ＰＲＡＣＨ構成のセットを示すシグナリングを受信し得、セットの各ＰＲＡＣＨ構成は、基地局によってサポートされるカバレージ拡張レベルに対応し得る。いくつかの例では、ＰＲＡＣＨ構成のセットは、ＦＤＤ動作のためのＰＲＡＣＨ構成のセットまたはＴＤＤ動作のためのＰＲＡＣＨ構成のセット、あるいは両方を含む。いくつかの例では、ＰＲＡＣＨ構成のセットは、各サポートされるＣＥレベルのための決定性値のセットを含む。追加または代替として、ＰＲＡＣＨ構成のセットは、各サポートされるＣＥレベルに対応するＰＲＡＣＨ周波数オフセットを含み得る。ＰＲＡＣＨ構成モジュール７０５はまた、ＵＥタイプに基づいてデフォルトＰＲＡＣＨ構成を識別し得、デフォルトＰＲＡＣＨ構成に従ってランダムアクセスメッセージが送信され得る。いくつかの例では、ＵＥタイプは、ＵＥカテゴリーまたは前に構成されたＵＥ（たとえば前に構成されたＵＥ）、あるいは両方として定義される。いくつかの例では、ＰＲＡＣＨ構成のセットは、複数のリソースブロックにわたって、ＦＤＭまたはＴＤＭ、あるいは両方である指定されたリソースを含む。様々な例では、受信されたシグナリングは、開始サブフレームインデックス、ＰＲＡＣＨ周期性、ＰＲＡＣＨオフセット、持続時間、または周波数オフセットであり得る。
【０１２１】
[0130]ＣＥレベル選択モジュール７１０は、図２〜図５を参照しながら説明したようにカバレージ制限に基づいてＣＥレベルのうちの１つを選択し得る。いくつかの例では、ＣＥレベルを選択することは、選択されたプリアンブルフォーマットに基づき得る。ＣＥレベル選択モジュール７１０はまた、不成功のランダムアクセス送信に基づいて後続のＣＥレベルを選択し得る。いくつかの例では、ＣＥレベルを選択することは、前のＰＲＡＣＨ送信のカウンタに基づき得る。ＣＥレベル選択モジュール７１０はまた、基地局によってサポートされる１つまたは複数のＣＥレベルのうちの候補ＣＥレベルを選択し得る。いくつかの例では、ＣＥレベルの選択は、候補送信電力がしきい値を超えると決定することに基づき得、ＣＥレベルは候補ＣＥレベルよりも高くなり得る。ＣＥレベル選択モジュール７１０はまた、基地局からＣＥレベルを示すシグナリングを受信し得、ここで、選択されたＣＥレベルは、基地局によって示されたＣＥレベルに対応する。いくつかの例では、基地局によって示されたＣＥレベルは、ＰＲＡＣＨマスクインデックスまたは周波数オフセット、あるいは両方を含む。ＣＥレベル選択モジュール７１０はまた、不成功のランダムアクセス送信に基づいて後続のＣＥレベルを選択し得る。
【０１２２】
[0131]ＲＡＣＨプリアンブルモジュール７１５は、図２〜図５を参照しながら説明したように、選択されたＣＥレベルに対応するＰＲＡＣＨ構成に従ってランダムアクセスメッセージを送信し得る。ＲＡＣＨプリアンブルモジュール７１５はまた、カバレージ制限に基づいてランダムアクセスメッセージのプリアンブルフォーマットを選択し得る。ＲＡＣＨプリアンブルモジュール７１５はまた、後続のＣＥレベルを選択することに基づいてランダムアクセス送信カウンタをリセットし得る。ＲＡＣＨプリアンブルモジュール７１５はまた、選択されたランダムアクセスグループに基づいてランダムアクセスメッセージを送信し得る。ＲＡＣＨプリアンブルモジュール７１５はまた、ランダムアクセスグループに基づいてランダムアクセスメッセージを受信し得る。
【０１２３】
[0132]図８は、本開示の様々な態様による、カバレージ制限下でのランダムアクセス手順のためのワイヤレスデバイス６００またはワイヤレスデバイス７００の構成要素であり得るＣＥ  ＲＡＣＨモジュール６１０−ｂのブロック図８００を示す。ＣＥ  ＲＡＣＨモジュール６１０−ｂは、図６〜図７を参照しながら説明したＣＥ  ＲＡＣＨモジュール６１０の態様の一例であり得る。ＣＥ  ＲＡＣＨモジュール６１０−ｂは、ＰＲＡＣＨ構成モジュール７０５−ａと、ＣＥレベル選択モジュール７１０−ａと、ＲＡＣＨプリアンブルモジュール７１５−ａとを含み得る。これらのモジュールの各々は、図７を参照しながら説明した機能を実施し得る。ＣＥ  ＲＡＣＨモジュール６１０−ｂはまた、カバレージ制限モジュール８０５と、ＣＥレベル推定モジュール８１０と、リソース識別モジュール８１５と、監視モジュール８２０と、デコーダ８２５と、リソース選択モジュール８３０と、送信電力モジュール８３５と、ＲＡＣＨカウンタ８４０と、ＲＬＦモジュール８４５と、競合解消モジュール８５０と、プリアンブルグループモジュール８５５とを含み得る。
【０１２４】
[0133]カバレージ制限モジュール８０５は、図２〜図５を参照しながら説明したように、基地局から１つまたは複数のカバレージ制限しきい値を示すシグナリングを受信し得る。カバレージ制限モジュール８０５はまた、受信されたカバレージ制限しきい値に基づいてカバレージ制限を決定し得る。いくつかの例では、カバレージ制限は、リンクバジェット、経路損失しきい値、ＲＳＲＰしきい値、または初期ＰＲＡＣＨターゲット電力、あるいはそれらの組合せを含む。
【０１２５】
[0134]ＣＥレベル推定モジュール８１０は、図２〜図５を参照しながら説明したように、基地局からの明示的シグナリング、ダウンリンク信号測定値とＤＬ信号しきい値との間の比較、または選択されたカバレージ拡張レベルに基づいてＤＬ  ＣＥレベルを推定し得、選択されたプリアンブルフォーマットは、推定されたＤＬ  ＣＥレベルを示し得る。ＣＥレベルの推定モジュール８１０はまた、後続のＣＥレベルを選択することに基づいてＤＬ  ＣＥレベルを再推定し得る。
【０１２６】
[0135]リソース識別モジュール８１５は、図２〜図５を参照しながら説明したように、推定されたＤＬ  ＣＥレベルに基づいて、ＲＡＲを受信するための１つまたは複数のリソースを決定し得る。いくつかの例では、リソース識別モジュール８１５は、ＲＡＲの制御部分中の情報に基づいて、ＲＡＲのデータ部分を復号するための示されたＣＥレベルを識別し得る。
【０１２７】
[0136]監視モジュール８２０は、図２〜図５を参照しながら説明したように、ＲＡＲについて１つまたは複数のリソースを監視し得る。監視モジュール８２０はまた、選択されたリソースに基づいてＲＡＲを受信するための１つまたは複数のあらかじめ定義された時間間隔を監視し得る。監視モジュール８２０はまた、選択されたリソースに基づいてＲＡＲ制御メッセージを受信するための１つまたは複数のあらかじめ定義された時間間隔を監視し得る。
【０１２８】
[0137]デコーダ８２５は、図２〜図５を参照しながら説明したように、推定されたＤＬ
ＣＥレベルに基づいてＲＡＲを復号し得る。いくつかの例では、デコーダ８２５は、推定されたＤＬ  ＣＥレベルに基づいてＲＡＲの制御部分を復号し得、それは、ＲＡＲの制御部分において識別された示されたＣＥレベルに基づいてＲＡＲのデータ部分を復号し得る。
【０１２９】
[0138]リソース選択モジュール８３０は、図２〜図５を参照しながら説明したように、ＰＲＡＣＨ構成に基づいてランダムアクセスメッセージを送信するためのリソースを選択し得る。リソース選択モジュール８３０はまた、ＰＲＡＣＨ構成に基づいてランダムアクセスメッセージを送信するためのリソースを選択し得る。
【０１３０】
[0139]送信電力モジュール８３５は、図２〜図５を参照しながら説明したように、ＰＲＡＣＨ構成、選択されたプリアンブルフォーマット、または前の送信カウントに基づいてランダムアクセスメッセージのためのターゲット送信電力を決定し得る。送信電力モジュール８３５はまた、ランダムアクセスメッセージの候補送信電力を決定し得る。送信電力モジュール８３５はまた、候補送信電力が送信電力しきい値を超えると決定し得る。
【０１３１】
[0140]ＲＡＣＨカウンタ８４０は、図２〜図５を参照しながら説明したように、ランダムアクセスメッセージを送信するときにランダムアクセス送信カウンタを開始し得る。
【０１３２】
[0141]ＲＬＦモジュール８４５は、図２〜図５を参照しながら説明したように、不成功のランダムアクセス送信のしきい値数に基づいて無線リンク障害を宣言し得、ＰＲＡＣＨ構成のセットはしきい値を含む。
【０１３３】
[0142]競合解消モジュール８５０は、図２〜図５を参照しながら説明したように、競合解消メッセージを受信すること、再送信試行のしきい値数を超えること、または競合解消タイマーの満了、あるいはそれらの任意の組合せのうちの少なくとも１つまで、接続メッセージを再送信し得る。いくつかの例では、競合解消タイマーは、選択されたＣＥレベルに基づいて構成され得る。
【０１３４】
[0143]プリアンブルグループモジュール８５５は、図２〜図５を参照しながら説明したように、推定されたＤＬ  ＣＥレベルとランダムアクセスグループとの間のマッピングを示すシグナリングを受信し得る。プリアンブルグループモジュール８５５はまた、マッピングに基づいてランダムアクセスグループを選択し得る。プリアンブルグループモジュール８５５はまた、選択されたランダムアクセスグループに基づいてＲＡＲのための周波数リソースを決定し得る。いくつかの例では、ランダムアクセスグループは、ＲＡＲに関連する制御情報を示し、決定された周波数リソースは制御メッセージを含み得る。いくつかの例では、ランダムアクセスグループは、ＲＡＲに関連する制御情報およびデータ情報を示し、決定された周波数リソースは、制御メッセージまたはデータメッセージ、あるいは両方を含み得る。プリアンブルグループモジュール８５５はまた、選択されたランダムアクセスグループに基づいてランダムアクセス無線ネットワーク一時識別子（ＲＡ−ＲＮＴＩ）を決定し得る。
【０１３５】
[0144]図９は、本開示の様々な態様による、カバレージ制限下でのランダムアクセス手順をサポートするＵＥ１１５を含むシステム９００の図を示す。システム９００は、図１、図２および図６〜図８を参照しながら説明したワイヤレスデバイス６００、ワイヤレスデバイス７００、またはＵＥ１１５の一例であり得る、ＵＥ１１５−ｃを含み得る。ＵＥ１１５−ｃは、図６〜図８を参照しながら説明したＣＥ  ＲＡＣＨモジュール６１０の一例であり得る、ＣＥ  ＲＡＣＨモジュール９１０を含み得る。ＵＥ１１５−ｃはまた、ＣＥモジュール９２５を含み得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは基地局１０５−ｃと双方向に通信し得る。
【０１３６】
[0145]ＣＥモジュール９２５は、図１を参照しながら上記で説明したように、通信リンクの信頼性を改善するためにＣＥ動作を管理し得る。ＵＥ１１５−ｃはまた、プロセッサ９０５と、（ソフトウェア（ＳＷ）９２０を含む）メモリ９１５と、トランシーバ９３５と、１つまたは複数のアンテナ９４０とを含み得、それらの各々は、（たとえば、バス９４５を介して）互いに直接または間接的に通信し得る。トランシーバ９３５は、上記で説明したように、アンテナ９４０あるいはワイヤードリンクまたはワイヤレスリンクを介して、１つまたは複数のネットワークと双方向に通信し得る。たとえば、トランシーバ９３５は、基地局１０５または別のＵＥ１１５と双方向に通信し得る。トランシーバ９３５は、パケットを変調し、変調されたパケットを送信のためにアンテナ９４０に与え、アンテナ９４０から受信されたパケットを復調するためのモデムを含み得る。ＵＥ１１５−ｃは単一のアンテナ９４０を含み得るが、ＵＥ１１５−ｃはまた、複数のワイヤレス送信を同時に送信または受信することが可能な複数のアンテナ９４０を有し得る。
【０１３７】
[0146]メモリ９１５は、ランダムアクセスメモリ（ＲＡＭ）および読取り専用メモリ（ＲＯＭ）を含み得る。メモリ９１５は、実行されたとき、プロセッサ９０５に、本明細書で説明する様々な機能（たとえば、カバレージ制限下でのランダムアクセス手順など）を実施させる命令を含むコンピュータ可読、コンピュータ実行可能ソフトウェア／ファームウェアコード９２０を記憶し得る。代替的に、ソフトウェア／ファームウェアコード９２０は、プロセッサ９０５によって直接的に実行可能でないことがあるが、（たとえば、コンパイルされ実行されたとき）コンピュータに本明細書で説明する機能を実施させ得る。プロセッサ９０５は、インテリジェントハードウェアデバイス、（たとえば、中央処理ユニット（ＣＰＵ）、マイクロコントローラ、特定用途向け集積回路（ＡＳＩＣ）など）を含み得る。
【０１３８】
[0147]図１０は、本開示の様々な態様による、カバレージ制限下でのランダムアクセス手順をサポートするワイヤレスデバイス１０００のブロック図を示す。ワイヤレスデバイス１０００は、図１〜図９を参照しながら説明した基地局１０５の態様の一例であり得る。ワイヤレスデバイス１０００は、受信機１００５、基地局ＣＥ  ＲＡＣＨモジュール１０１０、または送信機１０１５を含み得る。ワイヤレスデバイス１０００はまた、プロセッサを含み得る。これらの構成要素の各々は互いに通信していることがある。
【０１３９】
[0148]受信機１００５は、パケット、ユーザデータ、または様々な情報チャネルに関連する制御情報（たとえば、制御チャネル、データチャネル、およびカバレージ制限下でのランダムアクセス手順に関係する情報など）などの情報を受信し得る。情報は、基地局ＣＥ  ＲＡＣＨモジュール１０１０に、およびワイヤレスデバイス１０００の他の構成要素に渡され得る。
【０１４０】
[0149]基地局ＣＥ  ＲＡＣＨモジュール１０１０は、ＰＲＡＣＨ構成のセットを示すシグナリングを送信し得、およびセットの各ＰＲＡＣＨ構成が、サポートされるカバレージ拡張レベルに対応し得、ＰＲＡＣＨ構成のセットのＰＲＡＣＨ構成に従ってランダムアクセスメッセージを受信し得る。
【０１４１】
[0150]送信機１０１５は、ワイヤレスデバイス１０００の他の構成要素から受信された信号を送信し得る。いくつかの例では、送信機１０１５は、トランシーバモジュールにおいて受信機１００５とコロケートされ得る。送信機１０１５は、単一のアンテナを含み得るか、またはそれは複数のアンテナを含み得る。
【０１４２】
[0151]図１１は、本開示の様々な態様による、カバレージ制限下でのランダムアクセス手順をサポートするワイヤレスデバイス１１００のブロック図を示す。ワイヤレスデバイス１１００は、図１〜図１０を参照しながら説明したワイヤレスデバイス１０００または基地局１０５の態様の一例であり得る。ワイヤレスデバイス１１００は、受信機１００５−ａ、基地局ＣＥ  ＲＡＣＨモジュール１０１０−ａ、または送信機１０１５−ａを含み得る。ワイヤレスデバイス１１００はまた、プロセッサを含み得る。これらの構成要素の各々は互いに通信していることがある。基地局ＣＥ  ＲＡＣＨモジュール１０１０−ａはまた、ＢＳ  ＰＲＡＣＨ構成モジュール１１０５と、ＢＳ  ＲＡＣＨプリアンブルモジュール１１１０とを含み得る。
【０１４３】
[0152]受信機１００５−ａは、基地局ＣＥ  ＲＡＣＨモジュール１０１０−ａに、およびワイヤレスデバイス１１００の他の構成要素に渡され得る情報を受信し得る。基地局ＣＥ  ＲＡＣＨモジュール１０１０−ａは、図１０を参照しながら説明した動作を実施し得る。送信機１０１５−ａは、ワイヤレスデバイス１１００の他の構成要素から受信された信号を送信し得る。
【０１４４】
[0153]ＢＳ  ＰＲＡＣＨ構成モジュール１１０５は、図２〜図５を参照しながら説明したように、ＰＲＡＣＨ構成のセットを示すシグナリングを送信し得、セットの各ＰＲＡＣＨ構成は、サポートされるカバレージ拡張レベルに対応し得る。
【０１４５】
[0154]ＢＳ  ＲＡＣＨプリアンブルモジュール１１１０は、図２〜図５を参照しながら説明したように、ＰＲＡＣＨ構成のセットのうちのＰＲＡＣＨ構成に従ってランダムアクセスメッセージを受信し得る。
【０１４６】
[0155]図１２は、本開示の様々な態様による、カバレージ制限下でのランダムアクセス手順のためのワイヤレスデバイス１０００またはワイヤレスデバイス１１００の構成要素であり得る基地局ＣＥ  ＲＡＣＨモジュール１０１０−ｂのブロック図１２００を示す。基地局ＣＥ  ＲＡＣＨモジュール１０１０−ｂは、図１０〜図１１を参照しながら説明した基地局ＣＥ  ＲＡＣＨモジュール１０１０の態様の一例であり得る。基地局ＣＥ  ＲＡＣＨモジュール１０１０−ｂは、ＢＳ  ＰＲＡＣＨ構成モジュール１１０５−ａと、ＢＳ
ＲＡＣＨプリアンブルモジュール１１１０−ａと、ＢＳプリアンブルグループモジュール１２０５−ａと、ＢＳ  ＣＥレベル選択モジュール１２１０−ａとを含み得る。これらのモジュールの各々は、図１１を参照しながら説明した機能を実施し得る。基地局ＣＥ  ＲＡＣＨモジュール１０１０−ｂはまた、ＢＳプリアンブルグループモジュール１２０５と、ＢＳ  ＣＥレベル選択モジュール１２１０とを含み得る。
【０１４７】
[0156]ＢＳプリアンブルグループモジュール１２０５は、図２〜図５を参照しながら説明したように、ＤＬ  ＣＥレベルとランダムアクセスグループとの間のマッピングを示すシグナリングを送信し得る。
【０１４８】
[0157]ＢＳ  ＣＥレベル選択モジュール１２１０は、図２〜図５を参照しながら説明したように、受信されたランダムアクセスメッセージのランダムアクセスグループに基づいてＤＬ  ＣＥレベルを決定し得る。
【０１４９】
[0158]図１３は、本開示の様々な態様による、カバレージ制限下でのランダムアクセス手順をサポートする基地局１０５を含むシステム１３００の図を示す。システム１３００は、図１、図２および図１０〜図１２を参照しながら説明したワイヤレスデバイス１０００、ワイヤレスデバイス１１００、または基地局１０５の一例であり得る、基地局１０５−ｄを含み得る。基地局１０５−ｄは、図１０〜図１２を参照しながら説明した基地局ＣＥ  ＲＡＣＨモジュール１０１０の一例であり得る、基地局ＣＥ  ＲＡＣＨモジュール１３１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｄまたはＵＥ１１５−ｅと双方向に通信し得る。
【０１５０】
[0159]場合によっては、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール１３２５を利用して１０５−ｅまたは１０５−ｆなどの他の基地局と通信し得る。いくつかの例では、基地局通信モジュール１３２５は、基地局１０５のうちのいくつかの間の通信を行うために、ロングタームエボリューション（ＬＴＥ）／ＬＴＥ−Ａワイヤレス通信ネットワーク技術内のＸ２インターフェースを与え得る。いくつかの例では、基地局１０５−ｄは、コアネットワーク１３０を通して他の基地局と通信し得る。場合によっては、基地局１０５−ｄは、ネットワーク通信モジュール１３３０を通してコアネットワーク１３０と通信し得る。
【０１５１】
[0160]基地局１０５−ｄは、プロセッサ１３０５と、（ソフトウェア（ＳＷ）１３２０を含む）メモリ１３１５と、トランシーバ１３３５と、アンテナ１３４０とを含み得、それらの各々は、（たとえば、バスシステム１３４５を介して）直接または間接的に、互いに通信していることがある。トランシーバ１３３５は、アンテナ１３４０を介して、マルチモードデバイスであり得るＵＥ１１５と双方向に通信するように構成され得る。トランシーバ１３３５（または基地局１０５−ｄの他の構成要素）はまた、アンテナ１３４０を介して、１つまたは複数の他の基地局（図示せず）と双方向に通信するように構成され得る。トランシーバ１３３５は、パケットを変調し、変調されたパケットを送信のためにアンテナ１３４０に与え、アンテナ１３４０から受信されたパケットを復調するように構成されたモデムを含み得る。基地局１０５−ｄは、１つまたは複数の関連するアンテナ１３４０をそれぞれもつ、複数のトランシーバ１３３５を含み得る。トランシーバは、図１０の組み合わされた受信機１００５と送信機１０１５との一例であり得る。
【０１５２】
[0161]メモリ１３１５はＲＡＭとＲＯＭとを含み得る。メモリ１３１５はまた、実行されたとき、プロセッサ１３０５に本明細書で説明する様々な機能（たとえば、カバレージ制限下でのランダムアクセス手順、カバレージ拡張技法を選択すること、呼処理、データベース管理、メッセージルーティングなど）を実施させるように構成された命令を含んでいるコンピュータ可読、コンピュータ実行可能ソフトウェアコード１３２０を記憶し得る。代替として、ソフトウェアコード１３２０（たとえば、ソフトウェア）は、プロセッサ１３０５によって直接実行可能でないことがあるが、たとえば、コンパイルされ実行されたとき、本明細書で説明する機能をコンピュータに実施させるように構成され得る。プロセッサ１３０５は、インテリジェントハードウェアデバイス、たとえば、ＣＰＵ、マイクロコントローラ、ＡＳＩＣなどを含み得る。プロセッサ１３０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１５３】
[0162]基地局通信モジュール１３２５は、他の基地局１０５との通信を管理し得る。場合によっては、通信管理モジュールは、他の基地局１０５と協働してＵＥ１１５との通信を制御するためのコントローラまたはスケジューラを含み得る。たとえば、基地局通信モジュール１３２５は、ビームフォーミングまたはジョイント送信などの様々な干渉緩和技法のためにＵＥ１１５への送信のためのスケジューリングを協調させ得る。
【０１５４】
[0163]ワイヤレスデバイス６００と、ワイヤレスデバイス７００と、ＣＥ  ＲＡＣＨモジュール６１０と、ワイヤレスデバイス１０００と、ワイヤレスデバイス１１００と、基地局ＣＥ  ＲＡＣＨモジュール１０１０と、システム１３００との構成要素は、ハードウェアで適用可能な機能の一部または全部を実施するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実施され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【０１５５】
[0164]図１４は、本開示の様々な態様による、カバレージ制限下でのランダムアクセス手順のための方法１４００を示すフローチャートを示す。方法１４００の動作は、図１〜図１３を参照しながら説明したように、ＵＥ１１５またはそれの構成要素によって実装され得る。たとえば、方法１４００の動作は、図６〜図９を参照しながら説明したように、ＣＥ  ＲＡＣＨモジュール６１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。
【０１５６】
[0165]ブロック１４０５において、ＵＥ１１５は、図２〜図５を参照しながら説明したように、ＰＲＡＣＨ構成のセットを示すシグナリングを受信し得、セットの各ＰＲＡＣＨ構成は、基地局によってサポートされるカバレージ拡張レベルに対応し得る。いくつかの例では、ブロック１４０５の動作は、図７を参照しながら説明したように、ＰＲＡＣＨ構成モジュール７０５によって実施され得る。
【０１５７】
[0166]ブロック１４１０において、ＵＥ１１５は、図２〜図５を参照しながら説明したように、カバレージ制限に少なくとも部分的に基づいてＣＥレベルのうちの１つを選択し得る。いくつかの例では、ブロック１４１０の動作は、図７を参照しながら説明したように、ＣＥレベル選択モジュール７１０によって実施され得る。
【０１５８】
[0167]ブロック１４１５において、ＵＥ１１５は、図２〜図５を参照しながら説明したように、選択されたＣＥレベルに対応するＰＲＡＣＨ構成に従ってランダムアクセスメッセージを送信し得る。いくつかの例では、ブロック１４１５の動作は、図７を参照しながら説明したように、ＲＡＣＨプリアンブルモジュール７１５によって実施され得る。
【０１５９】
[0168]図１５は、本開示の様々な態様による、カバレージ制限下でのランダムアクセス手順のための方法１５００を示すフローチャートを示す。方法１５００の動作は、図１〜図１３を参照しながら説明したように、ＵＥ１１５またはそれの構成要素によって実装され得る。たとえば、方法１５００の動作は、図６〜図９を参照しながら説明したように、ＣＥ  ＲＡＣＨモジュール６１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。方法１５００はまた、図１４の方法１４００の態様を組み込み得る。
【０１６０】
[0169]ブロック１５０５において、ＵＥ１１５は、図２〜図５を参照しながら説明したように、ＰＲＡＣＨ構成のセットを示すシグナリングを受信し得、セットの各ＰＲＡＣＨ構成は、基地局によってサポートされるカバレージ拡張レベルに対応し得る。いくつかの例では、ブロック１５０５の動作は、図７を参照しながら説明したように、ＰＲＡＣＨ構成モジュール７０５によって実施され得る。
【０１６１】
[0170]ブロック１５１０において、ＵＥ１１５は、図２〜図５を参照しながら説明したように、基地局から１つまたは複数のカバレージ制限しきい値を示すシグナリングを受信し得る。いくつかの例では、ブロック１５１０の動作は、図８を参照しながら説明したように、カバレージ制限モジュール８０５によって実施され得る。
【０１６２】
[0171]ブロック１５１５において、ＵＥ１１５は、図２〜図５を参照しながら説明したように、受信されたカバレージ制限しきい値に少なくとも部分的に基づいてカバレージ制限を決定し得る。いくつかの例では、ブロック１５１５の動作は、図８を参照しながら説明したように、カバレージ制限モジュール８０５によって実施され得る。
【０１６３】
[0172]ブロック１５２０において、ＵＥ１１５は、図２〜図５を参照しながら説明したように、カバレージ制限に少なくとも部分的に基づいてＣＥレベルのうちの１つを選択し得る。いくつかの例では、ブロック１５２０の動作は、図７を参照しながら説明したように、ＣＥレベル選択モジュール７１０によって実施され得る。
【０１６４】
[0173]ブロック１５２５において、ＵＥ１１５は、図２〜図５を参照しながら説明したように、選択されたＣＥレベルに対応するＰＲＡＣＨ構成に従ってランダムアクセスメッセージを送信し得る。いくつかの例では、ブロック１５２５の動作は、図７を参照しながら説明したように、ＲＡＣＨプリアンブルモジュール７１５によって実施され得る。
【０１６５】
[0174]図１６は、本開示の様々な態様による、カバレージ制限下でのランダムアクセス手順のための方法１６００を示すフローチャートを示す。方法１６００の動作は、図１〜図１３を参照しながら説明したように、ＵＥ１１５またはそれの構成要素によって実装され得る。たとえば、方法１６００の動作は、図６〜図９を参照しながら説明したように、ＣＥ  ＲＡＣＨモジュール６１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。方法１６００はまた、図１４〜図１５の方法１４００、および１５００の態様を組み込み得る。
【０１６６】
[0175]ブロック１６０５において、ＵＥ１１５は、図２〜図５を参照しながら説明したように、ＰＲＡＣＨ構成のセットを示すシグナリングを受信し得、セットの各ＰＲＡＣＨ構成は、基地局によってサポートされるカバレージ拡張レベルに対応し得る。いくつかの例では、ブロック１６０５の動作は、図７を参照しながら説明したように、ＰＲＡＣＨ構成モジュール７０５によって実施され得る。
【０１６７】
[0176]ブロック１６１０において、ＵＥ１１５は、図２〜図５を参照しながら説明したように、カバレージ制限に少なくとも部分的に基づいてＣＥレベルのうちの１つを選択し得る。いくつかの例では、ブロック１６１０の動作は、図７を参照しながら説明したように、ＣＥレベル選択モジュール７１０によって実施され得る。
【０１６８】
[0177]ブロック１６１５において、ＵＥ１１５は、図２〜図５を参照しながら説明したように、カバレージ制限に少なくとも部分的に基づいてランダムアクセスメッセージのプリアンブルフォーマットを選択し得る。いくつかの例では、ブロック１６１５の動作は、図７を参照しながら説明したように、ＲＡＣＨプリアンブルモジュール７１５によって実施され得る。
【０１６９】
[0178]ブロック１６２０において、ＵＥ１１５は、図２〜図５を参照しながら説明したように、基地局からの明示的シグナリング、ダウンリンク信号測定値とＤＬ信号しきい値との間の比較、または選択されたカバレージ拡張レベルに基づいてＤＬ  ＣＥレベルを推定し得、選択されたプリアンブルフォーマットは、推定されたＤＬ  ＣＥレベルを示し得る。いくつかの例では、ブロック１６２０の動作は、図８を参照しながら説明したように、ＣＥレベル推定モジュール８１０によって実施され得る。
【０１７０】
[0179]ブロック１６２５において、ＵＥ１１５は、図２〜図５を参照しながら説明したように、選択されたＣＥレベルに対応するＰＲＡＣＨ構成に従ってランダムアクセスメッセージを送信し得る。いくつかの例では、ブロック１６２５の動作は、図７を参照しながら説明したように、ＲＡＣＨプリアンブルモジュール７１５によって実施され得る。
【０１７１】
[0180]図１７は、本開示の様々な態様による、カバレージ制限下でのランダムアクセス手順のための方法１７００を示すフローチャートを示す。方法１７００の動作は、図１〜図１３を参照しながら説明したように、ＵＥ１１５またはそれの構成要素によって実装され得る。たとえば、方法１７００の動作は、図６〜図９を参照しながら説明したように、ＣＥ  ＲＡＣＨモジュール６１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。方法１７００はまた、図１４〜図１６の方法１４００、１５００、および１６００の態様を組み込み得る。
【０１７２】
[0181]ブロック１７０５において、ＵＥ１１５は、図２〜図５を参照しながら説明したように、ＰＲＡＣＨ構成のセットを示すシグナリングを受信し得、セットの各ＰＲＡＣＨ構成は、基地局によってサポートされるカバレージ拡張レベルに対応し得る。いくつかの例では、ブロック１７０５の動作は、図７を参照しながら説明したように、ＰＲＡＣＨ構成モジュール７０５によって実施され得る。
【０１７３】
[0182]ブロック１７１０において、ＵＥ１１５は、図２〜図５を参照しながら説明したように、カバレージ制限に少なくとも部分的に基づいてＣＥレベルのうちの１つを選択し得る。いくつかの例では、ブロック１７１０の動作は、図７を参照しながら説明したように、ＣＥレベル選択モジュール７１０によって実施され得る。
【０１７４】
[0183]ブロック１７１５において、ＵＥ１１５は、図２〜図５を参照しながら説明したように、ＰＲＡＣＨ構成に少なくとも部分的に基づいてランダムアクセスメッセージを送信するためのリソースを選択し得る。いくつかの例では、ブロック１７１５の動作は、図８を参照しながら説明したように、リソース選択モジュール８３０によって実施され得る。
【０１７５】
[0184]ブロック１７２０において、ＵＥ１１５は、図２〜図５を参照しながら説明したように、選択されたＣＥレベルに対応するＰＲＡＣＨ構成に従ってランダムアクセスメッセージを送信し得る。いくつかの例では、ブロック１７２０の動作は、図７を参照しながら説明したように、ＲＡＣＨプリアンブルモジュール７１５によって実施され得る。
【０１７６】
[0185]ブロック１７２５において、ＵＥ１１５は、図２〜図５を参照しながら説明したように、選択されたリソースに少なくとも部分的に基づいてＲＡＲを受信するための１つまたは複数のあらかじめ定義された時間間隔を監視し得る。いくつかの例では、ブロック１７２５の動作は、図８を参照しながら説明したように、監視モジュール８２０によって実施され得る。
【０１７７】
[0186]図１８は、本開示の様々な態様による、カバレージ制限下でのランダムアクセス手順のための方法１８００を示すフローチャートを示す。方法１８００の動作は、図１〜図１３を参照しながら説明したように、ＵＥ１１５またはそれの構成要素によって実装され得る。たとえば、方法１８００の動作は、図６〜図９を参照しながら説明したように、ＣＥ  ＲＡＣＨモジュール６１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。方法１８００はまた、図１４〜図１７の方法１４００、１５００、１６００、および１７００の態様を組み込み得る。
【０１７８】
[0187]ブロック１８０５において、ＵＥ１１５は、図２〜図５を参照しながら説明したように、ＰＲＡＣＨ構成のセットを示すシグナリングを受信し得、セットの各ＰＲＡＣＨ構成は、基地局によってサポートされるカバレージ拡張レベルに対応し得る。いくつかの例では、ブロック１８０５の動作は、図７を参照しながら説明したように、ＰＲＡＣＨ構成モジュール７０５によって実施され得る。
【０１７９】
[0188]ブロック１８１０において、ＵＥ１１５は、図２〜図５を参照しながら説明したように、カバレージ制限に少なくとも部分的に基づいてＣＥレベルのうちの１つを選択し得る。いくつかの例では、ブロック１８１０の動作は、図７を参照しながら説明したように、ＣＥレベル選択モジュール７１０によって実施され得る。
【０１８０】
[0189]ブロック１８１５において、ＵＥ１１５は、図２〜図５を参照しながら説明したように、ＰＲＡＣＨ構成に少なくとも部分的に基づいてランダムアクセスメッセージを送信するためのリソースを選択し得る。いくつかの例では、ブロック１８１５の動作は、図８を参照しながら説明したように、リソース選択モジュール８３０によって実施され得る。
【０１８１】
[0190]ブロック１８２０において、ＵＥ１１５は、図２〜図５を参照しながら説明したように、選択されたＣＥレベルに対応するＰＲＡＣＨ構成に従ってランダムアクセスメッセージを送信し得る。いくつかの例では、ブロック１８２０の動作は、図７を参照しながら説明したように、ＲＡＣＨプリアンブルモジュール７１５によって実施され得る。
【０１８２】
[0191]ブロック１８２５において、ＵＥ１１５は、図２〜図５を参照しながら説明したように、選択されたリソースに少なくとも部分的に基づいてＲＡＲ制御メッセージを受信するための１つまたは複数のあらかじめ定義された時間間隔を監視し得る。いくつかの例では、ブロック１８２５の動作は、図８を参照しながら説明したように、監視モジュール８２０によって実施され得る。
【０１８３】
[0192]ブロック１８３０において、ＵＥ１１５は、図２〜図５を参照しながら説明したように、ＲＡＲ制御メッセージに少なくとも部分的に基づいてＲＡＲを受信し得る。いくつかの例では、ブロック１８３０の動作は、図６を参照しながら説明したように、受信機６０５によって実施され得る。
【０１８４】
[0193]図１９は、本開示の様々な態様による、カバレージ制限下でのランダムアクセス手順のための方法１９００を示すフローチャートを示す。方法１９００の動作は、図１〜図１３を参照しながら説明したように、ＵＥ１１５またはそれの構成要素によって実装され得る。たとえば、方法１９００の動作は、図６〜図９を参照しながら説明したように、ＣＥ  ＲＡＣＨモジュール６１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。方法１９００はまた、図１４〜図１８の方法１４００、１５００、１６００、１７００、および１８００の態様を組み込み得る。
【０１８５】
[0194]ブロック１９０５において、ＵＥ１１５は、図２〜図５を参照しながら説明したように、ＰＲＡＣＨ構成のセットを示すシグナリングを受信し得、セットの各ＰＲＡＣＨ構成は、基地局によってサポートされるカバレージ拡張レベルに対応し得る。いくつかの例では、ブロック１９０５の動作は、図７を参照しながら説明したように、ＰＲＡＣＨ構成モジュール７０５によって実施され得る。
【０１８６】
[0195]ブロック１９１において、ＵＥ１１５は、図２〜図５を参照しながら説明したように、基地局によってサポートされる１つまたは複数のＣＥレベルのうちの候補ＣＥレベルを選択し得る。いくつかの例では、ブロック１９１０の動作は、図７を参照しながら説明したように、ＣＥレベル選択モジュール７１０によって実施され得る。
【０１８７】
[0196]ブロック１９１５において、ＵＥ１１５は、図２〜図５を参照しながら説明したように、ランダムアクセスメッセージの候補送信電力を決定し得る。いくつかの例では、ブロック１９２５の動作は、図８を参照しながら説明したように、送信電力モジュール８３５によって実施され得る。
【０１８８】
[0197]ブロック１９２０において、ＵＥ１１５は、図２〜図５を参照しながら説明したように、候補送信電力が送信電力しきい値を超えると決定し得る。いくつかの例では、ブロック１９２０の動作は、図８を参照しながら説明したように、送信電力モジュール８３５によって実施され得る。
【０１８９】
[0198]ブロック１９２５において、ＵＥ１１５は、図２〜図５を参照しながら説明したように、カバレージ制限に少なくとも部分的に基づいてＣＥレベルのうちの１つを選択し得る。場合によっては、ＣＥレベルの選択は、候補送信電力がしきい値を超えると決定することに少なくとも部分的に基づき、ＣＥレベルは候補ＣＥレベルよりも高くなり得る。いくつかの例では、ブロック１９２５の動作は、図７を参照しながら説明したように、ＣＥレベル選択モジュール７１０によって実施され得る。
【０１９０】
[0199]ブロック１９３０において、ＵＥ１１５は、図２〜図５を参照しながら説明したように、選択されたＣＥレベルに対応するＰＲＡＣＨ構成に従ってランダムアクセスメッセージを送信し得る。いくつかの例では、ブロック１９３０の動作は、図７を参照しながら説明したように、ＲＡＣＨプリアンブルモジュール７１５によって実施され得る。
【０１９１】
[0200]図２０は、本開示の様々な態様による、カバレージ制限下でのランダムアクセス手順のための方法２０００を示すフローチャートを示す。方法２０００の動作は、図１〜図１３を参照しながら説明したように、ＵＥ１１５またはそれの構成要素によって実装され得る。たとえば、方法２０００の動作は、図６〜図９を参照しながら説明したように、ＣＥ  ＲＡＣＨモジュール６１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。方法２０００はまた、図１４〜図１９の方法１４００、１５００、１６００、１７００、１８００、および１９００の態様を組み込み得る。
【０１９２】
[0201]ブロック２００５において、ＵＥ１１５は、図２〜図５を参照しながら説明したように、推定されたＤＬ  ＣＥレベルとランダムアクセスグループとの間のマッピングを示すシグナリングを受信し得る。いくつかの例では、ブロック２００５の動作は、図８を参照しながら説明したように、プリアンブルグループモジュール８５５によって実施され得る。
【０１９３】
[0202]ブロック２０１０において、ＵＥ１１５は、図２〜図５を参照しながら説明したように、マッピングに少なくとも部分的に基づいてランダムアクセスグループを選択し得る。いくつかの例では、ブロック２０１０の動作は、図８を参照しながら説明したように、プリアンブルグループモジュール８５５によって実施され得る。
【０１９４】
[0203]ブロック２０１５において、ＵＥ１１５は、図２〜図５を参照しながら説明したように、選択されたランダムアクセスグループに少なくとも部分的に基づいてランダムアクセスメッセージを送信し得る。いくつかの例では、ブロック２０１５の動作は、図７を参照しながら説明したように、ＲＡＣＨプリアンブルモジュール７１５によって実施され得る。
【０１９５】
[0204]図２１は、本開示の様々な態様による、カバレージ制限下でのランダムアクセス手順のための方法２１００を示すフローチャートを示す。方法２１００の動作は、図１〜図１３を参照しながら説明したように、基地局１０５またはそれの構成要素によって実装され得る。たとえば、方法２１００の動作は、図１０〜図１３を参照しながら説明したように、基地局ＣＥ  ＲＡＣＨモジュール１０１０によって実施され得る。いくつかの例では、基地局１０５は、以下で説明する機能を実施するように基地局１０５の機能要素を制御するためのコードのセットを実行し得る。追加または代替として、基地局１０５は、専用ハードウェアを使用して、以下で説明する機能態様を実施し得る。
【０１９６】
[0205]ブロック２１０５において、基地局１０５は、図２〜図５を参照しながら説明したように、ＰＲＡＣＨ構成のセットを示すシグナリングを送信し得、セットの各ＰＲＡＣＨ構成は、サポートされるカバレージ拡張レベルに対応し得る。いくつかの例では、ブロック２１０５の動作は、図１１を参照しながら説明したように、ＢＳ  ＰＲＡＣＨ構成モジュール１１０５によって実施され得る。
【０１９７】
[0206]ブロック２１１０において、基地局１０５は、図２〜図５を参照しながら説明したように、ＰＲＡＣＨ構成のセットのうちのＰＲＡＣＨ構成に従ってランダムアクセスメッセージを受信し得る。いくつかの例では、ブロック２１１０の動作は、図１１を参照しながら説明したように、ＢＳ  ＲＡＣＨプリアンブルモジュール１１１０によって実施され得る。
【０１９８】
[0207]図２２は、本開示の様々な態様による、カバレージ制限下でのランダムアクセス手順のための方法２２００を示すフローチャートを示す。方法２２００の動作は、図１〜図１３を参照しながら説明したように、基地局１０５またはそれの構成要素によって実装され得る。たとえば、方法２２００の動作は、図１０〜図１３を参照しながら説明したように、基地局ＣＥ  ＲＡＣＨモジュール１０１０によって実施され得る。いくつかの例では、基地局１０５は、以下で説明する機能を実施するように基地局１０５の機能要素を制御するためのコードのセットを実行し得る。追加または代替として、基地局１０５は、専用ハードウェアを使用して、以下で説明する機能態様を実施し得る。方法２２００はまた、図２１の方法２１００の態様を組み込み得る。
【０１９９】
[0208]ブロック２２０５において、基地局１０５は、図２〜図５を参照しながら説明したように、ＤＬ  ＣＥレベルとランダムアクセスグループとの間のマッピングを示すシグナリングを送信し得る。いくつかの例では、ブロック２２０５の動作は、図１１を参照しながら説明したように、ＢＳプリアンブルグループモジュール１２０５によって実施され得る。
【０２００】
[0209]ブロック２２１０において、基地局１０５は、図２〜図５を参照しながら説明したように、ランダムアクセスグループに少なくとも部分的に基づいてランダムアクセスメッセージを受信し得る。いくつかの例では、ブロック２２１０の動作は、図７を参照しながら説明したように、ＲＡＣＨプリアンブルモジュール７１５によって実施され得る。
【０２０１】
[0210]ブロック２２１５において、基地局１０５は、図２〜図５を参照しながら説明したように、受信されたランダムアクセスメッセージのランダムアクセスグループに少なくとも部分的に基づいてＤＬ  ＣＥレベルを決定し得る。いくつかの例では、ブロック２２１５の動作は、図１１を参照しながら説明したように、ＢＳ  ＣＥレベル選択モジュール１２１０によって実施され得る。
【０２０２】
[0211]このようにして、方法１４００、１５００、１６００、１７００、１８００、１９００、２０００、２１００、および２２００は、カバレージ制限下でのランダムアクセス手順を提供し得る。方法１４００、１５００、１６００、１７００、１８００、１９００、２０００、２１００、および２２００は可能な実装形態について説明していること、ならびに動作およびステップは、他の実装形態が可能であるように、並べ替えられるかまたは場合によっては変更され得ることに留意されたい。いくつかの例では、方法１４００、１５００、１６００、１７００、１８００、１９００、２０００、２１００、および２２００のうちの２つ以上からの態様が組み合わされ得る。
【０２０３】
[0212]本明細書の説明は、例を与えるものであり、特許請求の範囲に記載される範囲、適用性、または例を限定するものではない。本開示の範囲から逸脱することなく、説明した要素の機能および構成において変更が行われ得る。様々な例は、適宜、様々な手順または構成要素を省略、置換、または追加し得る。また、いくつかの例に関して説明した特徴は、他の例において組み合わされ得る。
【０２０４】
[0213]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００
１ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。時分割多元接続（ＴＤＭＡ）システムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術ならびに他のシステムおよび無線技術に使用され得る。しかしながら、本明細書の説明は、例としてＬＴＥシステムについて説明し、上記の説明の大部分においてＬＴＥ用語が使用されるが、本技法はＬＴＥの適用例以外に適用可能である。
【０２０５】
[0214]本明細書で説明するようなネットワークを含む、ＬＴＥ／ＬＴＥ−Ａネットワークでは、発展型ノードＢ（ｅＮＢ）という用語は、概して、基地局を表すために使用され得る。本明細書で説明した１つまたは複数のワイヤレス通信システムは、異なるタイプの発展型ノードＢ（ｅＮＢ）が様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）について説明するために使用され得る３ＧＰＰ用語である。
【０２０６】
[0215]基地局のための地理的カバレージエリアは、カバレージエリアの一部分のみを構成するセクタに分割され得る。本明細書で説明した１つまたは複数のワイヤレス通信システムは、異なるタイプの基地局（たとえば、マクロセル基地局またはスモールセル基地局）を含み得る。本明細書で説明したＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０２０７】
[0216]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にすることができる。また、フェムトセルは、小さい地理的エリア（たとえば、自宅）をカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０２０８】
[0217]本明細書で説明した１つまたは複数のワイヤレス通信システムは、同期動作または非同期動作をサポートし得る。同期動作の場合、基地局は、同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明した技法は、同期動作または非同期動作のいずれかにも使用され得る。
【０２０９】
[0218]本明細書で説明したダウンリンク送信は、順方向リンク送信と呼ばれることもあり、アップリンク送信は、逆方向リンク送信と呼ばれることもある。たとえば、図１および図２のワイヤレス通信システム１００および２００を含む、本明細書で説明した各通信リンクは、１つまたは複数のキャリアを含み得、ここで、各キャリアは、複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。本明細書で説明した通信リンク（たとえば、図１の通信リンク１２５）は、（たとえば、対スペクトルリソースを使用する）周波数分割複信（ＦＤＤ）動作、または（たとえば、不対スペクトルリソースを使用する）ＴＤＤ動作を使用して、双方向通信を送信し得る。ＦＤＤ（たとえば、フレーム構造タイプ１）とＴＤＤ（たとえば、フレーム構造タイプ２）とのためのフレーム構造が定義され得る。
【０２１０】
[0219]添付の図面に関して、本明細書に記載された説明は、例示的な構成について説明しており、実装され得るかまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明した技法の理解を与えるための具体的な詳細を含む。ただし、これらの技法は、これらの具体的な詳細なしに実践され得る。いくつかの事例では、説明した例の概念を不明瞭にすることを避けるために、よく知られている構造およびデバイスはブロック図の形態で示されている。
【０２１１】
[0220]添付の図では、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルだけが本明細書において使用される場合、その説明は、第２の参照ラベルにかかわらず、同じ第１の参照ラベルを有する同様の構成要素のいずれにも適用可能である。
【０２１２】
[0221]本明細書で説明した情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２１３】
[0222]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明した機能を実施するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、あるいは任意の他のそのような構成）として実装され得る。
【０２１４】
[0223]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、コンピュータ可読媒体上に記憶されるか、あるいは１つまたは複数の命令またはコードを介してコンピュータ可読媒体上で送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的ロケーションにおいて機能の部分が実装されるように分散されることを含めて、様々な位置に物理的に配置され得る。また、特許請求の範囲を含めて、本明細書で使用されるとき、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０２１５】
[0224]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２１６】
[0225]本明細書の説明は、当業者が本開示を作成または使用することを可能にするために与えられる。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
【図１】
2020184775.tif 000003
【図２】
2020184775.tif 000004
【図３】
2020184775.tif 000005
【図４Ａ】
2020184775.tif 000006
【図４Ｂ】
2020184775.tif 000007
【図４Ｃ】
2020184775.tif 000008
【図５】
2020184775.tif 000009
【図６】
2020184775.tif 000010
【図７】
2020184775.tif 000011
【図８】
2020184775.tif 000012
【図９】
2020184775.tif 000013
【図１０】
2020184775.tif 000014
【図１１】
2020184775.tif 000015
【図１２】
2020184775.tif 000016
【図１３】
2020184775.tif 000017
【図１４】
2020184775.tif 000018
【図１５】
2020184775.tif 000019
【図１６】
2020184775.tif 000020
【図１７】
2020184775.tif 000021
【図１８】
2020184775.tif 000022
【図１９】
2020184775.tif 000023
【図２０】
2020184775.tif 000024
【図２１】
2020184775.tif 000025
【図２２】
2020184775.tif 000026
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
物理ランダムアクセスチャネル（ＰＲＡＣＨ）構成のセットを示すシグナリングを受信することと、ここにおいて、ＰＲＡＣＨ構成の前記セットの各ＰＲＡＣＨ構成が、基地局によってサポートされる複数のカバレージ拡張（ＣＥ）レベルのうちの１つに対応する、
カバレージ制限および前記基地局からの前記シグナリングに少なくとも部分的に基づいて前記複数のＣＥレベルのうちの１つを選択することと、
前記選択されたＣＥレベルに対応する前記ＰＲＡＣＨ構成に基づいてアップリンク（ＵＬ）反復レベルを決定することと、
前記決定されたＵＬ反復レベルに従ってランダムアクセスメッセージを送信することと、前記ランダムアクセスメッセージは前記選択されたＣＥレベルを示す、
を備える、ワイヤレス通信の方法。
【請求項２】
前記基地局から１つまたは複数のカバレージ制限しきい値を示すシグナリングを受信することと、
前記受信された１つまたは複数のカバレージ制限しきい値に少なくとも部分的に基づいて前記カバレージ制限を決定することとをさらに備える、請求項１に記載の方法。
【請求項３】
前記カバレージ制限しきい値が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、請求項２に記載の方法。
【請求項４】
前記カバレージ制限に少なくとも部分的に基づいて前記ランダムアクセスメッセージのプリアンブルフォーマットを選択すること、ここにおいて、前記選択されたプリアンブルフォーマットは前記選択されたＣＥレベルを示す、をさらに備える、請求項１に記載の方法。
【請求項５】
前記選択されたＣＥレベルに少なくとも部分的に基づいてランダムアクセス応答を受信するための１つまたは複数のリソースを決定することと、
前記ランダムアクセス応答について１つまたは複数のリソースを監視することと、をさらに備える、請求項１に記載の方法。
【請求項６】
不成功のランダムアクセス送信に少なくとも部分的に基づいて後続のＣＥレベルを選択することをさらに備える、請求項１に記載の方法。
【請求項７】
ランダムアクセス応答を受信することと、
前記選択されたＣＥレベルに少なくとも部分的に基づいて前記ランダムアクセス応答を復号することとをさらに備える、請求項１に記載の方法。
【請求項８】
前記ランダムアクセス応答を復号することが、
前記選択されたＣＥレベルに少なくとも部分的に基づいて前記ランダムアクセス応答の制御部分を復号することと、
前記ランダムアクセス応答の前記制御部分に少なくとも部分的に基づいて、示されたＣＥレベルを識別することと、
前記示されたＣＥレベルに少なくとも部分的に基づいて前記ランダムアクセス応答のデータ部分を復号することとを備える、請求項７に記載の方法。
【請求項９】
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答を受信するための１つまたは複数のあらかじめ定義された時間間隔を監視することとをさらに備える、請求項１に記載の方法。
【請求項１０】
前記１つまたは複数のあらかじめ定義された時間間隔が、前記ランダムアクセスメッセージの選択されたプリアンブルフォーマットに少なくとも部分的に基づく、請求項９に記載の方法。
【請求項１１】
１つまたは複数のさらなる応答メッセージについて監視し続けるための前記ランダムアクセス応答中の指示を受信することをさらに備える、請求項９に記載の方法。
【請求項１２】
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答制御メッセージを受信するための１つまたは複数のあらかじめ定義された時間間隔を監視することと、
前記ランダムアクセス応答制御メッセージに少なくとも部分的に基づいてランダムアクセス応答を受信することとをさらに備える、請求項１に記載の方法。
【請求項１３】
前記１つまたは複数のあらかじめ定義された時間間隔が、前記ランダムアクセスメッセージの選択されたプリアンブルフォーマットに少なくとも部分的に基づく、請求項１２に記載の方法。
【請求項１４】
前記１つまたは複数のあらかじめ定義された時間間隔が、前記ランダムアクセスメッセージの選択されたプリアンブルフォーマットのＣＥレベルに少なくとも部分的に基づく、請求項１２に記載の方法。
【請求項１５】
前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定することをさらに備える、請求項１に記載の方法。
【請求項１６】
前記複数のＣＥレベルのうちの１つを前記選択することが、前記カバレージ制限と、前記基地局からの前記シグナリングと、前のＰＲＡＣＨ送信のカウンタに少なくとも部分的に基づく、請求項１に記載の方法。
【請求項１７】
前記基地局によってサポートされる前記複数のＣＥレベルから候補ＣＥレベルを選択することと、
前記ランダムアクセスメッセージの候補送信電力を決定することと、
前記候補送信電力が送信電力しきい値を超えると決定することとをさらに備え、
ここにおいて、前記複数のＣＥレベルのうちの１つの前記選択は、前記候補送信電力が前記送信電力しきい値を超えると決定することに少なくとも部分的に基づき、ここにおいて、前記選択されたＣＥレベルが前記候補ＣＥレベルよりも高い、請求項１に記載の方法。
【請求項１８】
前記基地局からＣＥレベルを示すシグナリングを受信すること、ここにおいて、前記選択されたＣＥレベルが、前記基地局によって示された前記ＣＥレベルに対応する、をさらに備える、請求項１に記載の方法。
【請求項１９】
前記基地局からの前記ＣＥレベルを示すシグナリングが、ＰＲＡＣＨマスクインデックスまたは周波数オフセット、あるいは両方を備える、請求項１８に記載の方法。
【請求項２０】
ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、請求項１に記載の方法。
【請求項２１】
ＰＲＡＣＨ構成の前記セットが、前記複数のＣＥレベルの各々の決定性値のセットを備える、請求項１に記載の方法。
【請求項２２】
ＰＲＡＣＨ構成の前記セットが、前記複数のＣＥレベルの各々に対応するＰＲＡＣＨ周波数オフセットを備える、請求項１に記載の方法。
【請求項２３】
ユーザ機器（ＵＥ）タイプに少なくとも部分的に基づいてデフォルトＰＲＡＣＨ構成を識別すること、ここにおいて、前記ランダムアクセスメッセージが前記デフォルトＰＲＡＣＨ構成に従って送信される、をさらに備える、請求項１に記載の方法。
【請求項２４】
前記ＵＥタイプが、ＵＥカテゴリーまたは前に構成されたＵＥのうちの少なくとも１つ、あるいは両方を備える、請求項２３に記載の方法。
【請求項２５】
ＰＲＡＣＨ構成の前記セットが、複数のリソースブロックにわたって、周波数分割多重化（ＦＤＭ）または時分割多重化（ＴＤＭ）、あるいは両方である指定されたリソースを備える、請求項１に記載の方法。
【請求項２６】
前記受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、請求項２５に記載の方法。
【請求項２７】
前記ランダムアクセスメッセージを送信するときにランダムアクセス送信カウンタを開始することと、
不成功のランダムアクセス送信に少なくとも部分的に基づいて後続のＣＥレベルを選択することと、
前記後続のＣＥレベルを選択することに少なくとも部分的に基づいて前記ランダムアクセス送信カウンタをリセットすることとをさらに備える、請求項１に記載の方法。
【請求項２８】
不成功のランダムアクセス送信のしきい値数に少なくとも部分的に基づいて無線リンク障害を宣言すること、ここにおいて、ＰＲＡＣＨ構成の前記セットがしきい値を備える、をさらに備える、請求項１に記載の方法。
【請求項２９】
前記ランダムアクセスメッセージ中に示された構成に少なくとも部分的に基づいて接続要求メッセージを送信することをさらに備える、請求項１に記載の方法。
【請求項３０】
受信されたランダムアクセス応答中に示された構成に少なくとも部分的に基づいて接続メッセージを送信すること、ここにおいて、前記接続メッセージが、接続要求メッセージ、接続再確立メッセージ、または、ハンドオーバ完了メッセージのうちの少なくとも１つを備える、をさらに備える、請求項１に記載の方法。
【請求項３１】
競合解消メッセージを受信すること、再送信試行のしきい値数を超えること、または競合解消タイマーの満了、あるいはそれらの任意の組合せ
のうちの少なくとも１つまで、前記接続メッセージを再送信することをさらに備える、請求項３０に記載の方法。
【請求項３２】
前記競合解消タイマーが、前記選択されたＣＥレベルに少なくとも部分的に基づいて構成された、請求項３１に記載の方法。
【請求項３３】
前記受信されたランダムアクセス応答中に示された前記構成に少なくとも部分的に基づいて前記接続メッセージの再送信指示について制御チャネルを監視することをさらに備える、請求項３０に記載の方法。
【請求項３４】
プロセッサと、
前記プロセッサに結合されたメモリと、
前記メモリに記憶され、かつ、前記プロセッサによって実行されたとき、
物理ランダムアクセスチャネル（ＰＲＡＣＨ）構成のセットを示すシグナリングを受信することと、ここにおいて、ＰＲＡＣＨ構成の前記セットの各ＰＲＡＣＨ構成が、基地局によってサポートされる複数のカバレージ拡張（ＣＥ）レベルのうちの１つに対応する、
カバレージ制限と前記基地局からの前記シグナリングに少なくとも部分的に基づいて前記複数のＣＥレベルのうちの１つを選択することと、
前記選択されたＣＥレベルに対応する前記ＰＲＡＣＨ構成に基づいてアップリンク（ＵＬ）反復レベルを決定することと、
前記決定されたＵＬ反復レベルに従ってランダムアクセスメッセージを送信することと、ここにおいて、前記ランダムアクセスメッセージが前記選択されたＣＥレベルを示す、
を、本装置に行わせるように動作可能である命令と
を備える、ワイヤレス通信のための装置。
【請求項３５】
前記命令は、
前記基地局から１つまたは複数のカバレージ制限しきい値を示すシグナリングを受信することと、
前記受信された１つまたは複数のカバレージ制限しきい値に少なくとも部分的に基づいて前記カバレージ制限を決定することとを本装置に行わせるように動作可能である、請求項３４に記載の装置。
【請求項３６】
前記カバレージ制限しきい値が、リンクバジェット、経路損失しきい値、基準信号受信電力（ＲＳＲＰ）しきい値、まが、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、請求項３５に記載の装置。
【請求項３７】
前記命令は、
前記カバレージ制限に少なくとも部分的に基づいて前記ランダムアクセスメッセージのプリアンブルフォーマットを選択すること、ここにおいて前記プリアンブルフォーマットは前記選択されたＣＥレベルを示す、
を、本装置に行わせるように動作可能である、請求項３４に記載の装置。
【請求項３８】
前記複数のＣＥレベルのうちの１つを前記選択することが、前記選択されたプリアンブルフォーマットに少なくとも部分的に基づく、請求項３７に記載の装置。
【請求項３９】
前記命令は、
前記選択されたＣＥレベルに少なくとも部分的に基づいてランダムアクセス応答を受信するための１つまたは複数のリソースを決定することと、
前記ランダムアクセス応答について前記１つまたは複数のリソースを監視することとを、本装置に行わせるように動作可能である、請求項３４に記載の装置。
【請求項４０】
前記命令は、
不成功のランダムアクセス送信に少なくとも部分的に基づいて後続のＣＥレベルを選択すること、本装置に行わせるように動作可能である、請求項３４に記載の装置。
【請求項４１】
前記命令は、
ランダムアクセス応答を受信することと、
前記選択されたＣＥレベルに少なくとも部分的に基づいて前記ランダムアクセス応答を復号することと
を、本装置に行わせるように動作可能である、請求項３４に記載の装置。
【請求項４２】
前記命令は、
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答を受信するための１つまたは複数のあらかじめ定義された時間間隔を監視することとを、本装置に行わせるように動作可能である、請求項３４に記載の装置。
【請求項４３】
前記命令は、
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答制御メッセージを受信するための１つまたは複数のあらかじめ定義された時間間隔を監視することと、
前記ランダムアクセス応答制御メッセージに少なくとも部分的に基づいてランダムアクセス応答を受信することとを、本装置に行わせるように動作可能である、請求項３４に記載の装置。
【請求項４４】
前記命令は、
前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定することを、本装置に行わせるように動作可能である、請求項３４に記載の装置。
【請求項４５】
前記複数のＣＥレベルのうちの１つを前記選択することが、前記カバレージ制限と、前記基地局からの前記シグナリングと、前のＰＲＡＣＨ送信のカウンタに少なくとも部分的に基づく、請求項３４に記載の装置。
【請求項４６】
前記命令は、
前記基地局によってサポートされる前記複数のＣＥレベルから候補ＣＥレベルを選択することと、
前記ランダムアクセスメッセージの候補送信電力を決定することと、
前記候補送信電力が送信電力しきい値を超えると決定することとを、本装置に行わせるように動作可能であり、
ここにおいて、前記複数のＣＥレベルのうちの１つを前記選択することは、前記候補送信電力が前記送信電力しきい値を超えると決定することに少なくとも部分的に基づき、ここにおいて、前記選択されたＣＥレベルが前記候補ＣＥレベルよりも高い、請求項３４に記載の装置。
【請求項４７】
前記命令は、
前記基地局からＣＥレベルを示すシグナリングを受信すること、を本装置に行わせるように動作可能であり、ここにおいて、前記選択されたＣＥレベルが、前記基地局によって示された前記ＣＥレベルに対応する、
請求項３４に記載の装置。
【請求項４８】
前記基地局によって示された前記ＣＥレベルが、ＰＲＡＣＨマスクインデックスまたは周波数オフセット、あるいは両方を備える、請求項４７に記載の装置。
【請求項４９】
ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、請求項３４に記載の装置。
【請求項５０】
ＰＲＡＣＨ構成の前記セットが、各サポートされるＣＥレベルの決定性値のセットを備える、請求項３４に記載の装置。
【請求項５１】
ＰＲＡＣＨ構成の前記セットが、各サポートされるＣＥレベルに対応するＰＲＡＣＨ周波数オフセットを備える、請求項３４に記載の装置。
【請求項５２】
前記命令は、
ユーザ機器（ＵＥ）タイプに少なくとも部分的に基づいてデフォルトＰＲＡＣＨ構成を識別すること、を本装置に行わせるように動作可能であり、ここにおいて、前記ランダムアクセスメッセージが前記デフォルトＰＲＡＣＨ構成に従って送信される、をさらに備える、請求項３４に記載の装置。
【請求項５３】
前記ＵＥタイプが、ＵＥカテゴリーまたは前に構成されたＵＥのうちの少なくとも１つ、あるいは両方を備える、請求項５２に記載の装置。
【請求項５４】
ＰＲＡＣＨ構成の前記セットが、複数のリソースブロックにわたって、周波数分割多重化（ＦＤＭ）または時分割多重化（ＴＤＭ）、あるいは両方である指定されたリソースを備える、請求項３４に記載の装置。
【請求項５５】
前記受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、請求項５４に記載の装置。
【請求項５６】
前記命令は、
前記ランダムアクセスメッセージを送信するときにランダムアクセス送信カウンタを開始することと、
不成功のランダムアクセス送信に少なくとも部分的に基づいて後続のＣＥレベルを選択することと、
前記後続のＣＥレベルを選択することに少なくとも部分的に基づいて前記ランダムアクセス送信カウンタをリセットすることとを、本装置に行わせるように動作可能である、請求項３４に記載の装置。
【請求項５７】
前記命令は、
不成功のランダムアクセス送信のしきい値数に少なくとも部分的に基づいて無線リンク障害を宣言すること、を本装置に行わせるように動作可能であり、ここにおいて、ＰＲＡＣＨ構成の前記セットがしきい値を備える、請求項３４に記載の装置。
【請求項５８】
前記命令は、
前記ランダムアクセスメッセージ中に示された構成に少なくとも部分的に基づいて接続要求メッセージを送信することを、本装置に行わせるように動作可能である、請求項３４に記載の装置。
【請求項５９】
前記命令は、
受信されたランダムアクセス応答中に示された構成に少なくとも部分的に基づいて接続メッセージを送信すること、を本装置に行わせるように動作可能であり、ここにおいて、前記接続メッセージが、接続要求メッセージ、接続再確立メッセージ、またはハンドオーバ完了メッセージのうちの少なくとも１つを備える、請求項３４に記載の装置。
【請求項６０】
前記命令は、
競合解消メッセージを受信すること、再送信試行のしきい値数を超えること、または競合解消タイマーの満了、あるいはそれらの任意の組合せ
のうちの少なくとも１つまで前記接続メッセージを再送信することを、本装置に行わせるように動作可能である、請求項５９に記載の装置。
【請求項６１】
前記競合解消タイマーが、前記選択されたＣＥレベルに少なくとも部分的に基づいて構成された、請求項６０に記載の装置。
【手続補正２】
【補正対象書類名】明細書
【補正対象項目名】０２１６
【補正方法】変更
【補正の内容】
【０２１６】
[0225]本明細書の説明は、当業者が本開示を作成または使用することを可能にするために与えられる。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
物理ランダムアクセスチャネル（ＰＲＡＣＨ）構成のセットを示すシグナリングを受信することと、ここにおいて、前記セットの各ＰＲＡＣＨ構成が、基地局によってサポートされるカバレージ拡張（ＣＥ）レベルに対応する、
カバレージ制限に少なくとも部分的に基づいて前記ＣＥレベルのうちの１つを選択することと、
前記選択されたＣＥレベルに対応するＰＲＡＣＨ構成に従ってランダムアクセスメッセージを送信することとを備える、ワイヤレス通信の方法。
［Ｃ２］
前記基地局から１つまたは複数のカバレージ制限しきい値を示すシグナリングを受信することと、
前記受信されたカバレージ制限しきい値に少なくとも部分的に基づいて前記カバレージ制限を決定することとをさらに備える、Ｃ１に記載の方法。
［Ｃ３］
前記カバレージ制限が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、Ｃ２に記載の方法。
［Ｃ４］
前記カバレージ制限に少なくとも部分的に基づいて前記ランダムアクセスメッセージのプリアンブルフォーマットを選択することをさらに備える、Ｃ１に記載の方法。
［Ｃ５］
前記基地局からの明示的シグナリング、ダウンリンク信号測定値とＤＬ信号しきい値との間の比較、または前記選択されたカバレージ拡張レベル、あるいはそれらの任意の組合せに少なくとも部分的に基づいてダウンリンク（ＤＬ）ＣＥレベルを推定すること、ここにおいて、前記選択されたプリアンブルフォーマットが、前記推定されたＤＬ  ＣＥレベルを示す、をさらに備える、Ｃ４に記載の方法。
［Ｃ６］
前記ＤＬ信号しきい値が、基準ＤＬ送信フォーマットに少なくとも部分的に基づいて決定される、Ｃ５に記載の方法。
［Ｃ７］
推定されたダウンリンク（ＤＬ）ＣＥレベルに少なくとも部分的に基づいてランダムアクセス応答を受信するための１つまたは複数のリソースを決定することと、
前記ランダムアクセス応答について前記１つまたは複数のリソースを監視することとをさらに備える、Ｃ１に記載の方法。
［Ｃ８］
不成功のランダムアクセス送信に少なくとも部分的に基づいて後続のＣＥレベルを選択することと、
前記後続のＣＥレベルを選択することに少なくとも部分的に基づいて、推定されたダウンリンク（ＤＬ）ＣＥレベルを再推定することとをさらに備える、Ｃ１に記載の方法。
［Ｃ９］
ランダムアクセス応答を受信することと、
推定されたダウンリンク（ＤＬ）ＣＥレベルに少なくとも部分的に基づいて前記ランダムアクセス応答を復号することとをさらに備える、Ｃ１に記載の方法。
［Ｃ１０］
前記ランダムアクセス応答を復号することが、
前記推定されたＤＬ  ＣＥレベルに少なくとも部分的に基づいて前記ランダムアクセス応答の制御部分を復号することと、
前記ランダムアクセス応答の前記制御部分に少なくとも部分的に基づいて、示されたＣＥレベルを識別することと、
前記示されたＣＥレベルに少なくとも部分的に基づいて前記ランダムアクセス応答のデータ部分を復号することとを備える、Ｃ９に記載の方法。
［Ｃ１１］
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答を受信するための１つまたは複数のあらかじめ定義された時間間隔を監視することとをさらに備える、Ｃ１に記載の方法。
［Ｃ１２］
監視するための前記１つまたは複数のあらかじめ定義された時間間隔が、前記ランダムアクセスメッセージの前記選択されたプリアンブルフォーマットに少なくとも部分的に基づく、Ｃ１１に記載の方法。
［Ｃ１３］
１つまたは複数のさらなる応答メッセージについて監視し続けるためのランダムアクセス応答中の指示を受信することをさらに備える、Ｃ１１に記載の方法。
［Ｃ１４］
前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答制御メッセージを受信するための１つまたは複数のあらかじめ定義された時間間隔を監視することと、
前記ランダムアクセス応答制御メッセージに少なくとも部分的に基づいてランダムアクセス応答を受信することとをさらに備える、Ｃ１に記載の方法。
［Ｃ１５］
監視するための前記１つまたは複数のあらかじめ定義された時間間隔が、前記ランダムアクセスメッセージの前記選択されたプリアンブルフォーマットに少なくとも部分的に基づく、Ｃ１４に記載の方法。
［Ｃ１６］
監視するための前記１つまたは複数のあらかじめ定義された時間間隔が、前記ランダムアクセスメッセージの前記選択されたプリアンブルフォーマットのＣＥレベルに少なくとも部分的に基づく、Ｃ１４に記載の方法。
［Ｃ１７］
前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定することをさらに備える、Ｃ１に記載の方法。
［Ｃ１８］
前記ＣＥレベルのうちの１つを前記選択することが、前のＰＲＡＣＨ送信のカウンタに少なくとも部分的に基づく、Ｃ１に記載の方法。
［Ｃ１９］
前記基地局によってサポートされる前記１つまたは複数のＣＥレベルのうちの候補ＣＥレベルを選択することと、
前記ランダムアクセスメッセージの候補送信電力を決定することと、
前記候補送信電力が送信電力しきい値を超えると決定することとをさらに備え、
ここにおいて、前記ＣＥレベルのうちの１つの前記選択は、前記候補送信電力が前記送信電力しきい値を超えると決定することに少なくとも部分的に基づき、ここにおいて、前記選択されたＣＥレベルが前記候補ＣＥレベルよりも高い、Ｃ１に記載の方法。
［Ｃ２０］
前記基地局からＣＥレベルを示すシグナリングを受信すること、ここにおいて、前記選択されたＣＥレベルが、前記基地局によって示された前記ＣＥレベルに対応する、をさらに備える、Ｃ１に記載の方法。
［Ｃ２１］
前記基地局からの前記シグナリングが、ＰＲＡＣＨマスクインデックスまたは周波数オフセット、あるいは両方を備える、Ｃ２０に記載の方法。
［Ｃ２２］
ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、Ｃ１に記載の方法。
［Ｃ２３］
ＰＲＡＣＨ構成の前記セットが、各サポートされるＣＥレベルの決定性値のセットを備える、Ｃ１に記載の方法。
［Ｃ２４］
ＰＲＡＣＨ構成の前記セットが、各サポートされるＣＥレベルに対応するＰＲＡＣＨ周波数オフセットを備える、Ｃ１に記載の方法。
［Ｃ２５］
ユーザ機器（ＵＥ）タイプに少なくとも部分的に基づいてデフォルトＰＲＡＣＨ構成を識別すること、ここにおいて、前記ランダムアクセスメッセージが前記デフォルトＰＲＡＣＨ構成に従って送信される、をさらに備える、Ｃ１に記載の方法。
［Ｃ２６］
前記ＵＥタイプが、ＵＥカテゴリーまたは前に構成されたＵＥのうちの少なくとも１つ、あるいは両方を備える、Ｃ２５に記載の方法。
［Ｃ２７］
ＰＲＡＣＨ構成の前記セットが、複数のリソースブロックにわたって、周波数分割多重化（ＦＤＭ）または時分割多重化（ＴＤＭ）、あるいは両方である指定されたリソースを備える、Ｃ１に記載の方法。
［Ｃ２８］
前記受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、Ｃ２７に記載の方法。
［Ｃ２９］
前記ランダムアクセスメッセージを送信するときにランダムアクセス送信カウンタを開始することと、
不成功のランダムアクセス送信に少なくとも部分的に基づいて後続のＣＥレベルを選択することと、
前記後続のＣＥレベルを選択することに少なくとも部分的に基づいて前記ランダムアクセス送信カウンタをリセットすることとをさらに備える、Ｃ１に記載の方法。
［Ｃ３０］
不成功のランダムアクセス送信のしきい値数に少なくとも部分的に基づいて無線リンク障害を宣言すること、ここにおいて、ＰＲＡＣＨ構成の前記セットが前記しきい値を備える、をさらに備える、Ｃ１に記載の方法。
［Ｃ３１］
前記ランダムアクセスメッセージ中に示された構成に少なくとも部分的に基づいて接続要求メッセージを送信することをさらに備える、Ｃ１に記載の方法。
［Ｃ３２］
受信されたランダムアクセス応答中に示された構成に少なくとも部分的に基づいて接続メッセージを送信すること、ここにおいて、前記接続メッセージが、接続要求メッセージと、接続再確立メッセージと、ハンドオーバ完了メッセージとのうちの少なくとも１つを備える、をさらに備える、Ｃ１に記載の方法。
［Ｃ３３］
競合解消メッセージを受信すること、再送信試行のしきい値数を超えること、または競合解消タイマーの満了、あるいはそれらの任意の組合せ
のうちの少なくとも１つまで、前記接続メッセージを再送信することをさらに備える、Ｃ３２に記載の方法。
［Ｃ３４］
受信されたランダムアクセス応答中に示された構成に少なくとも部分的に基づいて前記接続メッセージの再送信指示について制御チャネルを監視することをさらに備える、Ｃ３２に記載の方法。
［Ｃ３５］
前記競合解消タイマーが、前記選択されたＣＥレベルに少なくとも部分的に基づいて構成された、Ｃ３３に記載の方法。
［Ｃ３６］
推定されたダウンリンク（ＤＬ）カバレージ拡張（ＣＥ）レベルとランダムアクセスグループとの間のマッピングを示すシグナリングを受信することと、
前記マッピングに少なくとも部分的に基づいて前記ランダムアクセスグループを選択することと、
前記選択されたランダムアクセスグループに少なくとも部分的に基づいてランダムアクセスメッセージを送信することとを備える、ワイヤレス通信の方法。
［Ｃ３７］
前記選択されたランダムアクセスグループに少なくとも部分的に基づいてランダムアクセス応答のための周波数リソースを決定することをさらに備える、Ｃ３６に記載の方法。
［Ｃ３８］
前記ランダムアクセスグループが、前記ランダムアクセス応答に関連する制御情報を示し、前記決定された周波数リソースが制御メッセージを備える、Ｃ３７に記載の方法。
［Ｃ３９］
前記ランダムアクセスグループが、前記ランダムアクセス応答に関連する制御情報およびデータ情報を示し、前記決定された周波数リソースが、制御メッセージまたはデータメッセージ、あるいは両方を備える、Ｃ３７に記載の方法。
［Ｃ４０］
物理ランダムアクセスチャネル（ＰＲＡＣＨ）構成のセットを示すシグナリングを送信することと、ここにおいて、前記セットの各ＰＲＡＣＨ構成が、サポートされるカバレージ拡張（ＣＥ）レベルに対応する、
ＰＲＡＣＨ構成の前記セットのＰＲＡＣＨ構成に従ってランダムアクセスメッセージを受信することとを備える、ワイヤレス通信の方法。
［Ｃ４１］
１つまたは複数のカバレージ制限しきい値を示すシグナリングを送信すること、ここにおいて、前記ランダムアクセスメッセージが、前記シグナリングに少なくとも部分的に基づいて受信される、をさらに備える、Ｃ４０に記載の方法。
［Ｃ４２］
前記ランダムアクセスメッセージに少なくとも部分的に基づいてランダムアクセス応答を送信することをさらに備える、Ｃ４０に記載の方法。
［Ｃ４３］
１つまたは複数のさらなる応答メッセージについて監視し続けるためのランダムアクセス応答中の指示を送信することをさらに備える、Ｃ４０に記載の方法。
［Ｃ４４］
前記ＰＲＡＣＨ構成に少なくとも部分的に基づいてランダムアクセス応答を送信するためのリソースを選択することと、
前記選択されたリソースを使用して前記ランダムアクセス応答を送信することとをさらに備える、Ｃ４０に記載の方法。
［Ｃ４５］
ＣＥレベルを示すシグナリングを送信すること、ここにおいて、前記ランダムアクセスメッセージが、前記ＣＥレベルに少なくとも部分的に基づいて受信される、をさらに備える、Ｃ４０に記載の方法。
［Ｃ４６］
ダウンリンク（ＤＬ）カバレージ拡張（ＣＥ）レベルとランダムアクセスグループとの間のマッピングを示すシグナリングを送信することと、
前記ランダムアクセスグループに少なくとも部分的に基づいてランダムアクセスメッセージを受信することと、
前記受信されたランダムアクセスメッセージの前記ランダムアクセスグループに少なくとも部分的に基づいてＤＬ  ＣＥレベルを決定することとを備える、ワイヤレス通信の方法。
［Ｃ４７］
物理ランダムアクセスチャネル（ＰＲＡＣＨ）構成のセットを示すシグナリングを受信するための手段と、ここにおいて、前記セットの各ＰＲＡＣＨ構成が、基地局によってサポートされるカバレージ拡張レベルに対応する、
カバレージ制限に少なくとも部分的に基づいて前記カバレージ拡張（ＣＥ）レベルのうちの１つを選択するための手段と、
前記選択されたＣＥレベルに対応するＰＲＡＣＨ構成に従ってランダムアクセスメッセージを送信するための手段とを備える、ワイヤレス通信のための装置。
［Ｃ４８］
前記基地局から１つまたは複数のカバレージ制限しきい値を示すシグナリングを受信するための手段と、
受信されたカバレージ制限しきい値に少なくとも部分的に基づいて前記カバレージ制限を決定するための手段とをさらに備える、Ｃ４７に記載の装置。
［Ｃ４９］
前記カバレージ制限が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、Ｃ４８に記載の装置。
［Ｃ５０］
前記カバレージ制限に少なくとも部分的に基づいて前記ランダムアクセスメッセージのプリアンブルフォーマットを選択するための手段をさらに備える、Ｃ４７に記載の装置。
［Ｃ５１］
前記ＣＥレベルのうちの１つを選択するための前記手段が、選択されたプリアンブルフォーマットに少なくとも部分的に基づいて動作可能である、Ｃ５０に記載の装置。
［Ｃ５２］
前記基地局からの明示的シグナリング、ダウンリンク信号測定値とＤＬ信号しきい値との間の比較、前記選択されたカバレージ拡張レベル、またはそれらの任意の組合せに少なくとも部分的に基づいてダウンリンク（ＤＬ）ＣＥレベルを推定するための手段、ここにおいて、選択されたプリアンブルフォーマットが、推定されたＤＬ  ＣＥレベルを示す、をさらに備える、Ｃ５０に記載の装置。
［Ｃ５３］
推定されたＤＬ  ＣＥレベルに少なくとも部分的に基づいてランダムアクセス応答を受信するための１つまたは複数のリソースを決定するための手段と、
ランダムアクセス応答について前記１つまたは複数のリソースを監視するための手段とをさらに備える、Ｃ５２に記載の装置。
［Ｃ５４］
不成功のランダムアクセス送信に少なくとも部分的に基づいて後続のＣＥレベルを選択するための手段と、
前記後続のＣＥレベルを選択することに少なくとも部分的に基づいて前記ＤＬ  ＣＥレベルを再推定するための手段とをさらに備える、Ｃ５２に記載の装置。
［Ｃ５５］
ランダムアクセス応答を受信するための手段と、
推定されたダウンリンク（ＤＬ）ＣＥレベルに少なくとも部分的に基づいて前記ランダムアクセス応答を復号するための手段とをさらに備える、Ｃ５２に記載の装置。
［Ｃ５６］
前記ＰＲＡＣＨ構成に少なくとも部分的に基づいて前記ランダムアクセスメッセージを送信するためのリソースを選択するための手段と、
選択されたリソースに少なくとも部分的に基づいてランダムアクセス応答を受信するための１つまたは複数のあらかじめ定義された時間間隔を監視するための手段とをさらに備える、Ｃ４７に記載の装置。
［Ｃ５７］
前記ＰＲＡＣＨ構成に少なくとも部分的に基づいて前記ランダムアクセスメッセージを送信するためのリソースを選択するための手段と、
選択されたリソースに少なくとも部分的に基づいてランダムアクセス応答制御メッセージを受信するための１つまたは複数のあらかじめ定義された時間間隔を監視するための手段と、
ランダムアクセス応答制御メッセージに少なくとも部分的に基づいてランダムアクセス応答を受信するための手段とをさらに備える、Ｃ４７に記載の装置。
［Ｃ５８］
前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定するための手段をさらに備える、Ｃ４７に記載の装置。
［Ｃ５９］
前記ＣＥレベルのうちの１つを選択するための前記手段が、前のＰＲＡＣＨ送信のカウンタに少なくとも部分的に基づいて動作可能である、Ｃ４７に記載の装置。
［Ｃ６０］
前記基地局によってサポートされる前記１つまたは複数のＣＥレベルのうちの候補ＣＥレベルを選択するための手段と、
前記ランダムアクセスメッセージの候補送信電力を決定するための手段と、
前記候補送信電力が送信電力しきい値を超えると決定するための手段とをさらに備え、
ここにおいて、前記ＣＥレベルのうちの１つを選択するための前記手段は、前記候補送信電力が前記送信電力しきい値を超えると決定することに少なくとも部分的に基づいて動作可能であり、ここにおいて、前記選択されたＣＥレベルが前記候補ＣＥレベルよりも高い、Ｃ４７に記載の装置。
［Ｃ６１］
前記基地局からＣＥレベルを示すシグナリングを受信するための手段、ここにおいて、選択されたＣＥレベルが、前記基地局によって示された前記ＣＥレベルに対応する、をさらに備える、Ｃ４７に記載の装置。
［Ｃ６２］
前記基地局によって示された前記ＣＥレベルが、ＰＲＡＣＨマスクインデックスまたは周波数オフセット、あるいは両方を備える、Ｃ６１に記載の装置。
［Ｃ６３］
ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、Ｃ４７に記載の装置。
［Ｃ６４］
ＰＲＡＣＨ構成の前記セットが、各サポートされるＣＥレベルの決定性値のセットを備える、Ｃ４７に記載の装置。
［Ｃ６５］
ＰＲＡＣＨ構成の前記セットが、各サポートされるＣＥレベルに対応するＰＲＡＣＨ周波数オフセットを備える、Ｃ４７に記載の装置。
［Ｃ６６］
ユーザ機器（ＵＥ）タイプに少なくとも部分的に基づいてデフォルトＰＲＡＣＨ構成を識別するための手段、ここにおいて、前記ランダムアクセスメッセージが前記デフォルトＰＲＡＣＨ構成に従って送信される、をさらに備える、Ｃ４７に記載の装置。
［Ｃ６７］
前記ＵＥタイプが、ＵＥカテゴリーまたは前に構成されたＵＥのうちの少なくとも１つ、あるいは両方を備える、Ｃ６６に記載の装置。
［Ｃ６８］
ＰＲＡＣＨ構成の前記セットが、複数のリソースブロックにわたって、周波数分割多重化（ＦＤＭ）または時分割多重化（ＴＤＭ）、あるいは両方である指定されたリソースを備える、Ｃ４７に記載の装置。
［Ｃ６９］
受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、Ｃ６８に記載の装置。
［Ｃ７０］
前記ランダムアクセスメッセージを送信するときにランダムアクセス送信カウンタを開始するための手段と、
不成功のランダムアクセス送信に少なくとも部分的に基づいて後続のＣＥレベルを選択するための手段と、
前記後続のＣＥレベルを選択することに少なくとも部分的に基づいて前記ランダムアクセス送信カウンタをリセットするための手段とをさらに備える、Ｃ４７に記載の装置。
［Ｃ７１］
不成功のランダムアクセス送信のしきい値数に少なくとも部分的に基づいて無線リンク障害を宣言するための手段、ここにおいて、ＰＲＡＣＨ構成の前記セットが前記しきい値を備える、をさらに備える、Ｃ４７に記載の装置。
［Ｃ７２］
前記ランダムアクセスメッセージ中に示された構成に少なくとも部分的に基づいて接続要求メッセージを送信するための手段をさらに備える、Ｃ４７に記載の装置。
［Ｃ７３］
受信されたランダムアクセス応答中に示された構成に少なくとも部分的に基づいて接続メッセージを送信するための手段、ここにおいて、前記接続メッセージが、接続要求メッセージと、接続再確立メッセージと、ハンドオーバ完了メッセージとのうちの少なくとも１つを備える、をさらに備える、Ｃ４７に記載の装置。
［Ｃ７４］
競合解消メッセージが受信される、再送信試行のしきい値数が超えられる、または競合解消タイマーが満了する、あるいはそれらの任意の組合せ
のうちの少なくとも１つまで動作可能である前記接続メッセージを再送信するための手段をさらに備える、Ｃ７３に記載の装置。
［Ｃ７５］
前記競合解消タイマーが、前記選択されたＣＥレベルに少なくとも部分的に基づいて構成された、Ｃ７４に記載の装置。
［Ｃ７６］
推定されたダウンリンク（ＤＬ）カバレージ拡張（ＣＥ）レベルとランダムアクセスグループとの間のマッピングを示すシグナリングを受信するための手段と、
前記マッピングに少なくとも部分的に基づいて前記ランダムアクセスグループを選択するための手段と、
前記選択されたランダムアクセスグループに少なくとも部分的に基づいてランダムアクセスメッセージを送信するための手段とを備える、ワイヤレス通信のための装置。
［Ｃ７７］
前記選択されたランダムアクセスグループに少なくとも部分的に基づいてランダムアクセス応答のための周波数リソースを決定するための手段をさらに備える、Ｃ７６に記載の装置。
［Ｃ７８］
前記ランダムアクセスグループが、前記ランダムアクセス応答に関連する制御情報を示し、決定された周波数リソースが制御メッセージを備える、Ｃ７７に記載の装置。
［Ｃ７９］
前記ランダムアクセスグループが、前記ランダムアクセス応答に関連する制御情報およびデータ情報を示し、決定された周波数リソースが、制御メッセージまたはデータメッセージ、あるいは両方を備える、Ｃ７７に記載の装置。
［Ｃ８０］
前記選択されたランダムアクセスグループに少なくとも部分的に基づいてランダムアクセス無線ネットワーク一時識別子（ＲＡ−ＲＮＴＩ）を決定するための手段をさらに備える、Ｃ７６に記載の装置。
［Ｃ８１］
物理ランダムアクセスチャネル（ＰＲＡＣＨ）構成のセットを示すシグナリングを送信するための手段と、ここにおいて、前記セットの各ＰＲＡＣＨ構成が、サポートされるカバレージ拡張レベルに対応する、
ＰＲＡＣＨ構成の前記セットのＰＲＡＣＨ構成に従ってランダムアクセスメッセージを受信するための手段とを備える、ワイヤレス通信のための装置。
［Ｃ８２］
１つまたは複数のカバレージ制限しきい値を示すシグナリングを送信するための手段、ここにおいて、前記ランダムアクセスメッセージが、前記シグナリングに少なくとも部分的に基づいて受信される、をさらに備える、Ｃ８１に記載の装置。
［Ｃ８３］
前記ランダムアクセスメッセージに少なくとも部分的に基づいてランダムアクセス応答を送信するための手段をさらに備える、Ｃ８１に記載の装置。
［Ｃ８４］
１つまたは複数のさらなる応答メッセージについて監視し続けるためのランダムアクセス応答中の指示を送信するための手段をさらに備える、Ｃ８１に記載の装置。
［Ｃ８５］
ＣＥレベルを示すシグナリングを送信するための手段、ここにおいて、前記ランダムアクセスメッセージを受信するための前記手段が、前記ＣＥレベルに少なくとも部分的に基づいて動作可能である、をさらに備える、Ｃ８１に記載の装置。
［Ｃ８６］
ダウンリンク（ＤＬ）カバレージ拡張（ＣＥ）レベルとランダムアクセスグループとの間のマッピングを示すシグナリングを送信するための手段と、
前記ランダムアクセスグループに少なくとも部分的に基づいてランダムアクセスメッセージを受信するための手段と、
受信されたランダムアクセスメッセージの前記ランダムアクセスグループに少なくとも部分的に基づいてＤＬ  ＣＥレベルを決定するための手段とを備える、ワイヤレス通信のための装置。
【外国語明細書】
2020184775000001.pdf